(57)【特許請求の範囲】
【請求項１】
中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとがネットワークを介して接続され、
前記トレードサーバは、
買取業者が顧客から買い取った中古品に対応する電子化商品についての電子化商品識別情報を、マーケット業者が顧客を識別するための顧客識別情報とともに、前記店舗端末装置からネットワークを介して受信し、受信した前記電子化商品識別情報を、前記顧客識別情報とともに、前記マーケット業者サーバへ送信する処理を実行するトレード価格購入予約受付処理手段を備え、
前記マーケット業者サーバは、
電子化商品を、電子化商品識別情報と関連付けて記憶する電子化商品記憶手段と、
電子化商品の新規購入価格よりも安価に定められている、中古品と交換売買する場合の当該電子化商品のトレード価格を、当該電子化商品についての電子化商品識別情報と関連付けて記憶するトレード価格記憶手段と、
顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段と、
前記トレードサーバからネットワークを介して送信されてくる前記電子化商品識別情報を、前記顧客識別情報とともに受信し、受信した前記電子化商品識別情報を、前記顧客識別情報と関連付けてトレード価格購入予約情報記憶手段に記憶させる処理を実行するトレード価格購入予約情報登録処理手段と、
顧客が操作する顧客端末装置または前記店舗端末装置からネットワークを介して送信されてくるトレード価格購入予約に係る電子化商品のダウンロード要求信号を、前記顧客識別情報とともに受信し、受信した前記顧客識別情報に関連付けられて前記トレード価格購入予約情報記憶手段に記憶されている前記電子化商品識別情報の電子化商品を、前記電子化商品記憶手段から取得し、取得した前記電子化商品を、前記顧客端末装置または前記店舗端末装置へネットワークを介して送信する処理を実行するダウンロード要求受付処理手段と、
このダウンロード要求受付処理手段により受信した前記顧客識別情報に関連付けられて前記トレード価格購入予約情報記憶手段に記憶されている前記電子化商品識別情報を用いて、前記トレード価格記憶手段に記憶されたトレード価格購入予約に係る電子化商品のトレード価格を取得する処理を実行するトレード価格取得処理手段と、
このトレード価格取得処理手段により取得した前記トレード価格を用いて、前記ダウンロード要求受付処理手段により受信した前記顧客識別情報に関連付けられて前記決済情報記憶手段に記憶されているダウンロード要求を行った顧客の決済情報に従って、前記顧客と前記マーケット業者との間の決済処理を実行する決済処理手段とを備えている
ことを特徴とするトレードシステム。
【請求項２】
前記トレードサーバは、
買取業者が顧客から買い取った中古品に対応する電子化商品が存在しない場合に、前記顧客から買い取った前記中古品についての中古品識別情報を、マーケット業者が顧客を識別するための少なくとも１つのマーケット業者用の顧客識別情報と関連付けて記憶する顧客購入情報記憶手段を備え、
前記トレードサーバの前記トレード価格購入予約受付処理手段は、
買取業者が顧客から買い取った中古品に対応する電子化商品が存在しない場合に、前記顧客から買い取った前記中古品についての中古品識別情報を、少なくとも１つのマーケット業者用の前記顧客識別情報とともに、前記店舗端末装置からネットワークを介して受信し、前記マーケット業者サーバへの前記電子化商品識別情報および前記顧客識別情報の送信処理に代えて、前記顧客から買い取った前記中古品についての中古品識別情報を、少なくとも１つのマーケット業者用の前記顧客識別情報と関連付けて前記顧客購入情報記憶手段に記憶させる処理を実行する構成とされ、
前記トレードサーバは、
中古品についての中古品識別情報を、この中古品と交換可能な電子化商品についての電子化商品識別情報と関連付けて記憶する商品情報記憶手段と、
中古品に対応する電子化商品が発売されたか否かを監視するために、前記顧客購入情報記憶手段に記憶された中古品識別情報について、前記商品情報記憶手段に同一の中古品識別情報が記憶されているか否かを繰り返し判断し、記憶されている場合には、前記商品情報記憶手段から前記中古品識別情報に対応する電子化商品識別情報を取得する処理を実行する対応商品発売監視処理手段と、
この対応商品発売監視処理手段により取得した前記電子化商品識別情報を、対応する前記中古品識別情報に関連付けられて前記顧客購入情報記憶手段に記憶されている前記顧客識別情報のうち中古品に対応する前記電子化商品を発売したマーケット業者用の前記顧客識別情報とともに、中古品に対応する前記電子化商品を発売したマーケット業者の前記マーケット業者サーバへ送信する処理を実行するトレード価格購入予約情報送信処理手段とを備えた
ことを特徴とする請求項１に記載のトレードシステム。
【請求項３】
中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとがネットワークを介して接続され、
前記トレードサーバは、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
買取業者が顧客から買い取った中古品に対応する電子化商品についての電子化商品識別情報を、マーケット業者が顧客を識別するための顧客識別情報とともに、前記店舗端末装置からネットワークを介して受信し、受信した前記電子化商品識別情報に関連付けられて前記商品情報記憶手段に記憶されている前記トレード価格を取得し、前記電子化商品識別情報および前記トレード価格を、前記顧客識別情報とともに、前記マーケット業者サーバへ送信する処理を実行するトレード価格購入予約受付処理手段を備え、
前記マーケット業者サーバは、
電子化商品を、電子化商品識別情報と関連付けて記憶する電子化商品記憶手段と、
顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段と、
前記トレードサーバからネットワークを介して送信されてくる前記電子化商品識別情報および前記トレード価格を、前記顧客識別情報とともに受信し、受信した前記電子化商品識別情報および前記トレード価格を、前記顧客識別情報と関連付けてトレード価格購入予約情報記憶手段に記憶させる処理を実行するトレード価格購入予約情報登録処理手段と、
顧客が操作する顧客端末装置または前記店舗端末装置からネットワークを介して送信されてくるトレード価格購入予約に係る電子化商品のダウンロード要求信号を、前記顧客識別情報とともに受信し、受信した前記顧客識別情報に関連付けられて前記トレード価格購入予約情報記憶手段に記憶されている前記電子化商品識別情報の電子化商品を、前記電子化商品記憶手段から取得し、取得した前記電子化商品を、前記顧客端末装置または前記店舗端末装置へネットワークを介して送信する処理を実行するダウンロード要求受付処理手段と、
このダウンロード要求受付処理手段により受信した前記顧客識別情報に関連付けられて前記トレード価格購入予約情報記憶手段に記憶されている前記トレード価格を用いて、前記決済情報記憶手段に記憶されているダウンロード要求を行った顧客の決済情報に従って、前記顧客と前記マーケット業者との間の決済処理を実行する決済処理手段とを備えている
ことを特徴とするトレードシステム。
【請求項４】
前記トレードサーバは、
買取業者が顧客から買い取った中古品に対応する電子化商品が存在しない場合に、前記顧客から買い取った前記中古品についての中古品識別情報を、マーケット業者が顧客を識別するための少なくとも１つのマーケット業者用の顧客識別情報と関連付けて記憶する顧客購入情報記憶手段を備え、
前記トレードサーバの前記トレード価格購入予約受付処理手段は、
買取業者が顧客から買い取った中古品に対応する電子化商品が存在しない場合に、前記顧客から買い取った前記中古品についての中古品識別情報を、少なくとも１つのマーケット業者用の前記顧客識別情報とともに、前記店舗端末装置からネットワークを介して受信し、前記マーケット業者サーバへの前記電子化商品識別情報および前記顧客識別情報の送信処理に代えて、前記顧客から買い取った前記中古品についての中古品識別情報を、少なくとも１つのマーケット業者用の前記顧客識別情報と関連付けて前記顧客購入情報記憶手段に記憶させる処理を実行する構成とされ、
前記トレードサーバは、
中古品に対応する電子化商品が発売されたか否かを監視するために、前記顧客購入情報記憶手段に記憶された中古品識別情報について、前記商品情報記憶手段に同一の中古品識別情報が記憶されているか否かを繰り返し判断し、記憶されている場合には、前記商品情報記憶手段から前記中古品識別情報に対応する電子化商品識別情報およびトレード価格を取得する処理を実行する対応商品発売監視処理手段と、
この対応商品発売監視処理手段により取得した前記電子化商品識別情報および前記トレード価格を、対応する前記中古品識別情報に関連付けられて前記顧客購入情報記憶手段に記憶されている前記顧客識別情報のうち中古品に対応する前記電子化商品を発売したマーケット業者用の前記顧客識別情報とともに、中古品に対応する前記電子化商品を発売したマーケット業者の前記マーケット業者サーバへ送信する処理を実行するトレード価格購入予約情報送信処理手段とを備えた
ことを特徴とする請求項３に記載のトレードシステム。
【請求項５】
中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとがネットワークを介して接続され、
前記トレードサーバは、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段と、
買取業者が顧客から買い取った中古品に対応する電子化商品についての電子化商品識別情報を、前記店舗端末装置からネットワークを介して受信し、前記顧客に対して発券番号を付与してこの発券番号を付した発券票の印刷用情報を、前記店舗端末装置へネットワークを介して送信するとともに、受信した前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報を、前記顧客についての会員識別情報とともに、前記店舗端末装置からネットワークを介して受信し、受信した前記電子化商品識別情報を、前記会員識別情報と関連付けて前記顧客購入情報記憶手段に記憶させる処理を実行するトレード価格購入予約受付処理手段と、
前記店舗端末装置からネットワークを介して送信されてくるトレード価格購入予約に係る電子化商品のダウンロード要求信号を、前記発券番号または前記会員識別情報とともに受信し、受信した前記発券番号または前記会員識別情報に関連付けられて前記顧客購入情報記憶手段に記憶されている前記電子化商品識別情報を取得し、取得した前記電子化商品識別情報を、前記マーケット業者が前記買取業者を識別するための買取業者識別情報とともに、前記マーケット業者サーバへネットワークを介して送信した後、前記マーケット業者サーバからネットワークを介して送信されてくる前記電子化商品を前記店舗端末装置へネットワークを介して送信する処理を実行するダウンロード中継処理手段とを備え、
前記マーケット業者サーバは、
電子化商品を、電子化商品識別情報と関連付けて記憶する電子化商品記憶手段と、
電子化商品の新規購入価格よりも安価に定められている、中古品と交換売買する場合の当該電子化商品のトレード価格を、当該電子化商品についての電子化商品識別情報と関連付けて記憶するトレード価格記憶手段と、
買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段と、
前記トレードサーバからネットワークを介して送信されてくるトレード価格購入予約に係る電子化商品のダウンロード要求信号を、前記電子化商品識別情報および前記買取業者識別情報とともに受信し、受信した前記電子化商品識別情報の電子化商品を、前記電子化商品記憶手段から取得し、取得した前記電子化商品を、前記トレードサーバへネットワークを介して送信する処理を実行するダウンロード要求受付処理手段と、
このダウンロード要求受付処理手段により受信した前記電子化商品識別情報に関連付けられて前記トレード価格記憶手段に記憶されたトレード価格購入予約に係る前記電子化商品のトレード価格を取得する処理を実行するトレード価格取得処理手段と、
このトレード価格取得処理手段により取得した前記トレード価格を用いて、前記ダウンロード要求受付処理手段により受信した前記買取業者識別情報に関連付けられて前記決済情報記憶手段に記憶されているダウンロード要求の送信元の買取業者の決済情報に従って、前記買取業者と前記マーケット業者との間の決済処理を実行する決済処理手段とを備えている
ことを特徴とするトレードシステム。
【請求項６】
前記トレードサーバの前記顧客購入情報記憶手段は、
買取業者が顧客から買い取った中古品に対応する電子化商品が存在しない場合には、前記顧客から買い取った前記中古品についての中古品識別情報を、前記顧客に対して発行した電子化商品予約用の予約票の予約番号または前記会員識別情報と関連付けて記憶する構成とされ、
前記トレードサーバの前記トレード価格購入予約受付処理手段は、
買取業者が顧客から買い取った中古品に対応する電子化商品が存在しない場合に、前記顧客から買い取った前記中古品についての中古品識別情報を、前記店舗端末装置からネットワークを介して受信し、前記顧客に対して予約番号を付与してこの予約番号を付した予約票の印刷用情報を、前記店舗端末装置へネットワークを介して送信するとともに、受信した前記中古品識別情報を、前記予約番号と関連付けて前記顧客購入情報記憶手段に記憶させる処理を実行するか、または前記顧客から買い取った前記中古品についての中古品識別情報を、前記会員識別情報とともに、前記店舗端末装置からネットワークを介して受信し、受信した前記中古品識別情報を、前記会員識別情報と関連付けて前記顧客購入情報記憶手段に記憶させる処理を実行する構成とされ、
前記トレードサーバは、
中古品についての中古品識別情報を、この中古品と交換可能な電子化商品についての電子化商品識別情報と関連付けて記憶する商品情報記憶手段と、
中古品に対応する電子化商品が発売されたか否かを監視するために、前記顧客購入情報記憶手段に記憶された中古品識別情報について、前記商品情報記憶手段に同一の中古品識別情報が記憶されているか否かを繰り返し判断し、記憶されている場合には、前記商品情報記憶手段から前記中古品識別情報に対応する電子化商品識別情報を取得する処理を実行する対応商品発売監視処理手段と、
この対応商品発売監視処理手段により取得した前記電子化商品識別情報を、前記予約番号または前記会員識別情報と関連付けて前記顧客購入情報記憶手段に記憶させる処理を実行する発売商品反映処理手段とを備え、
前記トレードサーバの前記ダウンロード中継処理手段は、
前記店舗端末装置からネットワークを介して送信されてくるトレード価格購入予約に係る電子化商品のダウンロード要求信号を、前記予約番号または前記会員識別情報とともに受信し、受信した前記予約番号または前記会員識別情報に関連付けられて前記顧客購入情報記憶手段に記憶されている前記電子化商品識別情報を取得し、取得した前記電子化商品識別情報を、前記買取業者識別情報とともに、前記マーケット業者サーバへネットワークを介して送信した後、前記マーケット業者サーバからネットワークを介して送信されてくる前記電子化商品を前記店舗端末装置へネットワークを介して送信する処理を実行する構成とされている
ことを特徴とする請求項５に記載のトレードシステム。
【請求項７】
中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとがネットワークを介して接続され、
前記トレードサーバは、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段と、
買取業者が顧客から買い取った中古品に対応する電子化商品についての電子化商品識別情報を、前記店舗端末装置からネットワークを介して受信し、前記顧客に対して発券番号を付与してこの発券番号を付した発券票の印刷用情報を、前記店舗端末装置へネットワークを介して送信するとともに、受信した前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報を、前記顧客についての会員識別情報とともに、前記店舗端末装置からネットワークを介して受信し、受信した前記電子化商品識別情報を、前記会員識別情報と関連付けて前記顧客購入情報記憶手段に記憶させる処理を実行するトレード価格購入予約受付処理手段と、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
前記店舗端末装置からネットワークを介して送信されてくるトレード価格購入予約に係るダウンロード要求信号を、前記発券番号または前記会員識別情報とともに受信し、受信した前記発券番号または前記会員識別情報に関連付けられて前記顧客購入情報記憶手段に記憶されている前記電子化商品識別情報を取得し、取得した前記電子化商品識別情報に関連付けられて前記商品情報記憶手段に記憶されている前記トレード価格を取得し、取得した前記電子化商品識別情報および前記トレード価格を、前記マーケット業者が前記買取業者を識別するための買取業者識別情報とともに、前記マーケット業者サーバへネットワークを介して送信した後、前記マーケット業者サーバからネットワークを介して送信されてくる前記電子化商品を前記店舗端末装置へネットワークを介して送信する処理を実行するダウンロード中継処理手段とを備え、
前記マーケット業者サーバは、
電子化商品を、電子化商品識別情報と関連付けて記憶する電子化商品記憶手段と、
買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段と、
前記トレードサーバからネットワークを介して送信されてくるトレード価格購入予約に係る電子化商品のダウンロード要求信号を、前記電子化商品識別情報、前記トレード価格、および前記買取業者識別情報とともに受信し、受信した前記電子化商品識別情報の電子化商品を、前記電子化商品記憶手段から取得し、取得した前記電子化商品を、前記トレードサーバへネットワークを介して送信する処理を実行するダウンロード要求受付処理手段と、
このダウンロード要求受付処理手段により受信した前記トレード価格を用いて、受信した前記買取業者識別情報に関連付けられて前記決済情報記憶手段に記憶されているダウンロード要求の送信元の買取業者の決済情報に従って、前記買取業者と前記マーケット業者との間の決済処理を実行する決済処理手段とを備えている
ことを特徴とするトレードシステム。
【請求項８】
前記トレードサーバの前記顧客購入情報記憶手段は、
買取業者が顧客から買い取った中古品に対応する電子化商品が存在しない場合には、前記顧客から買い取った前記中古品についての中古品識別情報を、前記顧客に対して発行した前記電子化商品予約用の予約票の予約番号または前記会員識別情報と関連付けて記憶する構成とされ、
前記トレードサーバの前記トレード価格購入予約受付処理手段は、
買取業者が顧客から買い取った中古品に対応する電子化商品が存在しない場合に、前記顧客から買い取った前記中古品についての中古品識別情報を、前記店舗端末装置からネットワークを介して受信し、前記顧客に対して予約番号を付与してこの予約番号を付した予約票の印刷用情報を、前記店舗端末装置へネットワークを介して送信するとともに、受信した前記中古品識別情報を、前記予約番号と関連付けて前記顧客購入情報記憶手段に記憶させる処理を実行するか、または前記顧客から買い取った前記中古品についての中古品識別情報を、前記会員識別情報とともに、前記店舗端末装置からネットワークを介して受信し、受信した前記中古品識別情報を、前記会員識別情報と関連付けて前記顧客購入情報記憶手段に記憶させる処理を実行する構成とされ、
前記トレードサーバは、
中古品に対応する電子化商品が発売されたか否かを監視するために、前記顧客購入情報記憶手段に記憶された中古品識別情報について、前記商品情報記憶手段に同一の中古品識別情報が記憶されているか否かを繰り返し判断し、記憶されている場合には、前記商品情報記憶手段から前記中古品識別情報に対応する電子化商品識別情報を取得する処理を実行する対応商品発売監視処理手段と、
この対応商品発売監視処理手段により取得した前記電子化商品識別情報を、前記予約番号または前記会員識別情報と関連付けて前記顧客購入情報記憶手段に記憶させる処理を実行する発売商品反映処理手段とを備え、
前記トレードサーバの前記ダウンロード中継処理手段は、
前記店舗端末装置からネットワークを介して送信されてくるトレード価格購入予約に係る電子化商品のダウンロード要求信号を、前記予約番号または前記会員識別情報とともに受信し、受信した前記予約番号または前記会員識別情報に関連付けられて前記顧客購入情報記憶手段に記憶されている前記電子化商品識別情報を取得し、取得した前記電子化商品識別情報に関連付けられて前記商品情報記憶手段に記憶されている前記トレード価格を取得し、取得した前記電子化商品識別情報および前記トレード価格を、前記買取業者識別情報とともに、前記マーケット業者サーバへネットワークを介して送信した後、前記マーケット業者サーバからネットワークを介して送信されてくる前記電子化商品を前記店舗端末装置へネットワークを介して送信する処理を実行する構成とされている
ことを特徴とする請求項７に記載のトレードシステム。
【請求項９】
前記トレードサーバは、
買取業者の一時的な顧客または会員としての顧客についての電子メールアドレスを含む連絡先の情報を、前記顧客識別情報、前記予約番号、または前記会員識別情報と関連付けて記憶する顧客情報記憶手段と、
前記対応商品発売監視処理手段により前記中古品識別情報に対応する電子化商品識別情報を取得した場合に、前記中古品識別情報に関連付けられて前記顧客購入情報記憶手段に記憶されている前記顧客識別情報、前記予約番号、または前記会員識別情報を用いて、前記顧客情報記憶手段から連絡先の情報を取得し、取得した連絡先へネットワークを介して、対応する電子化商品が発売された旨を通知する処理を実行する通知処理手段とを備えた
ことを特徴とする請求項２，４，６，８のいずれかに記載のトレードシステム。
【請求項１０】
前記トレードサーバは、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
前記店舗端末装置からネットワークを介して送信されてくる検索要求信号を、前記中古品識別情報とともに受信し、受信した前記中古品識別情報に対応する電子化商品識別情報が前記商品情報記憶手段に記憶されているか否かを検索し、前記電子化商品識別情報が記憶されていた場合には、前記電子化商品識別情報および前記トレード価格をネットワークを介して前記店舗端末装置へ送信する処理を実行する検索処理手段とを備えている
ことを特徴とする請求項１〜９のいずれかに記載のトレードシステム。
【請求項１１】
中古品を買い取る買取業者の店舗に設置された店舗端末装置、および電子化商品を販売するマーケット業者が管理するマーケット業者サーバとネットワークを介して接続され、前記店舗端末装置と前記マーケット業者サーバとを仲介して中古品とこの中古品と同内容の電子化商品とを交換売買するトレード処理を実行するコンピュータにより構成されたトレードサーバであって、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
前記店舗端末装置からネットワークを介して送信されてくる検索要求信号を、前記中古品識別情報とともに受信し、受信した前記中古品識別情報に対応する電子化商品識別情報が前記商品情報記憶手段に記憶されているか否かを検索し、前記電子化商品識別情報が記憶されていた場合には、前記電子化商品識別情報および前記トレード価格をネットワークを介して前記店舗端末装置へ送信する処理を実行する検索処理手段と、
買取業者が顧客から買い取った中古品に対応する電子化商品についての電子化商品識別情報を、マーケット業者が顧客を識別するための顧客識別情報とともに、前記店舗端末装置からネットワークを介して受信し、受信した前記電子化商品識別情報を、前記顧客識別情報とともに、前記マーケット業者サーバへ送信する処理を実行するトレード価格購入予約受付処理手段と
を備えていることを特徴とするトレードサーバ。
【請求項１２】
中古品を買い取る買取業者の店舗に設置された店舗端末装置、および電子化商品を販売するマーケット業者が管理するマーケット業者サーバとネットワークを介して接続され、前記店舗端末装置と前記マーケット業者サーバとを仲介して中古品とこの中古品と同内容の電子化商品とを交換売買するトレード処理を実行するコンピュータにより構成されたトレードサーバであって、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
前記店舗端末装置からネットワークを介して送信されてくる検索要求信号を、前記中古品識別情報とともに受信し、受信した前記中古品識別情報に対応する電子化商品識別情報が前記商品情報記憶手段に記憶されているか否かを検索し、前記電子化商品識別情報が記憶されていた場合には、前記電子化商品識別情報および前記トレード価格をネットワークを介して前記店舗端末装置へ送信する処理を実行する検索処理手段と、
買取業者が顧客から買い取った中古品に対応する電子化商品についての電子化商品識別情報を、マーケット業者が顧客を識別するための顧客識別情報とともに、前記店舗端末装置からネットワークを介して受信し、受信した前記電子化商品識別情報に関連付けられて前記商品情報記憶手段に記憶されている前記トレード価格を取得し、前記電子化商品識別情報および前記トレード価格を、前記顧客識別情報とともに、前記マーケット業者サーバへ送信する処理を実行するトレード価格購入予約受付処理手段と
を備えていることを特徴とするトレードサーバ。
【請求項１３】
中古品を買い取る買取業者の店舗に設置された店舗端末装置、および電子化商品を販売するマーケット業者が管理するマーケット業者サーバとネットワークを介して接続され、前記店舗端末装置と前記マーケット業者サーバとを仲介して中古品とこの中古品と同内容の電子化商品とを交換売買するトレード処理を実行するコンピュータにより構成されたトレードサーバであって、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
前記店舗端末装置からネットワークを介して送信されてくる検索要求信号を、前記中古品識別情報とともに受信し、受信した前記中古品識別情報に対応する電子化商品識別情報が前記商品情報記憶手段に記憶されているか否かを検索し、前記電子化商品識別情報が記憶されていた場合には、前記電子化商品識別情報および前記トレード価格をネットワークを介して前記店舗端末装置へ送信する処理を実行する検索処理手段と、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段と、
買取業者が顧客から買い取った中古品に対応する電子化商品についての電子化商品識別情報を、前記店舗端末装置からネットワークを介して受信し、前記顧客に対して発券番号を付与してこの発券番号を付した発券票の印刷用情報を、前記店舗端末装置へネットワークを介して送信するとともに、受信した前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報を、前記顧客についての会員識別情報とともに、前記店舗端末装置からネットワークを介して受信し、受信した前記電子化商品識別情報を、前記会員識別情報と関連付けて前記顧客購入情報記憶手段に記憶させる処理を実行するトレード価格購入予約受付処理手段と、
前記店舗端末装置からネットワークを介して送信されてくるトレード価格購入予約に係る電子化商品のダウンロード要求信号を、前記発券番号または前記会員識別情報とともに受信し、受信した前記発券番号または前記会員識別情報に関連付けられて前記顧客購入情報記憶手段に記憶されている前記電子化商品識別情報を取得し、取得した前記電子化商品識別情報を、前記マーケット業者が前記買取業者を識別するための買取業者識別情報とともに、前記マーケット業者サーバへネットワークを介して送信した後、前記マーケット業者サーバからネットワークを介して送信されてくる前記電子化商品を前記店舗端末装置へネットワークを介して送信する処理を実行するダウンロード中継処理手段と
を備えていることを特徴とするトレードサーバ。
【請求項１４】
中古品を買い取る買取業者の店舗に設置された店舗端末装置、および電子化商品を販売するマーケット業者が管理するマーケット業者サーバとネットワークを介して接続され、前記店舗端末装置と前記マーケット業者サーバとを仲介して中古品とこの中古品と同内容の電子化商品とを交換売買するトレード処理を実行するコンピュータにより構成されたトレードサーバであって、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段と、
前記店舗端末装置からネットワークを介して送信されてくる検索要求信号を、前記中古品識別情報とともに受信し、受信した前記中古品識別情報に対応する電子化商品識別情報が前記商品情報記憶手段に記憶されているか否かを検索し、前記電子化商品識別情報が記憶されていた場合には、前記電子化商品識別情報および前記トレード価格をネットワークを介して前記店舗端末装置へ送信する処理を実行する検索処理手段と、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段と、
買取業者が顧客から買い取った中古品に対応する電子化商品についての電子化商品識別情報を、前記店舗端末装置からネットワークを介して受信し、前記顧客に対して発券番号を付与してこの発券番号を付した発券票の印刷用情報を、前記店舗端末装置へネットワークを介して送信するとともに、受信した前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報を、前記顧客についての会員識別情報とともに、前記店舗端末装置からネットワークを介して受信し、受信した前記電子化商品識別情報を、前記会員識別情報と関連付けて前記顧客購入情報記憶手段に記憶させる処理を実行するトレード価格購入予約受付処理手段と、
前記店舗端末装置からネットワークを介して送信されてくるトレード価格購入予約に係るダウンロード要求信号を、前記発券番号または前記会員識別情報とともに受信し、受信した前記発券番号または前記会員識別情報に関連付けられて前記顧客購入情報記憶手段に記憶されている前記電子化商品識別情報を取得し、取得した前記電子化商品識別情報に関連付けられて前記商品情報記憶手段に記憶されている前記トレード価格を取得し、取得した前記電子化商品識別情報および前記トレード価格を、前記マーケット業者が前記買取業者を識別するための買取業者識別情報とともに、前記マーケット業者サーバへネットワークを介して送信した後、前記マーケット業者サーバからネットワークを介して送信されてくる前記電子化商品を前記店舗端末装置へネットワークを介して送信する処理を実行するダウンロード中継処理手段と
を備えていることを特徴とするトレードサーバ。
【請求項１５】
中古品とこの中古品と同内容の電子化商品とを交換売買するトレード処理を実行するコンピュータにより構成されたトレードシステムで実行されるトレード処理方法であって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとをネットワークで接続するとともに、
前記マーケット業者サーバに、
電子化商品を、電子化商品識別情報と関連付けて記憶する電子化商品記憶手段と、
電子化商品の新規購入価格よりも安価に定められている、中古品と交換売買する場合の当該電子化商品のトレード価格を、当該電子化商品についての電子化商品識別情報と関連付けて記憶するトレード価格記憶手段と、
顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段とを設けておき、
前記トレードサーバのトレード価格購入予約受付処理手段が、
買取業者が顧客から買い取った中古品に対応する電子化商品についての電子化商品識別情報を、マーケット業者が顧客を識別するための顧客識別情報とともに、前記店舗端末装置からネットワークを介して受信し、受信した前記電子化商品識別情報を、前記顧客識別情報とともに、前記マーケット業者サーバへ送信する処理を実行し、
前記マーケット業者サーバのトレード価格購入予約情報登録処理手段が、
前記トレードサーバからネットワークを介して送信されてくる前記電子化商品識別情報を、前記顧客識別情報とともに受信し、受信した前記電子化商品識別情報を、前記顧客識別情報と関連付けてトレード価格購入予約情報記憶手段に記憶させる処理を実行し、
前記マーケット業者サーバのダウンロード要求受付処理手段が、
顧客が操作する顧客端末装置または前記店舗端末装置からネットワークを介して送信されてくるトレード価格購入予約に係る電子化商品のダウンロード要求信号を、前記顧客識別情報とともに受信し、受信した前記顧客識別情報に関連付けられて前記トレード価格購入予約情報記憶手段に記憶されている前記電子化商品識別情報の電子化商品を、前記電子化商品記憶手段から取得し、取得した前記電子化商品を、前記顧客端末装置または前記店舗端末装置へネットワークを介して送信する処理を実行し、
前記マーケット業者サーバのトレード価格取得処理手段が、
前記ダウンロード要求受付処理手段により受信した前記顧客識別情報に関連付けられて前記トレード価格購入予約情報記憶手段に記憶されている前記電子化商品識別情報を用いて、前記トレード価格記憶手段に記憶されたトレード価格購入予約に係る電子化商品のトレード価格を取得する処理を実行し、
前記マーケット業者サーバの決済処理手段が、
前記トレード価格取得処理手段により取得した前記トレード価格を用いて、前記ダウンロード要求受付処理手段により受信した前記顧客識別情報に関連付けられて前記決済情報記憶手段に記憶されているダウンロード要求を行った顧客の決済情報に従って、前記顧客と前記マーケット業者との間の決済処理を実行する
ことを特徴とするトレード処理方法。
【請求項１６】
中古品とこの中古品と同内容の電子化商品とを交換売買するトレード処理を実行するコンピュータにより構成されたトレードシステムで実行されるトレード処理方法であって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとをネットワークで接続するとともに、
前記トレードサーバに、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段を設け、
前記マーケット業者サーバに、
電子化商品を、電子化商品識別情報と関連付けて記憶する電子化商品記憶手段と、
顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段とを設けておき、
前記トレードサーバのトレード価格購入予約受付処理手段が、
買取業者が顧客から買い取った中古品に対応する電子化商品についての電子化商品識別情報を、マーケット業者が顧客を識別するための顧客識別情報とともに、前記店舗端末装置からネットワークを介して受信し、受信した前記電子化商品識別情報に関連付けられて前記商品情報記憶手段に記憶されている前記トレード価格を取得し、前記電子化商品識別情報および前記トレード価格を、前記顧客識別情報とともに、前記マーケット業者サーバへ送信する処理を実行し、
前記マーケット業者サーバのトレード価格購入予約情報登録処理手段が、
前記トレードサーバからネットワークを介して送信されてくる前記電子化商品識別情報および前記トレード価格を、前記顧客識別情報とともに受信し、受信した前記電子化商品識別情報および前記トレード価格を、前記顧客識別情報と関連付けてトレード価格購入予約情報記憶手段に記憶させる処理を実行し、
前記マーケット業者サーバのダウンロード要求受付処理手段が、
顧客が操作する顧客端末装置または前記店舗端末装置からネットワークを介して送信されてくるトレード価格購入予約に係る電子化商品のダウンロード要求信号を、前記顧客識別情報とともに受信し、受信した前記顧客識別情報に関連付けられて前記トレード価格購入予約情報記憶手段に記憶されている前記電子化商品識別情報の電子化商品を、前記電子化商品記憶手段から取得し、取得した前記電子化商品を、前記顧客端末装置または前記店舗端末装置へネットワークを介して送信する処理を実行し、
前記マーケット業者サーバの決済処理手段が、
前記ダウンロード要求受付処理手段により受信した前記顧客識別情報に関連付けられて前記トレード価格購入予約情報記憶手段に記憶されている前記トレード価格を用いて、前記決済情報記憶手段に記憶されているダウンロード要求を行った顧客の決済情報に従って、前記顧客と前記マーケット業者との間の決済処理を実行する
ことを特徴とするトレード処理方法。
【請求項１７】
中古品とこの中古品と同内容の電子化商品とを交換売買するトレード処理を実行するコンピュータにより構成されたトレードシステムで実行されるトレード処理方法であって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとをネットワークで接続するとともに、
前記トレードサーバに、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段を設け、
前記マーケット業者サーバに、
電子化商品を、電子化商品識別情報と関連付けて記憶する電子化商品記憶手段と、
電子化商品の新規購入価格よりも安価に定められている、中古品と交換売買する場合の当該電子化商品のトレード価格を、当該電子化商品についての電子化商品識別情報と関連付けて記憶するトレード価格記憶手段と、
買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段とを設けておき、
前記トレードサーバのトレード価格購入予約受付処理手段が、
買取業者が顧客から買い取った中古品に対応する電子化商品についての電子化商品識別情報を、前記店舗端末装置からネットワークを介して受信し、前記顧客に対して発券番号を付与してこの発券番号を付した発券票の印刷用情報を、前記店舗端末装置へネットワークを介して送信するとともに、受信した前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報を、前記顧客についての会員識別情報とともに、前記店舗端末装置からネットワークを介して受信し、受信した前記電子化商品識別情報を、前記会員識別情報と関連付けて前記顧客購入情報記憶手段に記憶させる処理を実行し、
前記トレードサーバのダウンロード中継処理手段が、
前記店舗端末装置からネットワークを介して送信されてくるトレード価格購入予約に係る電子化商品のダウンロード要求信号を、前記発券番号または前記会員識別情報とともに受信し、受信した前記発券番号または前記会員識別情報に関連付けられて前記顧客購入情報記憶手段に記憶されている前記電子化商品識別情報を取得し、取得した前記電子化商品識別情報を、前記マーケット業者が前記買取業者を識別するための買取業者識別情報とともに、前記マーケット業者サーバへネットワークを介して送信する処理を実行し、
前記マーケット業者サーバのダウンロード要求受付処理手段が、
前記トレードサーバからネットワークを介して送信されてくるトレード価格購入予約に係る電子化商品のダウンロード要求信号を、前記電子化商品識別情報および前記買取業者識別情報とともに受信し、受信した前記電子化商品識別情報の電子化商品を、前記電子化商品記憶手段から取得し、取得した前記電子化商品を、前記トレードサーバへネットワークを介して送信する処理を実行し、
前記トレードサーバのダウンロード中継処理手段が、
前記マーケット業者サーバからネットワークを介して送信されてくる前記電子化商品を前記店舗端末装置へネットワークを介して送信する処理を実行し、
前記マーケット業者サーバのトレード価格取得処理手段が、
前記ダウンロード要求受付処理手段により受信した前記電子化商品識別情報に関連付けられて前記トレード価格記憶手段に記憶されたトレード価格購入予約に係る前記電子化商品のトレード価格を取得する処理を実行し、
前記マーケット業者サーバの決済処理手段が、
前記トレード価格取得処理手段により取得した前記トレード価格を用いて、前記ダウンロード要求受付処理手段により受信した前記買取業者識別情報に関連付けられて前記決済情報記憶手段に記憶されているダウンロード要求の送信元の買取業者の決済情報に従って、前記買取業者と前記マーケット業者との間の決済処理を実行する
ことを特徴とするトレード処理方法。
【請求項１８】
中古品とこの中古品と同内容の電子化商品とを交換売買するトレード処理を実行するコンピュータにより構成されたトレードシステムで実行されるトレード処理方法であって、
中古品を買い取る買取業者の店舗に設置された店舗端末装置と、電子化商品を販売するマーケット業者が管理するマーケット業者サーバと、前記店舗端末装置と前記マーケット業者サーバとを仲介するトレードサーバとをネットワークで接続するとともに、
前記トレードサーバに、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段と、
電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段とを設け、
前記マーケット業者サーバに、
電子化商品を、電子化商品識別情報と関連付けて記憶する電子化商品記憶手段と、
買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段とを設けておき、
前記トレードサーバのトレード価格購入予約受付処理手段が、
買取業者が顧客から買い取った中古品に対応する電子化商品についての電子化商品識別情報を、前記店舗端末装置からネットワークを介して受信し、前記顧客に対して発券番号を付与してこの発券番号を付した発券票の印刷用情報を、前記店舗端末装置へネットワークを介して送信するとともに、受信した前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報を、前記顧客についての会員識別情報とともに、前記店舗端末装置からネットワークを介して受信し、受信した前記電子化商品識別情報を、前記会員識別情報と関連付けて前記顧客購入情報記憶手段に記憶させる処理を実行し、
前記トレードサーバのダウンロード中継処理手段が、
前記店舗端末装置からネットワークを介して送信されてくるトレード価格購入予約に係るダウンロード要求信号を、前記発券番号または前記会員識別情報とともに受信し、受信した前記発券番号または前記会員識別情報に関連付けられて前記顧客購入情報記憶手段に記憶されている前記電子化商品識別情報を取得し、取得した前記電子化商品識別情報に関連付けられて前記商品情報記憶手段に記憶されている前記トレード価格を取得し、取得した前記電子化商品識別情報および前記トレード価格を、前記マーケット業者が前記買取業者を識別するための買取業者識別情報とともに、前記マーケット業者サーバへネットワークを介して送信する処理を実行し、
前記マーケット業者サーバのダウンロード要求受付処理手段が、
前記トレードサーバからネットワークを介して送信されてくるトレード価格購入予約に係る電子化商品のダウンロード要求信号を、前記電子化商品識別情報、前記トレード価格、および前記買取業者識別情報とともに受信し、受信した前記電子化商品識別情報の電子化商品を、前記電子化商品記憶手段から取得し、取得した前記電子化商品を、前記トレードサーバへネットワークを介して送信する処理を実行し、
前記トレードサーバのダウンロード中継処理手段が、
前記マーケット業者サーバからネットワークを介して送信されてくる前記電子化商品を前記店舗端末装置へネットワークを介して送信する処理を実行し、
前記マーケット業者サーバの決済処理手段が、
前記ダウンロード要求受付処理手段により受信した前記トレード価格を用いて、受信した前記買取業者識別情報に関連付けられて前記決済情報記憶手段に記憶されているダウンロード要求の送信元の買取業者の決済情報に従って、前記買取業者と前記マーケット業者との間の決済処理を実行する
ことを特徴とするトレード処理方法。
【請求項１９】
中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバとがネットワークを介して接続され、
前記店舗端末装置は、
買取業者が顧客から買い取った中古品に対応する電子化商品についての電子化商品識別情報の入力を受け付け、受け付けた前記電子化商品識別情報を、マーケット業者が顧客を識別するための顧客識別情報とともに、前記マーケット業者サーバへ送信する処理を実行するトレード価格購入予約受付処理手段を備え、
前記マーケット業者サーバは、
電子化商品を、電子化商品識別情報と関連付けて記憶する電子化商品記憶手段と、
電子化商品の新規購入価格よりも安価に定められている、中古品と交換売買する場合の当該電子化商品のトレード価格を、当該電子化商品についての電子化商品識別情報と関連付けて記憶するトレード価格記憶手段と、
顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段と、
前記店舗端末装置からネットワークを介して送信されてくる前記電子化商品識別情報を、前記顧客識別情報とともに受信し、受信した前記電子化商品識別情報を、前記顧客識別情報と関連付けてトレード価格購入予約情報記憶手段に記憶させる処理を実行するトレード価格購入予約情報登録処理手段と、
顧客が操作する顧客端末装置または前記店舗端末装置からネットワークを介して送信されてくるトレード価格購入予約に係る電子化商品のダウンロード要求信号を、前記顧客識別情報とともに受信し、受信した前記顧客識別情報に関連付けられて前記トレード価格購入予約情報記憶手段に記憶されている前記電子化商品識別情報の電子化商品を、前記電子化商品記憶手段から取得し、取得した前記電子化商品を、前記顧客端末装置または前記店舗端末装置へネットワークを介して送信する処理を実行するダウンロード要求受付処理手段と、
このダウンロード要求受付処理手段により受信した前記顧客識別情報に関連付けられて前記トレード価格購入予約情報記憶手段に記憶されている前記電子化商品識別情報を用いて、前記トレード価格記憶手段に記憶されたトレード価格購入予約に係る電子化商品のトレード価格を取得する処理を実行するトレード価格取得処理手段と、
このトレード価格取得処理手段により取得した前記トレード価格を用いて、前記ダウンロード要求受付処理手段により受信した前記顧客識別情報に関連付けられて前記決済情報記憶手段に記憶されているダウンロード要求を行った顧客の決済情報に従って、前記顧客と前記マーケット業者との間の決済処理を実行する決済処理手段とを備えている
ことを特徴とするトレードシステム。
【請求項２０】
前記店舗端末装置は、
買取業者が顧客から買い取った中古品に対応する電子化商品が存在しない場合に、前記顧客から買い取った前記中古品についての中古品識別情報を、マーケット業者が顧客を識別するための少なくとも１つのマーケット業者用の顧客識別情報と関連付けて記憶する顧客購入情報記憶手段を備え、
前記店舗端末装置の前記トレード価格購入予約受付処理手段は、
買取業者が顧客から買い取った中古品に対応する電子化商品が存在しない場合に、前記顧客から買い取った前記中古品についての中古品識別情報、および少なくとも１つのマーケット業者用の前記顧客識別情報の入力を受け付け、前記マーケット業者サーバへの前記電子化商品識別情報および前記顧客識別情報の送信処理に代えて、前記顧客から買い取った前記中古品についての中古品識別情報を、少なくとも１つのマーケット業者用の前記顧客識別情報と関連付けて前記顧客購入情報記憶手段に記憶させる処理を実行する構成とされ、
前記店舗端末装置は、
中古品についての中古品識別情報を、この中古品と交換可能な電子化商品についての電子化商品識別情報と関連付けて記憶する商品情報記憶手段と、
中古品に対応する電子化商品が発売されたか否かを監視するために、前記顧客購入情報記憶手段に記憶された中古品識別情報について、前記商品情報記憶手段に同一の中古品識別情報が記憶されているか否かを繰り返し判断し、記憶されている場合には、前記商品情報記憶手段から前記中古品識別情報に対応する電子化商品識別情報を取得する処理を実行する対応商品発売監視処理手段と、
この対応商品発売監視処理手段により取得した前記電子化商品識別情報を、対応する前記中古品識別情報に関連付けられて前記顧客購入情報記憶手段に記憶されている前記顧客識別情報のうち中古品に対応する前記電子化商品を発売したマーケット業者用の前記顧客識別情報とともに、中古品に対応する前記電子化商品を発売したマーケット業者の前記マーケット業者サーバへ送信する処理を実行するトレード価格購入予約情報送信処理手段とを備えた
ことを特徴とする請求項１９に記載のトレードシステム。
【請求項２１】
中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバとがネットワークを介して接続され、
前記店舗端末装置は、
買取業者が顧客から買い取った中古品に対応する電子化商品についての電子化商品識別情報を、前記顧客に対して発行した電子化商品引替用の発券票の発券番号または前記買取業者が前記買取業者の会員としての前記顧客を識別するための会員識別情報と関連付けて記憶する顧客購入情報記憶手段と、
買取業者が顧客から買い取った中古品に対応する電子化商品についての電子化商品識別情報の入力を受け付け、前記顧客に対して発券番号を付与してこの発券番号を付した発券票を印刷するとともに、受け付けた前記電子化商品識別情報を、前記発券番号と関連付けて前記顧客購入情報記憶手段に記憶させる処理を実行するか、または買取業者が顧客から買い取った中古品に対応する電子化商品についての電子化商品識別情報の入力を受け付け、受け付けた前記電子化商品識別情報を、前記顧客についての会員識別情報と関連付けて前記顧客購入情報記憶手段に記憶させる処理を実行するトレード価格購入予約受付処理手段と、
ダウンロード要求に係る前記発券番号または前記会員識別情報の入力を受け付け、受け付けた前記発券番号または前記会員識別情報に関連付けられて前記顧客購入情報記憶手段に記憶されている前記電子化商品識別情報を取得し、取得した前記電子化商品識別情報を、前記マーケット業者が前記買取業者を識別するための買取業者識別情報とともに、前記マーケット業者サーバへ送信した後、前記マーケット業者サーバからネットワークを介して送信されてくる前記電子化商品を受信する処理を実行するダウンロード要求送信処理手段とを備え、
前記マーケット業者サーバは、
電子化商品を、電子化商品識別情報と関連付けて記憶する電子化商品記憶手段と、
電子化商品の新規購入価格よりも安価に定められている、中古品と交換売買する場合の当該電子化商品のトレード価格を、当該電子化商品についての電子化商品識別情報と関連付けて記憶するトレード価格記憶手段と、
買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段と、
前記店舗端末装置からネットワークを介して送信されてくるトレード価格購入予約に係る電子化商品のダウンロード要求信号を、前記電子化商品識別情報および前記買取業者識別情報とともに受信し、受信した前記電子化商品識別情報の電子化商品を、前記電子化商品記憶手段から取得し、取得した前記電子化商品を、前記店舗端末装置へネットワークを介して送信する処理を実行するダウンロード要求受付処理手段と、
このダウンロード要求受付処理手段により受信した前記電子化商品識別情報に関連付けられて前記トレード価格記憶手段に記憶されたトレード価格購入予約に係る前記電子化商品のトレード価格を取得する処理を実行するトレード価格取得処理手段と、
このトレード価格取得処理手段により取得した前記トレード価格を用いて、前記ダウンロード要求受付処理手段により受信した前記買取業者識別情報に関連付けられて前記決済情報記憶手段に記憶されているダウンロード要求の送信元の買取業者の決済情報に従って、前記買取業者と前記マーケット業者との間の決済処理を実行する決済処理手段とを備えている
ことを特徴とするトレードシステム。
【請求項２２】
前記店舗端末装置の前記顧客購入情報記憶手段は、
買取業者が顧客から買い取った中古品に対応する電子化商品が存在しない場合には、前記顧客から買い取った前記中古品についての中古品識別情報を、前記顧客に対して発行した電子化商品予約用の予約票の予約番号または前記会員識別情報と関連付けて記憶する構成とされ、
前記店舗端末装置の前記トレード価格購入予約受付処理手段は、
買取業者が顧客から買い取った中古品に対応する電子化商品が存在しない場合に、前記顧客から買い取った前記中古品についての中古品識別情報の入力を受け付け、前記顧客に対して予約番号を付与してこの予約番号を付した予約票を印刷するとともに、受け付けた前記中古品識別情報を、前記予約番号と関連付けて前記顧客購入情報記憶手段に記憶させる処理を実行するか、または前記顧客から買い取った前記中古品についての中古品識別情報の入力を受け付け、受け付けた前記中古品識別情報を、前記会員識別情報と関連付けて前記顧客購入情報記憶手段に記憶させる処理を実行する構成とされ、
前記店舗端末装置は、
中古品についての中古品識別情報を、この中古品と交換可能な電子化商品についての電子化商品識別情報と関連付けて記憶する商品情報記憶手段と、
中古品に対応する電子化商品が発売されたか否かを監視するために、前記顧客購入情報記憶手段に記憶された中古品識別情報について、前記商品情報記憶手段に同一の中古品識別情報が記憶されているか否かを繰り返し判断し、記憶されている場合には、前記商品情報記憶手段から前記中古品識別情報に対応する電子化商品識別情報を取得する処理を実行する対応商品発売監視処理手段と、
この対応商品発売監視処理手段により取得した前記電子化商品識別情報を、前記予約番号または前記会員識別情報と関連付けて前記顧客購入情報記憶手段に記憶させる処理を実行する発売商品反映処理手段とを備え、
前記店舗端末装置の前記ダウンロード要求送信処理手段は、
ダウンロード要求に係る前記予約番号または前記会員識別情報の入力を受け付け、受け付けた前記予約番号または前記会員識別情報に関連付けられて前記顧客購入情報記憶手段に記憶されている前記電子化商品識別情報を取得し、取得した前記電子化商品識別情報を、前記買取業者識別情報とともに、前記マーケット業者サーバへ送信した後、前記マーケット業者サーバからネットワークを介して送信されてくる前記電子化商品を受信する処理を実行する構成とされている
ことを特徴とする請求項２１に記載のトレードシステム。
【請求項２３】
請求項１〜１０，１９〜２２のいずれかに記載のトレードシステムとして、コンピュータを機能させるためのプログラム。
【発明の詳細な説明】
【技術分野】
【０００１】
本発明は、中古品とこの中古品と同内容の電子化商品とを交換売買するトレード処理を実行するコンピュータにより構成されたトレードシステム、トレードサーバ、トレード処理方法、およびプログラムに係り、例えば、古本を売ってそれに対応する電子書籍を買う場合等に利用できる。
【背景技術】
【０００２】
近年、電子ブックリーダの普及に伴って、書籍の電子化が進展している。また、従来からの紙媒体による書籍については、購入して読み終わった後に、保管場所の問題や検索機能の必要性等から、電子化して保管しておきたいという要望が高い。
【０００３】
そして、電子化による保管を実現すべく、既に購入して持っている紙媒体による書籍について、同内容の電子書籍を購入するとなると、現状では、新品の書籍を購入するのと同等の費用がかかることになる。
【０００４】
なお、実際の書籍と電子書籍との関係について言及した文献としては、文章部分と図画部分とからなる書籍を販売する際に、文章部分の書籍を書店で販売し、図画部分の書籍をオンラインで販売するようにして、実際の書籍と電子書籍との住み分けを可能にして、図や絵を含んだ書籍を効率良く販売できるようにするとともに、能率良く読むことができるようにした書籍販売システムについて記載した文献が知られている（特許文献１参照）。
【先行技術文献】
【特許文献】
【０００５】
【特許文献１】特開２００２−３５２０９３号公報
【発明の概要】
【発明が解決しようとする課題】
【０００６】
しかしながら、前述したように、電子化による保管を実現すべく、既に購入して持っている紙媒体による書籍について、同内容の電子書籍を購入するとなると、比較的高い購入費用がかかってしまう。
【０００７】
また、既に購入して持っている紙媒体による書籍を、スキャナを用いて自身で電子化（自炊）するのは、手間や時間がかかり、作業が面倒であるとともに、綺麗に電子化するのが困難である。
【０００８】
本発明の目的は、中古品を保有する顧客が容易かつ安価にその電子化を実現することができるとともに、中古品の市場や電子化商品の市場の活性化を図ることができるトレードシステム、トレードサーバ、トレード処理方法、およびプログラムを提供するところにある。
【課題を解決するための手段】
【０００９】
本発明は、中古品を買取業者に売った顧客が、その中古品に対応する電子化商品を、新規購入価格よりも安いトレード価格で買うことができるシステムを構築して前記目的を達成するものである。このようなシステムは、以下のように、トレードサーバを設けて実現してもよく、トレードサーバを設けずに実現してもよい。
【００１０】
＜＜＜トレードサーバを設ける場合のトレードシステムの発明＞＞＞
【００１１】
＜＜顧客識別情報（マーケット業者が顧客を識別するための情報）を使用して顧客がマーケット業者サーバへアクセスして電子化商品をダウンロードし、顧客とマーケット業者との間で決済を行う場合＞＞
【００１２】
＜マーケット業者サーバにトレード価格が記憶されている場合＞
【００１３】
本発明は、中古品とこの中古品と同内容の電子化商品とを交換売買するトレード処理を実行するコンピュータにより構成されたトレードシステムであって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとがネットワークを介して接続され、トレードサーバは、買取業者が顧客から買い取った中古品に対応する電子化商品についての電子化商品識別情報を、マーケット業者が顧客を識別するための顧客識別情報とともに、店舗端末装置からネットワークを介して受信し、受信した電子化商品識別情報を、顧客識別情報とともに、マーケット業者サーバへ送信する処理を実行するトレード価格購入予約受付処理手段を備え、マーケット業者サーバは、電子化商品を、電子化商品識別情報と関連付けて記憶する電子化商品記憶手段と、電子化商品の新規購入価格よりも安価に定められている、中古品と交換売買する場合の当該電子化商品のトレード価格を、当該電子化商品についての電子化商品識別情報と関連付けて記憶するトレード価格記憶手段と、顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段と、トレードサーバからネットワークを介して送信されてくる電子化商品識別情報を、顧客識別情報とともに受信し、受信した電子化商品識別情報を、顧客識別情報と関連付けてトレード価格購入予約情報記憶手段に記憶させる処理を実行するトレード価格購入予約情報登録処理手段と、顧客が操作する顧客端末装置または店舗端末装置からネットワークを介して送信されてくるトレード価格購入予約に係る電子化商品のダウンロード要求信号を、顧客識別情報とともに受信し、受信した顧客識別情報に関連付けられてトレード価格購入予約情報記憶手段に記憶されている電子化商品識別情報の電子化商品を、電子化商品記憶手段から取得し、取得した電子化商品を、顧客端末装置または店舗端末装置へネットワークを介して送信する処理を実行するダウンロード要求受付処理手段と、このダウンロード要求受付処理手段により受信した顧客識別情報に関連付けられてトレード価格購入予約情報記憶手段に記憶されている電子化商品識別情報を用いて、トレード価格記憶手段に記憶されたトレード価格購入予約に係る電子化商品のトレード価格を取得する処理を実行するトレード価格取得処理手段と、このトレード価格取得処理手段により取得したトレード価格を用いて、ダウンロード要求受付処理手段により受信した顧客識別情報に関連付けられて決済情報記憶手段に記憶されているダウンロード要求を行った顧客の決済情報に従って、顧客とマーケット業者との間の決済処理を実行する決済処理手段とを備えていることを特徴とするものである。
【００１４】
ここで、「中古品」と「電子化商品」との関係は、例えば、古本（紙媒体の書籍）と電子書籍（電子ブックファイル、例えば、PDFやWORD等のデータファイル）との関係、アナログのレコードやアナログの音楽テープとデジタルの音声（音楽）データ（音声ファイル、例えば、MP3、WAV等のデータファイル）との関係、アナログのビデオテープとデジタルの映像データ（映像ファイル、例えば、MPEG、WMV、AVI等のデータファイル）との関係等であり、要するに、「中古品」を買い取る買取業者と、「電子化商品」を販売するマーケット業者とが存在する商品市場であればよい。そして、本発明における「電子化商品」は、通信回線（ネットワーク）を介してダウンロード可能な電子データの状態の商品である。なお、本発明では、新品同様のものでも、一旦、顧客に購入されて顧客の所有物になっているということで、「中古品」としている。以下の発明においても同様である。
【００１５】
また、「中古品とこの中古品と同内容の電子化商品とを交換売買するトレード処理」とあるのは、少なくとも同内容の電子化商品とのトレード処理を実行できるようになっていればよい趣旨であり、中古品と同内容の電子化商品以外に、例えば、中古品と内容が類似する、あるいは関連のある電子化商品等をトレード価格で安価に購入することができるようになっていてもよい。以下の発明においても同様である。
【００１６】
このような本発明のトレードシステム（例えば、後述する図１に示された第１実施形態における図９の流れの場合）においては、顧客にとっては、中古品を売ってトレード価格でその電子化商品を購入することができるシステムが構築されるので、新規購入価格で電子化商品を購入するよりも安価に同じ電子化商品を購入することが可能となる。このため、大きなコストをかけずに、購入済みの中古品について、電子化による保管を実現することが可能となるので、保管場所の確保の問題が解消され、商品検索も容易になるうえ、スキャナを用いて自身で電子化（自炊）するといった手間や時間のかかる作業を行うことなく、綺麗に電子化された状態での商品保管を実現することが可能となる。これらを、以下では、顧客のメリットという。
【００１７】
また、中古品を買い取る買取業者にとっては、顧客が中古品を売ればトレード価格で安価にその電子化商品を購入することができるシステムが構築されるので、自分が保有している中古品を売って電子化しようと考える顧客が増えるため、中古品市場が活性化され、顧客層の拡大に伴う売上げの拡大を図ることが可能となる。つまり、これまで、自分が既に購入して保有している中古品は、一種の財産、あるいは情報源と考えて、それを売ることは考えなかったような顧客が、電子化商品との交換売買という形で、中古品を売ろうと考えるようになり、中古品市場の活性化に繋がる。これらを、以下では、買取業者のメリットという。
【００１８】
さらに、電子化商品を販売するマーケット業者にとっては、顧客が中古品を売ればトレード価格で安価にその電子化商品を購入することができるシステムが構築されるので、既に同じ内容の商品（非電子化商品）を購入して中古品として保有している顧客に対し、電子化商品の購入のインセンティブを付与することができ、新たな顧客層の開拓が実現され、電子化商品市場が活性化される。これらを、以下では、マーケット業者のメリットという。
【００１９】
そして、トレードサーバが設けられているので、このトレードサーバにより、店舗端末装置またはマーケット業者サーバが持つべき機能の一部を担うことが可能となるため、店舗端末装置またはマーケット業者サーバの負荷の軽減や、買取業者またはマーケット業者の設備コストの低減を図ることが可能となる。
【００２０】
また、顧客が、顧客識別情報（マーケット業者が顧客を識別するための情報）を使用してマーケット業者サーバへアクセスし、電子化商品をダウンロードするようになっているので、電子化商品に関する決済は、顧客とマーケット業者との間で行うことが可能となり、買取業者は、顧客との間で、中古品の買取に関する決済を行えばよくなり、買取業者の負担を軽減することが可能となり、これらにより前記目的が達成される。
【００２１】
また、上述したトレードシステムにおいて、トレードサーバは、買取業者が顧客から買い取った中古品に対応する電子化商品が存在しない場合に、顧客から買い取った中古品についての中古品識別情報を、マーケット業者が顧客を識別するための少なくとも１つのマーケット業者用の顧客識別情報と関連付けて記憶する顧客購入情報記憶手段を備え、トレードサーバのトレード価格購入予約受付処理手段は、買取業者が顧客から買い取った中古品に対応する電子化商品が存在しない場合に、顧客から買い取った中古品についての中古品識別情報を、少なくとも１つのマーケット業者用の顧客識別情報とともに、店舗端末装置からネットワークを介して受信し、マーケット業者サーバへの電子化商品識別情報および顧客識別情報の送信処理に代えて、顧客から買い取った中古品についての中古品識別情報を、少なくとも１つのマーケット業者用の顧客識別情報と関連付けて顧客購入情報記憶手段に記憶させる処理を実行する構成とされ、トレードサーバは、中古品についての中古品識別情報を、この中古品と交換可能な電子化商品についての電子化商品識別情報と関連付けて記憶する商品情報記憶手段と、中古品に対応する電子化商品が発売されたか否かを監視するために、顧客購入情報記憶手段に記憶された中古品識別情報について、商品情報記憶手段に同一の中古品識別情報が記憶されているか否かを繰り返し判断し、記憶されている場合には、商品情報記憶手段から中古品識別情報に対応する電子化商品識別情報を取得する処理を実行する対応商品発売監視処理手段と、この対応商品発売監視処理手段により取得した電子化商品識別情報を、対応する中古品識別情報に関連付けられて顧客購入情報記憶手段に記憶されている顧客識別情報のうち中古品に対応する電子化商品を発売したマーケット業者用の顧客識別情報とともに、中古品に対応する電子化商品を発売したマーケット業者のマーケット業者サーバへ送信する処理を実行するトレード価格購入予約情報送信処理手段とを備えていることが望ましい。
【００２２】
このように買取業者が顧客から買い取った中古品に対応する電子化商品が存在しないケースに対応することができる構成とした場合（例えば、後述する図１に示された第１実施形態における図１０の流れの場合）には、買取業者が顧客から中古品を買い取った時点では、中古品に対応する電子化商品が存在しなくても、顧客は、後に対応する電子化商品が発売された段階で、発売された電子化商品をトレード価格で安価に購入することが可能となる。このため、前述した顧客のメリット、買取業者のメリット、およびマーケット業者のメリットが、そのまま得られる。
【００２３】
＜マーケット業者サーバにトレード価格が記憶されておらず、トレードサーバに記憶されている場合＞
【００２４】
本発明は、中古品とこの中古品と同内容の電子化商品とを交換売買するトレード処理を実行するコンピュータにより構成されたトレードシステムであって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとがネットワークを介して接続され、トレードサーバは、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、買取業者が顧客から買い取った中古品に対応する電子化商品についての電子化商品識別情報を、マーケット業者が顧客を識別するための顧客識別情報とともに、店舗端末装置からネットワークを介して受信し、受信した電子化商品識別情報に関連付けられて商品情報記憶手段に記憶されているトレード価格を取得し、電子化商品識別情報およびトレード価格を、顧客識別情報とともに、マーケット業者サーバへ送信する処理を実行するトレード価格購入予約受付処理手段を備え、マーケット業者サーバは、電子化商品を、電子化商品識別情報と関連付けて記憶する電子化商品記憶手段と、顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段と、トレードサーバからネットワークを介して送信されてくる電子化商品識別情報およびトレード価格を、顧客識別情報とともに受信し、受信した電子化商品識別情報およびトレード価格を、顧客識別情報と関連付けてトレード価格購入予約情報記憶手段に記憶させる処理を実行するトレード価格購入予約情報登録処理手段と、顧客が操作する顧客端末装置または店舗端末装置からネットワークを介して送信されてくるトレード価格購入予約に係る電子化商品のダウンロード要求信号を、顧客識別情報とともに受信し、受信した顧客識別情報に関連付けられてトレード価格購入予約情報記憶手段に記憶されている電子化商品識別情報の電子化商品を、電子化商品記憶手段から取得し、取得した電子化商品を、顧客端末装置または店舗端末装置へネットワークを介して送信する処理を実行するダウンロード要求受付処理手段と、このダウンロード要求受付処理手段により受信した顧客識別情報に関連付けられてトレード価格購入予約情報記憶手段に記憶されているトレード価格を用いて、決済情報記憶手段に記憶されているダウンロード要求を行った顧客の決済情報に従って、顧客とマーケット業者との間の決済処理を実行する決済処理手段とを備えていることを特徴とするものである。
【００２５】
このような本発明のトレードシステム（例えば、後述する図１３に示された第２実施形態における図１５の流れの場合）においては、前述した顧客のメリット、買取業者のメリット、およびマーケット業者のメリットが得られる。
【００２６】
また、トレードサーバが設けられているので、このトレードサーバにより、店舗端末装置またはマーケット業者サーバが持つべき機能の一部を担うことが可能となるため、店舗端末装置またはマーケット業者サーバの負荷の軽減や、買取業者またはマーケット業者の設備コストの低減を図ることが可能となる。そして、特に、マーケット業者サーバにトレード価格を記憶させずに、トレードサーバに記憶させるので、本発明を実現するにあたってのマーケット業者サーバの改良を小幅に抑えることが可能となる。
【００２７】
さらに、顧客が、顧客識別情報（マーケット業者が顧客を識別するための情報）を使用してマーケット業者サーバへアクセスし、電子化商品をダウンロードするようになっているので、電子化商品に関する決済は、顧客とマーケット業者との間で行うことが可能となり、買取業者は、顧客との間で、中古品の買取に関する決済を行えばよくなり、買取業者の負担を軽減することが可能となり、これらにより前記目的が達成される。
【００２８】
また、上述したトレードシステムにおいて、トレードサーバは、買取業者が顧客から買い取った中古品に対応する電子化商品が存在しない場合に、顧客から買い取った中古品についての中古品識別情報を、マーケット業者が顧客を識別するための少なくとも１つのマーケット業者用の顧客識別情報と関連付けて記憶する顧客購入情報記憶手段を備え、トレードサーバのトレード価格購入予約受付処理手段は、買取業者が顧客から買い取った中古品に対応する電子化商品が存在しない場合に、顧客から買い取った中古品についての中古品識別情報を、少なくとも１つのマーケット業者用の顧客識別情報とともに、店舗端末装置からネットワークを介して受信し、マーケット業者サーバへの電子化商品識別情報および顧客識別情報の送信処理に代えて、顧客から買い取った中古品についての中古品識別情報を、少なくとも１つのマーケット業者用の顧客識別情報と関連付けて顧客購入情報記憶手段に記憶させる処理を実行する構成とされ、トレードサーバは、中古品に対応する電子化商品が発売されたか否かを監視するために、顧客購入情報記憶手段に記憶された中古品識別情報について、商品情報記憶手段に同一の中古品識別情報が記憶されているか否かを繰り返し判断し、記憶されている場合には、商品情報記憶手段から中古品識別情報に対応する電子化商品識別情報およびトレード価格を取得する処理を実行する対応商品発売監視処理手段と、この対応商品発売監視処理手段により取得した電子化商品識別情報およびトレード価格を、対応する中古品識別情報に関連付けられて顧客購入情報記憶手段に記憶されている顧客識別情報のうち中古品に対応する電子化商品を発売したマーケット業者用の顧客識別情報とともに、中古品に対応する電子化商品を発売したマーケット業者のマーケット業者サーバへ送信する処理を実行するトレード価格購入予約情報送信処理手段とを備えていることが望ましい。
【００２９】
このように買取業者が顧客から買い取った中古品に対応する電子化商品が存在しないケースに対応することができる構成とした場合（例えば、後述する図１３に示された第２実施形態における図１６の流れの場合）には、買取業者が顧客から中古品を買い取った時点では、中古品に対応する電子化商品が存在しなくても、顧客は、後に対応する電子化商品が発売された段階で、発売された電子化商品をトレード価格で安価に購入することが可能となる。このため、前述した顧客のメリット、買取業者のメリット、およびマーケット業者のメリットが、そのまま得られる。
【００３０】
＜＜顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合＞＞
【００３１】
＜マーケット業者サーバにトレード価格が記憶されている場合＞
【００３２】
本発明は、中古品とこの中古品と同内容の電子化商品とを交換売買するトレード処理を実行するコンピュータにより構成されたトレードシステムであって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとがネットワークを介して接続され、トレードサーバは、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段と、買取業者が顧客から買い取った中古品に対応する電子化商品についての電子化商品識別情報を、店舗端末装置からネットワークを介して受信し、顧客に対して発券番号を付与してこの発券番号を付した発券票の印刷用情報を、店舗端末装置へネットワークを介して送信するとともに、受信した電子化商品識別情報を、発券番号と関連付けて顧客購入情報記憶手段に記憶させる処理を実行するか、または買取業者が顧客から買い取った中古品に対応する電子化商品についての電子化商品識別情報を、顧客についての会員識別情報とともに、店舗端末装置からネットワークを介して受信し、受信した電子化商品識別情報を、会員識別情報と関連付けて顧客購入情報記憶手段に記憶させる処理を実行するトレード価格購入予約受付処理手段と、店舗端末装置からネットワークを介して送信されてくるトレード価格購入予約に係る電子化商品のダウンロード要求信号を、発券番号または会員識別情報とともに受信し、受信した発券番号または会員識別情報に関連付けられて顧客購入情報記憶手段に記憶されている電子化商品識別情報を取得し、取得した電子化商品識別情報を、マーケット業者が買取業者を識別するための買取業者識別情報とともに、マーケット業者サーバへネットワークを介して送信した後、マーケット業者サーバからネットワークを介して送信されてくる電子化商品を前記店舗端末装置へネットワークを介して送信する処理を実行するダウンロード中継処理手段とを備え、マーケット業者サーバは、電子化商品を、電子化商品識別情報と関連付けて記憶する電子化商品記憶手段と、電子化商品の新規購入価格よりも安価に定められている、中古品と交換売買する場合の当該電子化商品のトレード価格を、当該電子化商品についての電子化商品識別情報と関連付けて記憶するトレード価格記憶手段と、買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段と、トレードサーバからネットワークを介して送信されてくるトレード価格購入予約に係る電子化商品のダウンロード要求信号を、電子化商品識別情報および買取業者識別情報とともに受信し、受信した電子化商品識別情報の電子化商品を、電子化商品記憶手段から取得し、取得した電子化商品を、トレードサーバへネットワークを介して送信する処理を実行するダウンロード要求受付処理手段と、このダウンロード要求受付処理手段により受信した電子化商品識別情報に関連付けられてトレード価格記憶手段に記憶されたトレード価格購入予約に係る電子化商品のトレード価格を取得する処理を実行するトレード価格取得処理手段と、このトレード価格取得処理手段により取得したトレード価格を用いて、ダウンロード要求受付処理手段により受信した買取業者識別情報に関連付けられて決済情報記憶手段に記憶されているダウンロード要求の送信元の買取業者の決済情報に従って、買取業者とマーケット業者との間の決済処理を実行する決済処理手段とを備えていることを特徴とするものである。
【００３３】
このような本発明のトレードシステム（例えば、後述する図１に示された第１実施形態における図１１の流れの場合）においては、前述した顧客のメリット、買取業者のメリット、およびマーケット業者のメリットが得られる。
【００３４】
また、トレードサーバが設けられているので、このトレードサーバにより、店舗端末装置またはマーケット業者サーバが持つべき機能の一部を担うことが可能となるため、店舗端末装置またはマーケット業者サーバの負荷の軽減や、買取業者またはマーケット業者の設備コストの低減を図ることが可能となる。
【００３５】
さらに、顧客識別情報（マーケット業者が顧客を識別するための情報）を使用せずに、買取業者が顧客の代理購入という形式で買取業者識別情報（マーケット業者が買取業者を識別するための情報）を使用してマーケット業者サーバへアクセスして電子化商品をダウンロードし、買取業者とマーケット業者との間で決済を行うようになっているので、顧客は、自分のパーソナル・コンピュータを持っていなくても、買取業者の店舗に出向くことで、電子化商品をダウンロードすることが可能となる。また、顧客識別情報を持っていない顧客でも、新たにマーケット業者に顧客識別情報を登録することなく、電子化商品をトレード価格で購入することが可能となり、さらに、顧客識別情報を持っているが忘れてしまった顧客や、持っているが使用したくない顧客も、電子化商品をトレード価格で購入することが可能となり、これらにより前記目的が達成される。
【００３６】
また、上述したトレードシステムにおいて、トレードサーバの顧客購入情報記憶手段は、買取業者が顧客から買い取った中古品に対応する電子化商品が存在しない場合には、顧客から買い取った前記中古品についての中古品識別情報を、顧客に対して発行した電子化商品予約用の予約票の予約番号または会員識別情報と関連付けて記憶する構成とされ、トレードサーバのトレード価格購入予約受付処理手段は、買取業者が顧客から買い取った中古品に対応する電子化商品が存在しない場合に、顧客から買い取った中古品についての中古品識別情報を、店舗端末装置からネットワークを介して受信し、顧客に対して予約番号を付与してこの予約番号を付した予約票の印刷用情報を、店舗端末装置へネットワークを介して送信するとともに、受信した中古品識別情報を、予約番号と関連付けて顧客購入情報記憶手段に記憶させる処理を実行するか、または顧客から買い取った中古品についての中古品識別情報を、会員識別情報とともに、店舗端末装置からネットワークを介して受信し、受信した中古品識別情報を、会員識別情報と関連付けて顧客購入情報記憶手段に記憶させる処理を実行する構成とされ、トレードサーバは、中古品についての中古品識別情報を、この中古品と交換可能な電子化商品についての電子化商品識別情報と関連付けて記憶する商品情報記憶手段と、中古品に対応する電子化商品が発売されたか否かを監視するために、顧客購入情報記憶手段に記憶された中古品識別情報について、商品情報記憶手段に同一の中古品識別情報が記憶されているか否かを繰り返し判断し、記憶されている場合には、商品情報記憶手段から中古品識別情報に対応する電子化商品識別情報を取得する処理を実行する対応商品発売監視処理手段と、この対応商品発売監視処理手段により取得した電子化商品識別情報を、予約番号または会員識別情報と関連付けて顧客購入情報記憶手段に記憶させる処理を実行する発売商品反映処理手段とを備え、トレードサーバの前記ダウンロード中継処理手段は、店舗端末装置からネットワークを介して送信されてくるトレード価格購入予約に係る電子化商品のダウンロード要求信号を、予約番号または会員識別情報とともに受信し、受信した予約番号または会員識別情報に関連付けられて顧客購入情報記憶手段に記憶されている電子化商品識別情報を取得し、取得した電子化商品識別情報を、買取業者識別情報とともに、マーケット業者サーバへネットワークを介して送信した後、マーケット業者サーバからネットワークを介して送信されてくる電子化商品を店舗端末装置へネットワークを介して送信する処理を実行する構成とされていることが望ましい。
【００３７】
このように買取業者が顧客から買い取った中古品に対応する電子化商品が存在しないケースに対応することができる構成とした場合（例えば、後述する図１に示された第１実施形態における図１２の流れの場合）には、買取業者が顧客から中古品を買い取った時点では、中古品に対応する電子化商品が存在しなくても、顧客は、後に対応する電子化商品が発売された段階で、発売された電子化商品をトレード価格で安価に購入することが可能となる。このため、前述した顧客のメリット、買取業者のメリット、およびマーケット業者のメリットが、そのまま得られる。
【００３８】
＜マーケット業者サーバにトレード価格が記憶されておらず、トレードサーバに記憶されている場合＞
【００３９】
本発明は、中古品とこの中古品と同内容の電子化商品とを交換売買するトレード処理を実行するコンピュータにより構成されたトレードシステムであって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとがネットワークを介して接続され、トレードサーバは、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段と、買取業者が顧客から買い取った中古品に対応する電子化商品についての電子化商品識別情報を、店舗端末装置からネットワークを介して受信し、顧客に対して発券番号を付与してこの発券番号を付した発券票の印刷用情報を、店舗端末装置へネットワークを介して送信するとともに、受信した電子化商品識別情報を、発券番号と関連付けて顧客購入情報記憶手段に記憶させる処理を実行するか、または買取業者が顧客から買い取った中古品に対応する電子化商品についての電子化商品識別情報を、顧客についての会員識別情報とともに、店舗端末装置からネットワークを介して受信し、受信した電子化商品識別情報を、会員識別情報と関連付けて顧客購入情報記憶手段に記憶させる処理を実行するトレード価格購入予約受付処理手段と、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、店舗端末装置からネットワークを介して送信されてくるトレード価格購入予約に係るダウンロード要求信号を、発券番号または会員識別情報とともに受信し、受信した発券番号または会員識別情報に関連付けられて顧客購入情報記憶手段に記憶されている電子化商品識別情報を取得し、取得した電子化商品識別情報に関連付けられて商品情報記憶手段に記憶されているトレード価格を取得し、取得した電子化商品識別情報およびトレード価格を、マーケット業者が買取業者を識別するための買取業者識別情報とともに、マーケット業者サーバへネットワークを介して送信した後、マーケット業者サーバからネットワークを介して送信されてくる電子化商品を店舗端末装置へネットワークを介して送信する処理を実行するダウンロード中継処理手段とを備え、マーケット業者サーバは、電子化商品を、電子化商品識別情報と関連付けて記憶する電子化商品記憶手段と、買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段と、トレードサーバからネットワークを介して送信されてくるトレード価格購入予約に係る電子化商品のダウンロード要求信号を、電子化商品識別情報、トレード価格、および買取業者識別情報とともに受信し、受信した電子化商品識別情報の電子化商品を、電子化商品記憶手段から取得し、取得した電子化商品を、トレードサーバへネットワークを介して送信する処理を実行するダウンロード要求受付処理手段と、このダウンロード要求受付処理手段により受信したトレード価格を用いて、受信した買取業者識別情報に関連付けられて決済情報記憶手段に記憶されているダウンロード要求の送信元の買取業者の決済情報に従って、買取業者とマーケット業者との間の決済処理を実行する決済処理手段とを備えていることを特徴とするものである。
【００４０】
このような本発明のトレードシステム（例えば、後述する図１３に示された第２実施形態における図１７の流れの場合）においては、前述した顧客のメリット、買取業者のメリット、およびマーケット業者のメリットが得られる。
【００４１】
また、トレードサーバが設けられているので、このトレードサーバにより、店舗端末装置またはマーケット業者サーバが持つべき機能の一部を担うことが可能となるため、店舗端末装置またはマーケット業者サーバの負荷の軽減や、買取業者またはマーケット業者の設備コストの低減を図ることが可能となる。そして、特に、マーケット業者サーバにトレード価格を記憶させずに、トレードサーバに記憶させるので、本発明を実現するにあたってのマーケット業者サーバの改良を小幅に抑えることが可能となる。
【００４２】
さらに、顧客識別情報（マーケット業者が顧客を識別するための情報）を使用せずに、買取業者が顧客の代理購入という形式で買取業者識別情報（マーケット業者が買取業者を識別するための情報）を使用してマーケット業者サーバへアクセスして電子化商品をダウンロードし、買取業者とマーケット業者との間で決済を行うようになっているので、顧客は、自分のパーソナル・コンピュータを持っていなくても、買取業者の店舗に出向くことで、電子化商品をダウンロードすることが可能となる。また、顧客識別情報を持っていない顧客でも、新たにマーケット業者に顧客識別情報を登録することなく、電子化商品をトレード価格で購入することが可能となり、さらに、顧客識別情報を持っているが忘れてしまった顧客や、持っているが使用したくない顧客も、電子化商品をトレード価格で購入することが可能となり、これらにより前記目的が達成される。
【００４３】
また、上述したトレードシステムにおいて、トレードサーバの前記顧客購入情報記憶手段は、買取業者が顧客から買い取った中古品に対応する電子化商品が存在しない場合には、顧客から買い取った中古品についての中古品識別情報を、顧客に対して発行した電子化商品予約用の予約票の予約番号または会員識別情報と関連付けて記憶する構成とされ、トレードサーバのトレード価格購入予約受付処理手段は、買取業者が顧客から買い取った中古品に対応する電子化商品が存在しない場合に、顧客から買い取った中古品についての中古品識別情報を、店舗端末装置からネットワークを介して受信し、顧客に対して予約番号を付与してこの予約番号を付した予約票の印刷用情報を、店舗端末装置へネットワークを介して送信するとともに、受信した中古品識別情報を、予約番号と関連付けて顧客購入情報記憶手段に記憶させる処理を実行するか、または顧客から買い取った中古品についての中古品識別情報を、会員識別情報とともに、店舗端末装置からネットワークを介して受信し、受信した中古品識別情報を、会員識別情報と関連付けて顧客購入情報記憶手段に記憶させる処理を実行する構成とされ、トレードサーバは、中古品に対応する電子化商品が発売されたか否かを監視するために、顧客購入情報記憶手段に記憶された中古品識別情報について、商品情報記憶手段に同一の中古品識別情報が記憶されているか否かを繰り返し判断し、記憶されている場合には、商品情報記憶手段から中古品識別情報に対応する電子化商品識別情報を取得する処理を実行する対応商品発売監視処理手段と、この対応商品発売監視処理手段により取得した電子化商品識別情報を、予約番号または会員識別情報と関連付けて顧客購入情報記憶手段に記憶させる処理を実行する発売商品反映処理手段とを備え、トレードサーバのダウンロード中継処理手段は、店舗端末装置からネットワークを介して送信されてくるトレード価格購入予約に係る電子化商品のダウンロード要求信号を、予約番号または会員識別情報とともに受信し、受信した予約番号または会員識別情報に関連付けられて顧客購入情報記憶手段に記憶されている電子化商品識別情報を取得し、取得した電子化商品識別情報に関連付けられて商品情報記憶手段に記憶されているトレード価格を取得し、取得した電子化商品識別情報およびトレード価格を、買取業者識別情報とともに、マーケット業者サーバへネットワークを介して送信した後、マーケット業者サーバからネットワークを介して送信されてくる電子化商品を店舗端末装置へネットワークを介して送信する処理を実行する構成とされていることが望ましい。
【００４４】
このように買取業者が顧客から買い取った中古品に対応する電子化商品が存在しないケースに対応することができる構成とした場合（例えば、後述する図１３に示された第２実施形態における図１８の流れの場合）には、買取業者が顧客から中古品を買い取った時点では、中古品に対応する電子化商品が存在しなくても、顧客は、後に対応する電子化商品が発売された段階で、発売された電子化商品をトレード価格で安価に購入することが可能となる。このため、前述した顧客のメリット、買取業者のメリット、およびマーケット業者のメリットが、そのまま得られる。
【００４５】
＜＜共通事項＞＞
【００４６】
また、以上に述べたトレードシステムのうち、買取業者が顧客から買い取った中古品に対応する電子化商品が存在しないケースに対応することができる構成とした場合（例えば、後述する図１に示された第１実施形態における図１０の流れの場合、後述する図１３に示された第２実施形態における図１６の流れの場合、後述する図１に示された第１実施形態における図１２の流れの場合、後述する図１３に示された第２実施形態における図１８の流れの場合）において、トレードサーバは、買取業者の一時的な顧客または会員としての顧客についての電子メールアドレスを含む連絡先の情報を、顧客識別情報、予約番号、または会員識別情報と関連付けて記憶する顧客情報記憶手段と、対応商品発売監視処理手段により中古品識別情報に対応する電子化商品識別情報を取得した場合に、中古品識別情報に関連付けられて顧客購入情報記憶手段に記憶されている顧客識別情報、予約番号、または会員識別情報を用いて、顧客情報記憶手段から連絡先の情報を取得し、取得した連絡先へネットワークを介して、対応する電子化商品が発売された旨を通知する処理を実行する通知処理手段とを備えていることが望ましい。
【００４７】
このように通知処理手段を備えた構成とした場合には、買取業者が顧客から中古品を買い取った時点では、中古品に対応する電子化商品が存在しなかったときに、後に対応する電子化商品が発売された段階で、その旨を顧客に早期に伝達することが可能となるので、電子化商品のダウンロードを早期に行うことが可能となる。
【００４８】
さらに、以上に述べたトレードシステムにおいて、トレードサーバは、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、店舗端末装置からネットワークを介して送信されてくる検索要求信号を、中古品識別情報とともに受信し、受信した中古品識別情報に対応する電子化商品識別情報が前記商品情報記憶手段に記憶されているか否かを検索し、電子化商品識別情報が記憶されていた場合には、電子化商品識別情報およびトレード価格をネットワークを介して店舗端末装置へ送信する処理を実行する検索処理手段とを備えていることが望ましい。
【００４９】
このように検索処理手段を備えた構成とした場合には、買取業者は、店舗端末装置で、顧客から買い取った中古品に対応する電子化商品の有無やトレード価格を、容易に確認することが可能となり、買取業者の手間の軽減が図られる。
【００５０】
＜＜＜トレードサーバの発明＞＞＞
【００５１】
以上に述べたトレードシステムを構成するトレードサーバとして、以下のような本発明のトレードサーバが挙げられる。これらのトレードサーバの作用・効果は、前述したトレードシステムの説明で述べた通りである。
【００５２】
＜＜顧客識別情報（マーケット業者が顧客を識別するための情報）を使用して顧客がマーケット業者サーバへアクセスして電子化商品をダウンロードし、顧客とマーケット業者との間で決済を行う場合＞＞
【００５３】
＜マーケット業者サーバにトレード価格が記憶されている場合＞
【００５４】
本発明は、中古品を買い取る買取業者の店舗に設置された店舗端末装置、および電子化商品を販売するマーケット業者が管理するマーケット業者サーバとネットワークを介して接続され、店舗端末装置とマーケット業者サーバとを仲介して中古品とこの中古品と同内容の電子化商品とを交換売買するトレード処理を実行するコンピュータにより構成されたトレードサーバであって、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、店舗端末装置からネットワークを介して送信されてくる検索要求信号を、中古品識別情報とともに受信し、受信した中古品識別情報に対応する電子化商品識別情報が商品情報記憶手段に記憶されているか否かを検索し、電子化商品識別情報が記憶されていた場合には、電子化商品識別情報およびトレード価格をネットワークを介して店舗端末装置へ送信する処理を実行する検索処理手段と、買取業者が顧客から買い取った中古品に対応する電子化商品についての電子化商品識別情報を、マーケット業者が顧客を識別するための顧客識別情報とともに、店舗端末装置からネットワークを介して受信し、受信した電子化商品識別情報を、顧客識別情報とともに、マーケット業者サーバへ送信する処理を実行するトレード価格購入予約受付処理手段とを備えていることを特徴とするものである。
【００５５】
＜マーケット業者サーバにトレード価格が記憶されておらず、トレードサーバに記憶されている場合＞
【００５６】
また、本発明は、中古品を買い取る買取業者の店舗に設置された店舗端末装置、および電子化商品を販売するマーケット業者が管理するマーケット業者サーバとネットワークを介して接続され、店舗端末装置とマーケット業者サーバとを仲介して中古品とこの中古品と同内容の電子化商品とを交換売買するトレード処理を実行するコンピュータにより構成されたトレードサーバであって、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、店舗端末装置からネットワークを介して送信されてくる検索要求信号を、中古品識別情報とともに受信し、受信した中古品識別情報に対応する電子化商品識別情報が商品情報記憶手段に記憶されているか否かを検索し、電子化商品識別情報が記憶されていた場合には、電子化商品識別情報およびトレード価格をネットワークを介して店舗端末装置へ送信する処理を実行する検索処理手段と、買取業者が顧客から買い取った中古品に対応する電子化商品についての電子化商品識別情報を、マーケット業者が顧客を識別するための顧客識別情報とともに、店舗端末装置からネットワークを介して受信し、受信した電子化商品識別情報に関連付けられて商品情報記憶手段に記憶されているトレード価格を取得し、電子化商品識別情報およびトレード価格を、顧客識別情報とともに、マーケット業者サーバへ送信する処理を実行するトレード価格購入予約受付処理手段とを備えていることを特徴とするものである。
【００５７】
＜＜顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合＞＞
【００５８】
＜マーケット業者サーバにトレード価格が記憶されている場合＞
【００５９】
さらに、本発明は、中古品を買い取る買取業者の店舗に設置された店舗端末装置、および電子化商品を販売するマーケット業者が管理するマーケット業者サーバとネットワークを介して接続され、店舗端末装置とマーケット業者サーバとを仲介して中古品とこの中古品と同内容の電子化商品とを交換売買するトレード処理を実行するコンピュータにより構成されたトレードサーバであって、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、店舗端末装置からネットワークを介して送信されてくる検索要求信号を、中古品識別情報とともに受信し、受信した中古品識別情報に対応する電子化商品識別情報が商品情報記憶手段に記憶されているか否かを検索し、電子化商品識別情報が記憶されていた場合には、電子化商品識別情報およびトレード価格をネットワークを介して店舗端末装置へ送信する処理を実行する検索処理手段と、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段と、買取業者が顧客から買い取った中古品に対応する電子化商品についての電子化商品識別情報を、店舗端末装置からネットワークを介して受信し、顧客に対して発券番号を付与してこの発券番号を付した発券票の印刷用情報を、店舗端末装置へネットワークを介して送信するとともに、受信した電子化商品識別情報を、発券番号と関連付けて顧客購入情報記憶手段に記憶させる処理を実行するか、または買取業者が顧客から買い取った中古品に対応する電子化商品についての電子化商品識別情報を、顧客についての会員識別情報とともに、店舗端末装置からネットワークを介して受信し、受信した電子化商品識別情報を、会員識別情報と関連付けて顧客購入情報記憶手段に記憶させる処理を実行するトレード価格購入予約受付処理手段と、店舗端末装置からネットワークを介して送信されてくるトレード価格購入予約に係る電子化商品のダウンロード要求信号を、発券番号または会員識別情報とともに受信し、受信した発券番号または会員識別情報に関連付けられて顧客購入情報記憶手段に記憶されている電子化商品識別情報を取得し、取得した電子化商品識別情報を、マーケット業者が買取業者を識別するための買取業者識別情報とともに、マーケット業者サーバへネットワークを介して送信した後、マーケット業者サーバからネットワークを介して送信されてくる電子化商品を店舗端末装置へネットワークを介して送信する処理を実行するダウンロード中継処理手段とを備えていることを特徴とするものである。
【００６０】
＜マーケット業者サーバにトレード価格が記憶されておらず、トレードサーバに記憶されている場合＞
【００６１】
また、本発明は、中古品を買い取る買取業者の店舗に設置された店舗端末装置、および電子化商品を販売するマーケット業者が管理するマーケット業者サーバとネットワークを介して接続され、店舗端末装置とマーケット業者サーバとを仲介して中古品とこの中古品と同内容の電子化商品とを交換売買するトレード処理を実行するコンピュータにより構成されたトレードサーバであって、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段と、店舗端末装置からネットワークを介して送信されてくる検索要求信号を、中古品識別情報とともに受信し、受信した中古品識別情報に対応する電子化商品識別情報が商品情報記憶手段に記憶されているか否かを検索し、電子化商品識別情報が記憶されていた場合には、電子化商品識別情報およびトレード価格をネットワークを介して店舗端末装置へ送信する処理を実行する検索処理手段と、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段と、買取業者が顧客から買い取った中古品に対応する電子化商品についての電子化商品識別情報を、店舗端末装置からネットワークを介して受信し、顧客に対して発券番号を付与してこの発券番号を付した発券票の印刷用情報を、店舗端末装置へネットワークを介して送信するとともに、受信した電子化商品識別情報を、発券番号と関連付けて顧客購入情報記憶手段に記憶させる処理を実行するか、または買取業者が顧客から買い取った中古品に対応する電子化商品についての電子化商品識別情報を、顧客についての会員識別情報とともに、店舗端末装置からネットワークを介して受信し、受信した電子化商品識別情報を、会員識別情報と関連付けて顧客購入情報記憶手段に記憶させる処理を実行するトレード価格購入予約受付処理手段と、店舗端末装置からネットワークを介して送信されてくるトレード価格購入予約に係るダウンロード要求信号を、発券番号または会員識別情報とともに受信し、受信した発券番号または会員識別情報に関連付けられて顧客購入情報記憶手段に記憶されている電子化商品識別情報を取得し、取得した電子化商品識別情報に関連付けられて商品情報記憶手段に記憶されているトレード価格を取得し、取得した電子化商品識別情報およびトレード価格を、マーケット業者が買取業者を識別するための買取業者識別情報とともに、マーケット業者サーバへネットワークを介して送信した後、マーケット業者サーバからネットワークを介して送信されてくる電子化商品を店舗端末装置へネットワークを介して送信する処理を実行するダウンロード中継処理手段とを備えていることを特徴とするものである。
【００６２】
＜＜＜トレードサーバを設ける場合のトレード処理方法の発明＞＞＞
【００６３】
また、前述した本発明のトレードシステムにより実現されるトレード処理方法として、以下のような本発明のトレード処理方法が挙げられる。これらのトレード処理方法においては、前述した本発明のトレードシステムで得られる作用・効果がそのまま得られ、これにより前記目的が達成される。
【００６４】
＜＜顧客識別情報（マーケット業者が顧客を識別するための情報）を使用して顧客がマーケット業者サーバへアクセスして電子化商品をダウンロードし、顧客とマーケット業者との間で決済を行う場合＞＞
【００６５】
＜マーケット業者サーバにトレード価格が記憶されている場合＞
【００６６】
本発明は、中古品とこの中古品と同内容の電子化商品とを交換売買するトレード処理を実行するコンピュータにより構成されたトレードシステムで実行されるトレード処理方法であって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとをネットワークで接続するとともに、マーケット業者サーバに、電子化商品を、電子化商品識別情報と関連付けて記憶する電子化商品記憶手段と、電子化商品の新規購入価格よりも安価に定められている、中古品と交換売買する場合の当該電子化商品のトレード価格を、当該電子化商品についての電子化商品識別情報と関連付けて記憶するトレード価格記憶手段と、顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段とを設けておき、トレードサーバのトレード価格購入予約受付処理手段が、買取業者が顧客から買い取った中古品に対応する電子化商品についての電子化商品識別情報を、マーケット業者が顧客を識別するための顧客識別情報とともに、店舗端末装置からネットワークを介して受信し、受信した電子化商品識別情報を、顧客識別情報とともに、マーケット業者サーバへ送信する処理を実行し、マーケット業者サーバのトレード価格購入予約情報登録処理手段が、トレードサーバからネットワークを介して送信されてくる電子化商品識別情報を、顧客識別情報とともに受信し、受信した電子化商品識別情報を、顧客識別情報と関連付けてトレード価格購入予約情報記憶手段に記憶させる処理を実行し、マーケット業者サーバのダウンロード要求受付処理手段が、顧客が操作する顧客端末装置または店舗端末装置からネットワークを介して送信されてくるトレード価格購入予約に係る電子化商品のダウンロード要求信号を、顧客識別情報とともに受信し、受信した顧客識別情報に関連付けられてトレード価格購入予約情報記憶手段に記憶されている電子化商品識別情報の電子化商品を、電子化商品記憶手段から取得し、取得した電子化商品を、顧客端末装置または店舗端末装置へネットワークを介して送信する処理を実行し、マーケット業者サーバのトレード価格取得処理手段が、ダウンロード要求受付処理手段により受信した顧客識別情報に関連付けられてトレード価格購入予約情報記憶手段に記憶されている電子化商品識別情報を用いて、トレード価格記憶手段に記憶されたトレード価格購入予約に係る電子化商品のトレード価格を取得する処理を実行し、マーケット業者サーバの決済処理手段が、トレード価格取得処理手段により取得したトレード価格を用いて、ダウンロード要求受付処理手段により受信した顧客識別情報に関連付けられて決済情報記憶手段に記憶されているダウンロード要求を行った顧客の決済情報に従って、顧客とマーケット業者との間の決済処理を実行することを特徴とするものである。
【００６７】
＜マーケット業者サーバにトレード価格が記憶されておらず、トレードサーバに記憶されている場合＞
【００６８】
また、本発明は、中古品とこの中古品と同内容の電子化商品とを交換売買するトレード処理を実行するコンピュータにより構成されたトレードシステムで実行されるトレード処理方法であって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとをネットワークで接続するとともに、トレードサーバに、電子化商品の新規購入価格よりも安価に定められている、中古品と交換売買する場合の当該電子化商品のトレード価格を、当該電子化商品についての電子化商品識別情報および中古品についての中古品識別情報と関連付けて記憶する商品情報記憶手段を設け、マーケット業者サーバに、電子化商品を、電子化商品識別情報と関連付けて記憶する電子化商品記憶手段と、顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段とを設けておき、トレードサーバのトレード価格購入予約受付処理手段が、買取業者が顧客から買い取った中古品に対応する電子化商品についての電子化商品識別情報を、マーケット業者が顧客を識別するための顧客識別情報とともに、前記店舗端末装置からネットワークを介して受信し、受信した電子化商品識別情報に関連付けられて商品情報記憶手段に記憶されているトレード価格を取得し、電子化商品識別情報およびトレード価格を、顧客識別情報とともに、マーケット業者サーバへ送信する処理を実行し、マーケット業者サーバのトレード価格購入予約情報登録処理手段が、トレードサーバからネットワークを介して送信されてくる電子化商品識別情報およびトレード価格を、顧客識別情報とともに受信し、受信した電子化商品識別情報およびトレード価格を、顧客識別情報と関連付けてトレード価格購入予約情報記憶手段に記憶させる処理を実行し、マーケット業者サーバのダウンロード要求受付処理手段が、顧客が操作する顧客端末装置または店舗端末装置からネットワークを介して送信されてくるトレード価格購入予約に係る電子化商品のダウンロード要求信号を、顧客識別情報とともに受信し、受信した顧客識別情報に関連付けられてトレード価格購入予約情報記憶手段に記憶されている電子化商品識別情報の電子化商品を、電子化商品記憶手段から取得し、取得した電子化商品を、顧客端末装置または店舗端末装置へネットワークを介して送信する処理を実行し、マーケット業者サーバの決済処理手段が、ダウンロード要求受付処理手段により受信した顧客識別情報に関連付けられてトレード価格購入予約情報記憶手段に記憶されているトレード価格を用いて、決済情報記憶手段に記憶されているダウンロード要求を行った顧客の決済情報に従って、顧客とマーケット業者との間の決済処理を実行することを特徴とするものである。
【００６９】
＜＜顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合＞＞
【００７０】
＜マーケット業者サーバにトレード価格が記憶されている場合＞
【００７１】
さらに、本発明は、中古品とこの中古品と同内容の電子化商品とを交換売買するトレード処理を実行するコンピュータにより構成されたトレードシステムで実行されるトレード処理方法であって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとをネットワークで接続するとともに、トレードサーバに、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段を設け、マーケット業者サーバに、電子化商品を、電子化商品識別情報と関連付けて記憶する電子化商品記憶手段と、電子化商品の新規購入価格よりも安価に定められている、中古品と交換売買する場合の当該電子化商品のトレード価格を、当該電子化商品についての電子化商品識別情報と関連付けて記憶するトレード価格記憶手段と、買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段とを設けておき、トレードサーバのトレード価格購入予約受付処理手段が、買取業者が顧客から買い取った中古品に対応する電子化商品についての電子化商品識別情報を、店舗端末装置からネットワークを介して受信し、顧客に対して発券番号を付与してこの発券番号を付した発券票の印刷用情報を、店舗端末装置へネットワークを介して送信するとともに、受信した電子化商品識別情報を、発券番号と関連付けて顧客購入情報記憶手段に記憶させる処理を実行するか、または買取業者が顧客から買い取った中古品に対応する電子化商品についての電子化商品識別情報を、顧客についての会員識別情報とともに、店舗端末装置からネットワークを介して受信し、受信した電子化商品識別情報を、会員識別情報と関連付けて顧客購入情報記憶手段に記憶させる処理を実行し、トレードサーバのダウンロード中継処理手段が、店舗端末装置からネットワークを介して送信されてくるトレード価格購入予約に係る電子化商品のダウンロード要求信号を、発券番号または会員識別情報とともに受信し、受信した発券番号または会員識別情報に関連付けられて顧客購入情報記憶手段に記憶されている電子化商品識別情報を取得し、取得した電子化商品識別情報を、マーケット業者が買取業者を識別するための買取業者識別情報とともに、マーケット業者サーバへネットワークを介して送信する処理を実行し、マーケット業者サーバのダウンロード要求受付処理手段が、トレードサーバからネットワークを介して送信されてくるトレード価格購入予約に係る電子化商品のダウンロード要求信号を、電子化商品識別情報および買取業者識別情報とともに受信し、受信した電子化商品識別情報の電子化商品を、電子化商品記憶手段から取得し、取得した電子化商品を、トレードサーバへネットワークを介して送信する処理を実行し、トレードサーバのダウンロード中継処理手段が、マーケット業者サーバからネットワークを介して送信されてくる電子化商品を店舗端末装置へネットワークを介して送信する処理を実行し、マーケット業者サーバのトレード価格取得処理手段が、ダウンロード要求受付処理手段により受信した電子化商品識別情報に関連付けられてトレード価格記憶手段に記憶されたトレード価格購入予約に係る電子化商品のトレード価格を取得する処理を実行し、マーケット業者サーバの決済処理手段が、トレード価格取得処理手段により取得したトレード価格を用いて、ダウンロード要求受付処理手段により受信した買取業者識別情報に関連付けられて決済情報記憶手段に記憶されているダウンロード要求の送信元の買取業者の決済情報に従って、買取業者とマーケット業者との間の決済処理を実行することを特徴とするものである。
【００７２】
＜マーケット業者サーバにトレード価格が記憶されておらず、トレードサーバに記憶されている場合＞
【００７３】
そして、本発明は、中古品とこの中古品と同内容の電子化商品とを交換売買するトレード処理を実行するコンピュータにより構成されたトレードシステムで実行されるトレード処理方法であって、中古品を買い取る買取業者の店舗に設置された店舗端末装置と、電子化商品を販売するマーケット業者が管理するマーケット業者サーバと、店舗端末装置とマーケット業者サーバとを仲介するトレードサーバとをネットワークで接続するとともに、トレードサーバに、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段と、電子化商品の新規購入価格よりも安価に定められている、中古品と交換売買する場合の当該電子化商品のトレード価格を、当該電子化商品についての電子化商品識別情報および前記中古品についての中古品識別情報と関連付けて記憶する商品情報記憶手段とを設け、マーケット業者サーバに、電子化商品を、電子化商品識別情報と関連付けて記憶する電子化商品記憶手段と、買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段とを設けておき、トレードサーバのトレード価格購入予約受付処理手段が、買取業者が顧客から買い取った中古品に対応する電子化商品についての電子化商品識別情報を、店舗端末装置からネットワークを介して受信し、顧客に対して発券番号を付与してこの発券番号を付した発券票の印刷用情報を、店舗端末装置へネットワークを介して送信するとともに、受信した電子化商品識別情報を、発券番号と関連付けて顧客購入情報記憶手段に記憶させる処理を実行するか、または買取業者が顧客から買い取った中古品に対応する電子化商品についての電子化商品識別情報を、顧客についての会員識別情報とともに、店舗端末装置からネットワークを介して受信し、受信した電子化商品識別情報を、会員識別情報と関連付けて顧客購入情報記憶手段に記憶させる処理を実行し、トレードサーバのダウンロード中継処理手段が、店舗端末装置からネットワークを介して送信されてくるトレード価格購入予約に係るダウンロード要求信号を、発券番号または会員識別情報とともに受信し、受信した発券番号または会員識別情報に関連付けられて顧客購入情報記憶手段に記憶されている電子化商品識別情報を取得し、取得した電子化商品識別情報に関連付けられて商品情報記憶手段に記憶されているトレード価格を取得し、取得した電子化商品識別情報およびトレード価格を、マーケット業者が買取業者を識別するための買取業者識別情報とともに、マーケット業者サーバへネットワークを介して送信する処理を実行し、マーケット業者サーバのダウンロード要求受付処理手段が、トレードサーバからネットワークを介して送信されてくるトレード価格購入予約に係る電子化商品のダウンロード要求信号を、電子化商品識別情報、トレード価格、および買取業者識別情報とともに受信し、受信した電子化商品識別情報の電子化商品を、電子化商品記憶手段から取得し、取得した電子化商品を、トレードサーバへネットワークを介して送信する処理を実行し、トレードサーバのダウンロード中継処理手段が、マーケット業者サーバからネットワークを介して送信されてくる電子化商品を店舗端末装置へネットワークを介して送信する処理を実行し、マーケット業者サーバの決済処理手段が、ダウンロード要求受付処理手段により受信したトレード価格を用いて、受信した買取業者識別情報に関連付けられて決済情報記憶手段に記憶されているダウンロード要求の送信元の買取業者の決済情報に従って、買取業者とマーケット業者との間の決済処理を実行することを特徴とするものである。
【００７４】
＜＜＜トレードサーバを設けない場合のトレードシステムの発明＞＞＞
【００７５】
＜＜顧客識別情報（マーケット業者が顧客を識別するための情報）を使用して顧客がマーケット業者サーバへアクセスして電子化商品をダウンロードし、顧客とマーケット業者との間で決済を行う場合＞＞
【００７６】
＜マーケット業者サーバにトレード価格が記憶されている場合＞
【００７７】
本発明は、中古品とこの中古品と同内容の電子化商品とを交換売買するトレード処理を実行するコンピュータにより構成されたトレードシステムであって、
中古品を買い取る買取業者の店舗に設置された店舗端末装置と、電子化商品を販売するマーケット業者が管理するマーケット業者サーバとがネットワークを介して接続され、店舗端末装置は、買取業者が顧客から買い取った中古品に対応する電子化商品についての電子化商品識別情報の入力を受け付け、受け付けた電子化商品識別情報を、マーケット業者が顧客を識別するための顧客識別情報とともに、マーケット業者サーバへ送信する処理を実行するトレード価格購入予約受付処理手段を備え、マーケット業者サーバは、電子化商品を、電子化商品識別情報と関連付けて記憶する電子化商品記憶手段と、電子化商品の新規購入価格よりも安価に定められている、中古品と交換売買する場合の当該電子化商品のトレード価格を、当該電子化商品についての電子化商品識別情報と関連付けて記憶するトレード価格記憶手段と、顧客により予め指定されている当該顧客の決済用の金融機関の口座情報、クレジットカード情報、またはこれらに類する当該顧客の決済情報を、当該顧客についての顧客識別情報と関連付けて記憶する決済情報記憶手段と、店舗端末装置からネットワークを介して送信されてくる電子化商品識別情報を、顧客識別情報とともに受信し、受信した電子化商品識別情報を、顧客識別情報と関連付けてトレード価格購入予約情報記憶手段に記憶させる処理を実行するトレード価格購入予約情報登録処理手段と、顧客が操作する顧客端末装置または店舗端末装置からネットワークを介して送信されてくるトレード価格購入予約に係る電子化商品のダウンロード要求信号を、顧客識別情報とともに受信し、受信した顧客識別情報に関連付けられてトレード価格購入予約情報記憶手段に記憶されている電子化商品識別情報の電子化商品を、電子化商品記憶手段から取得し、取得した電子化商品を、顧客端末装置または店舗端末装置へネットワークを介して送信する処理を実行するダウンロード要求受付処理手段と、このダウンロード要求受付処理手段により受信した顧客識別情報に関連付けられてトレード価格購入予約情報記憶手段に記憶されている電子化商品識別情報を用いて、トレード価格記憶手段に記憶されたトレード価格購入予約に係る電子化商品のトレード価格を取得する処理を実行するトレード価格取得処理手段と、このトレード価格取得処理手段により取得したトレード価格を用いて、ダウンロード要求受付処理手段により受信した顧客識別情報に関連付けられて決済情報記憶手段に記憶されているダウンロード要求を行った顧客の決済情報に従って、顧客とマーケット業者との間の決済処理を実行する決済処理手段とを備えていることを特徴とするものである。
【００７８】
このような本発明のトレードシステム（例えば、後述する図１９に示された第３実施形態における図２０の流れの場合）においては、前述した顧客のメリット、買取業者のメリット、およびマーケット業者のメリットが得られる。
【００７９】
また、顧客が、顧客識別情報（マーケット業者が顧客を識別するための情報）を使用してマーケット業者サーバへアクセスし、電子化商品をダウンロードするようになっているので、電子化商品に関する決済は、顧客とマーケット業者との間で行うことが可能となり、買取業者は、顧客との間で、中古品の買取に関する決済を行えばよくなり、買取業者の負担を軽減することが可能となり、これらにより前記目的が達成される。
【００８０】
また、上述したトレードシステムにおいて、店舗端末装置は、買取業者が顧客から買い取った中古品に対応する電子化商品が存在しない場合に、顧客から買い取った前記中古品についての中古品識別情報を、マーケット業者が顧客を識別するための少なくとも１つのマーケット業者用の顧客識別情報と関連付けて記憶する顧客購入情報記憶手段を備え、店舗端末装置のトレード価格購入予約受付処理手段は、買取業者が顧客から買い取った中古品に対応する電子化商品が存在しない場合に、顧客から買い取った中古品についての中古品識別情報、および少なくとも１つのマーケット業者用の顧客識別情報の入力を受け付け、マーケット業者サーバへの電子化商品識別情報および顧客識別情報の送信処理に代えて、顧客から買い取った中古品についての中古品識別情報を、少なくとも１つのマーケット業者用の顧客識別情報と関連付けて顧客購入情報記憶手段に記憶させる処理を実行する構成とされ、店舗端末装置は、中古品についての中古品識別情報を、この中古品と交換可能な電子化商品についての電子化商品識別情報と関連付けて記憶する商品情報記憶手段と、中古品に対応する電子化商品が発売されたか否かを監視するために、顧客購入情報記憶手段に記憶された中古品識別情報について、商品情報記憶手段に同一の中古品識別情報が記憶されているか否かを繰り返し判断し、記憶されている場合には、商品情報記憶手段から中古品識別情報に対応する電子化商品識別情報を取得する処理を実行する対応商品発売監視処理手段と、この対応商品発売監視処理手段により取得した電子化商品識別情報を、対応する中古品識別情報に関連付けられて顧客購入情報記憶手段に記憶されている顧客識別情報のうち中古品に対応する電子化商品を発売したマーケット業者用の顧客識別情報とともに、中古品に対応する電子化商品を発売したマーケット業者のマーケット業者サーバへ送信する処理を実行するトレード価格購入予約情報送信処理手段とを備えていることが望ましい。
【００８１】
このように買取業者が顧客から買い取った中古品に対応する電子化商品が存在しないケースに対応することができる構成とした場合（例えば、後述する図１９に示された第３実施形態における図２１の流れの場合）には、買取業者が顧客から中古品を買い取った時点では、中古品に対応する電子化商品が存在しなくても、顧客は、後に対応する電子化商品が発売された段階で、発売された電子化商品をトレード価格で安価に購入することが可能となる。このため、前述した顧客のメリット、買取業者のメリット、およびマーケット業者のメリットが、そのまま得られる。
【００８２】
＜＜顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合＞＞
【００８３】
＜マーケット業者サーバにトレード価格が記憶されている場合＞
【００８４】
本発明は、中古品とこの中古品と同内容の電子化商品とを交換売買するトレード処理を実行するコンピュータにより構成されたトレードシステムであって、中古品を買い取る買取業者の店舗に設置された店舗端末装置と、電子化商品を販売するマーケット業者が管理するマーケット業者サーバとがネットワークを介して接続され、店舗端末装置は、買取業者が顧客から買い取った中古品に対応する電子化商品についての電子化商品識別情報を、顧客に対して発行した電子化商品引替用の発券票の発券番号または買取業者が買取業者の会員としての顧客を識別するための会員識別情報と関連付けて記憶する顧客購入情報記憶手段と、買取業者が顧客から買い取った中古品に対応する電子化商品についての電子化商品識別情報の入力を受け付け、顧客に対して発券番号を付与してこの発券番号を付した発券票を印刷するとともに、受け付けた電子化商品識別情報を、発券番号と関連付けて顧客購入情報記憶手段に記憶させる処理を実行するか、または買取業者が顧客から買い取った中古品に対応する電子化商品についての電子化商品識別情報の入力を受け付け、受け付けた電子化商品識別情報を、顧客についての会員識別情報と関連付けて顧客購入情報記憶手段に記憶させる処理を実行するトレード価格購入予約受付処理手段と、ダウンロード要求に係る発券番号または会員識別情報の入力を受け付け、受け付けた発券番号または会員識別情報に関連付けられて顧客購入情報記憶手段に記憶されている電子化商品識別情報を取得し、取得した電子化商品識別情報を、マーケット業者が買取業者を識別するための買取業者識別情報とともに、マーケット業者サーバへ送信した後、マーケット業者サーバからネットワークを介して送信されてくる電子化商品を受信する処理を実行するダウンロード要求送信処理手段とを備え、マーケット業者サーバは、電子化商品を、電子化商品識別情報と関連付けて記憶する電子化商品記憶手段と、電子化商品の新規購入価格よりも安価に定められている、中古品と交換売買する場合の当該電子化商品のトレード価格を、当該電子化商品についての電子化商品識別情報と関連付けて記憶するトレード価格記憶手段と、買取業者により予め指定されている当該買取業者の決済用の金融機関の口座情報、クレジットカード情報、またはこれらに類する当該買取業者の決済情報を、当該買取業者についての買取業者識別情報と関連付けて記憶する決済情報記憶手段と、店舗端末装置からネットワークを介して送信されてくるトレード価格購入予約に係る電子化商品のダウンロード要求信号を、電子化商品識別情報および買取業者識別情報とともに受信し、受信した電子化商品識別情報の電子化商品を、電子化商品記憶手段から取得し、取得した電子化商品を、店舗端末装置へネットワークを介して送信する処理を実行するダウンロード要求受付処理手段と、このダウンロード要求受付処理手段により受信した電子化商品識別情報に関連付けられてトレード価格記憶手段に記憶されたトレード価格購入予約に係る電子化商品のトレード価格を取得する処理を実行するトレード価格取得処理手段と、このトレード価格取得処理手段により取得したトレード価格を用いて、ダウンロード要求受付処理手段により受信した買取業者識別情報に関連付けられて決済情報記憶手段に記憶されているダウンロード要求の送信元の買取業者の決済情報に従って、買取業者とマーケット業者との間の決済処理を実行する決済処理手段とを備えていることを特徴とするものである。
【００８５】
このような本発明のトレードシステム（例えば、後述する図１９に示された第３実施形態における図２２の流れの場合）においては、前述した顧客のメリット、買取業者のメリット、およびマーケット業者のメリットが得られる。
【００８６】
また、顧客識別情報（マーケット業者が顧客を識別するための情報）を使用せずに、買取業者が顧客の代理購入という形式で買取業者識別情報（マーケット業者が買取業者を識別するための情報）を使用してマーケット業者サーバへアクセスして電子化商品をダウンロードし、買取業者とマーケット業者との間で決済を行うようになっているので、顧客は、自分のパーソナル・コンピュータを持っていなくても、買取業者の店舗に出向くことで、電子化商品をダウンロードすることが可能となる。また、顧客識別情報を持っていない顧客でも、新たにマーケット業者に顧客識別情報を登録することなく、電子化商品をトレード価格で購入することが可能となり、さらに、顧客識別情報を持っているが忘れてしまった顧客や、持っているが使用したくない顧客も、電子化商品をトレード価格で購入することが可能となり、これらにより前記目的が達成される。
【００８７】
また、上述したトレードシステムにおいて、店舗端末装置の顧客購入情報記憶手段は、買取業者が顧客から買い取った中古品に対応する電子化商品が存在しない場合には、顧客から買い取った中古品についての中古品識別情報を、顧客に対して発行した電子化商品予約用の予約票の予約番号または会員識別情報と関連付けて記憶する構成とされ、店舗端末装置のトレード価格購入予約受付処理手段は、買取業者が顧客から買い取った中古品に対応する電子化商品が存在しない場合に、顧客から買い取った中古品についての中古品識別情報の入力を受け付け、顧客に対して予約番号を付与してこの予約番号を付した予約票を印刷するとともに、受け付けた中古品識別情報を、予約番号と関連付けて顧客購入情報記憶手段に記憶させる処理を実行するか、または顧客から買い取った中古品についての中古品識別情報の入力を受け付け、受け付けた中古品識別情報を、会員識別情報と関連付けて顧客購入情報記憶手段に記憶させる処理を実行する構成とされ、店舗端末装置は、中古品についての中古品識別情報を、この中古品と交換可能な電子化商品についての電子化商品識別情報と関連付けて記憶する商品情報記憶手段と、中古品に対応する電子化商品が発売されたか否かを監視するために、顧客購入情報記憶手段に記憶された中古品識別情報について、商品情報記憶手段に同一の中古品識別情報が記憶されているか否かを繰り返し判断し、記憶されている場合には、商品情報記憶手段から中古品識別情報に対応する電子化商品識別情報を取得する処理を実行する対応商品発売監視処理手段と、この対応商品発売監視処理手段により取得した電子化商品識別情報を、予約番号または会員識別情報と関連付けて顧客購入情報記憶手段に記憶させる処理を実行する発売商品反映処理手段とを備え、店舗端末装置のダウンロード要求送信処理手段は、ダウンロード要求に係る予約番号または会員識別情報の入力を受け付け、受け付けた予約番号または会員識別情報に関連付けられて顧客購入情報記憶手段に記憶されている電子化商品識別情報を取得し、取得した電子化商品識別情報を、買取業者識別情報とともに、マーケット業者サーバへ送信した後、マーケット業者サーバからネットワークを介して送信されてくる電子化商品を受信する処理を実行する構成とされていることが望ましい。
【００８８】
このように買取業者が顧客から買い取った中古品に対応する電子化商品が存在しないケースに対応することができる構成とした場合（例えば、後述する図１９に示された第３実施形態における図２３の流れの場合）には、買取業者が顧客から中古品を買い取った時点では、中古品に対応する電子化商品が存在しなくても、顧客は、後に対応する電子化商品が発売された段階で、発売された電子化商品をトレード価格で安価に購入することが可能となる。このため、前述した顧客のメリット、買取業者のメリット、およびマーケット業者のメリットが、そのまま得られる。
【００８９】
＜＜＜プログラムの発明＞＞＞
【００９０】
本発明のプログラムは、前述したトレードシステムとして、コンピュータを機能させるためのものである。
【００９１】
なお、上記のプログラムまたはその一部は、例えば、光磁気ディスク（ＭＯ）、コンパクトディスク（ＣＤ）を利用した読出し専用メモリ（ＣＤ−ＲＯＭ）、ＣＤレコーダブル（ＣＤ−Ｒ）、ＣＤリライタブル（ＣＤ−ＲＷ）、デジタル・バーサタイル・ディスク（ＤＶＤ）を利用した読出し専用メモリ（ＤＶＤ−ＲＯＭ）、ＤＶＤを利用したランダム・アクセス・メモリ（ＤＶＤ−ＲＡＭ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等の記録媒体に記録して保存や流通等させることが可能であるとともに、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等の有線ネットワーク、あるいは無線通信ネットワーク、さらにはこれらの組合せ等の伝送媒体を用いて伝送することが可能であり、また、搬送波に載せて搬送することも可能である。さらに、上記のプログラムは、他のプログラムの一部分であってもよく、あるいは別個のプログラムと共に記録媒体に記録されていてもよい。
【発明の効果】
【００９２】
以上に述べたように本発明によれば、買取業者に中古品を売った顧客がトレード価格でその中古品に対応する電子化商品を購入することができるようになっているので、中古品を保有する顧客が容易かつ安価にその電子化を実現することができるとともに、中古品の市場や電子化商品の市場の活性化を図ることができ、買取業者やマーケット業者も売上を向上させることができるという効果がある。
【図面の簡単な説明】
【００９３】
【図１】本発明の第１実施形態のトレードシステムの全体構成図。
【図２】第１実施形態の顧客購入情報記憶手段の構成図。
【図３】第１実施形態の商品情報記憶手段の構成図。
【図４】第１実施形態の顧客情報記憶手段の構成図。
【図５】第１実施形態の買取業者記憶手段の構成図。
【図６】第１実施形態のトレード価格購入予約情報記憶手段の構成図。
【図７】第１実施形態のトレード価格記憶手段の構成図。
【図８】第１実施形態の決済情報記憶手段の構成図。
【図９】第１実施形態において、顧客識別情報（マーケット業者が顧客を識別するための情報）を使用して顧客がマーケット業者サーバへアクセスして電子化商品をダウンロードし、顧客とマーケット業者との間で決済を行う場合であって、かつ、中古品（古本）に対応する電子化商品（電子書籍）が存在する場合のトレード処理（処理種別＝１）の流れを示すフローチャートの図。
【図１０】第１実施形態において、顧客識別情報（マーケット業者が顧客を識別するための情報）を使用して顧客がマーケット業者サーバへアクセスして電子化商品をダウンロードし、顧客とマーケット業者との間で決済を行う場合であって、かつ、中古品（古本）に対応する電子化商品（電子書籍）が存在しない場合のトレード処理（処理種別＝２）の流れを示すフローチャートの図。
【図１１】第１実施形態において、顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合であって、かつ、中古品（古本）に対応する電子化商品（電子書籍）が存在する場合のトレード処理（処理種別＝３，４）の流れを示すフローチャートの図。
【図１２】第１実施形態において、顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合であって、かつ、中古品（古本）に対応する電子化商品（電子書籍）が存在しない場合のトレード処理（処理種別＝５，６）の流れを示すフローチャートの図。
【図１３】本発明の第２実施形態のトレードシステムの全体構成図。
【図１４】第２実施形態のトレード価格購入予約情報記憶手段の構成図。
【図１５】第２実施形態において、顧客識別情報（マーケット業者が顧客を識別するための情報）を使用して顧客がマーケット業者サーバへアクセスして電子化商品をダウンロードし、顧客とマーケット業者との間で決済を行う場合であって、かつ、中古品（古本）に対応する電子化商品（電子書籍）が存在する場合のトレード処理（処理種別＝１）の流れを示すフローチャートの図。
【図１６】第２実施形態において、顧客識別情報（マーケット業者が顧客を識別するための情報）を使用して顧客がマーケット業者サーバへアクセスして電子化商品をダウンロードし、顧客とマーケット業者との間で決済を行う場合であって、かつ、中古品（古本）に対応する電子化商品（電子書籍）が存在しない場合のトレード処理（処理種別＝２）の流れを示すフローチャートの図。
【図１７】第２実施形態において、顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合であって、かつ、中古品（古本）に対応する電子化商品（電子書籍）が存在する場合のトレード処理（処理種別＝３，４）の流れを示すフローチャートの図。
【図１８】第２実施形態において、顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合であって、かつ、中古品（古本）に対応する電子化商品（電子書籍）が存在しない場合のトレード処理（処理種別＝５，６）の流れを示すフローチャートの図。
【図１９】本発明の第３実施形態のトレードシステムの全体構成図。
【図２０】第３実施形態において、顧客識別情報（マーケット業者が顧客を識別するための情報）を使用して顧客がマーケット業者サーバへアクセスして電子化商品をダウンロードし、顧客とマーケット業者との間で決済を行う場合であって、かつ、中古品（古本）に対応する電子化商品（電子書籍）が存在する場合のトレード処理（処理種別＝１）の流れを示すフローチャートの図。
【図２１】第３実施形態において、顧客識別情報（マーケット業者が顧客を識別するための情報）を使用して顧客がマーケット業者サーバへアクセスして電子化商品をダウンロードし、顧客とマーケット業者との間で決済を行う場合であって、かつ、中古品（古本）に対応する電子化商品（電子書籍）が存在しない場合のトレード処理（処理種別＝２）の流れを示すフローチャートの図。
【図２２】第３実施形態において、顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合であって、かつ、中古品（古本）に対応する電子化商品（電子書籍）が存在する場合のトレード処理（処理種別＝３，４）の流れを示すフローチャートの図。
【図２３】第３実施形態において、顧客識別情報（マーケット業者が顧客を識別するための情報）を使用せずに、買取業者が顧客の代理購入を行うという形式で買取業者識別情報（マーケット業者が買取業者を識別するための情報）を使用してマーケット業者サーバへアクセスして電子化商品をダウンロードし、買取業者とマーケット業者との間で決済を行う場合であって、かつ、中古品（古本）に対応する電子化商品（電子書籍）が存在しない場合のトレード処理（処理種別＝５，６）の流れを示すフローチャートの図。
【発明を実施するための形態】
【００９４】
［第１実施形態］
【００９５】
以下に本発明の第１実施形態について図面を参照して説明する。図１には、本第１実施形態のトレードシステム１０の全体構成が示されている。図２には、顧客購入情報記憶手段４０の構成が示され、図３には、商品情報記憶手段４１の構成が示され、図４には、顧客情報記憶手段４２の構成が示され、図５には、買取業者記憶手段４３の構成が示され、図６には、トレード価格購入予約情報記憶手段６０の構成が示され、図７には、トレード価格記憶手段６２の構成が示され、図８には、決済情報記憶手段６３の構成が示されている。また、図９〜図１２には、トレードシステム１０によるトレード処理の流れがフローチャートで示されている。
【００９６】
図１において、トレードシステム１０は、中古品（本実施形態では、一例として古本とする。）を買い取る買取業者の店舗に設置された１つまたは複数の店舗端末装置２０と、トレードサーバ３０と、電子化商品（本実施形態では、一例として電子書籍とする。）を販売するマーケット業者が管理する１つまたは複数のマーケット業者サーバ５０とが、ネットワーク１で接続されて構成されている。また、ネットワーク１には、中古品（古書）の流通市場サーバ７０や、顧客が操作する多数の顧客端末装置８０が接続されている。
【００９７】
ここで、店舗端末装置２０は、本実施形態では、複数の買取業者（買取業者Ｘ，Ｙ）が存在することを前提して説明するので、特に、買取業者Ｘ，Ｙのそれぞれの店舗端末装置２０を指すときには、添字Ｘ，Ｙを付して店舗端末装置２０Ｘ，２０Ｙとする。
【００９８】
また、マーケット業者サーバ５０も、本実施形態では、複数のマーケット業者（マーケット業者Ａ，Ｂ）が存在することを前提して説明するので、特に、マーケット業者Ａ，Ｂのそれぞれのマーケット業者サーバ５０を指すときには、添字Ａ，Ｂを付してマーケット業者サーバ５０Ａ，５０Ｂとする。
【００９９】
ネットワーク１は、本実施形態では、主としてインターネットであるが、インターネットと、イントラネット、エクストラネット、ＬＡＮ、ＭＡＮ、ＷＡＮとの組合せ等、様々な形態のものが含まれ、有線であるか無線であるか、さらには有線および無線の混在型であるかは問わず、要するに、複数地点（距離の長短は問わない。）間で、ある程度の速度をもって情報を伝送することができるものであればよい。
【０１００】
店舗端末装置２０は、コンピュータにより構成され、マウス、キーボード、カードリーダ、バーコードリーダ、２次元バーコードリーダ等の入力手段と、液晶ディスプレイやＣＲＴディスプレイ等の表示装置と、印刷装置とを備えている。この店舗端末装置２０には、汎用のＷｅｂブラウザが搭載されている。店舗端末装置２０は、本実施形態のように、複数の買取業者（買取業者Ｘ，Ｙ）が存在する場合には、それぞれの買取業者に設けられ、ある１つの買取業者が複数の店舗を持っている場合には、各店舗に設けられ、さらに、１つの店舗に複数台が設けられていてもよい。また、店舗端末装置２０は、買取業者の店員が専用に操作する端末装置と、来店した顧客が自分で操作する端末装置とが、物理的に異なるコンピュータで構成されていてもよく、あるいは、同一のコンピュータで、使用するソフトウェア機能を切り替える等して、買取業者の店員および来店した顧客の双方が交代して操作できるようになっていてもよい。
【０１０１】
そして、店舗端末装置２０のカードリーダは、顧客が所持している会員カードから、買取業者が顧客を識別するための会員識別情報（会員ＩＤ）を読み取るために設けられ、店舗端末装置２０のバーコードリーダや２次元バーコードリーダは、発券票や予約表にバーコードや２次元バーコードで記載された発券番号や予約番号を読み取るために設けられ、店舗端末装置２０の印刷装置は、発券票や予約表を印刷するために設けられている。
【０１０２】
トレードサーバ３０は、１台または複数台のコンピュータにより構成され、トレード価格購入予約受付処理手段３１と、検索処理手段３２と、対応商品発売監視処理手段３３と、トレード価格購入予約情報送信処理手段３４と、発売商品反映処理手段３５と、通知処理手段３６と、ダウンロード中継処理手段３７と、顧客購入情報記憶手段４０と、商品情報記憶手段４１と、顧客情報記憶手段４２と、買取業者情報記憶手段４３とを含んで構成されている。
【０１０３】
トレード価格購入予約受付処理手段３１は、買取業者の店員による店舗端末装置２０からのトレード価格購入予約画面（不図示）の表示要求に基づき、トレード価格購入予約画面の表示用データを、店舗端末装置２０へネットワーク１を介して送信した後、次のように、トレード価格購入予約画面での買取業者の店員による選択操作に従って、処理種別＝１〜６を開始するための処理を実行するものである。
【０１０４】
ここで、処理種別＝１（図９参照）は、顧客が、マーケット業者が顧客を識別するための顧客識別情報（マーケットＩＤ）を使用して電子化商品（電子書籍）をダウンロードし、顧客とマーケット業者との間で電子化商品（電子書籍）の購入代金の決済を行う場合であって、かつ、中古品（古本）の買取時に、この中古品（古本）に対応する電子化商品（電子書籍）が既に発売されている場合の処理である。
【０１０５】
処理種別＝２（図１０参照）は、顧客が、マーケット業者が顧客を識別するための顧客識別情報（マーケットＩＤ）を使用して電子化商品（電子書籍）をダウンロードし、顧客とマーケット業者との間で電子化商品（電子書籍）の購入代金の決済を行う場合であって、かつ、中古品（古本）の買取時に、この中古品（古本）に対応する電子化商品（電子書籍）が未だ発売されていない場合の処理である。
【０１０６】
処理種別＝３（図１１参照）は、買取業者が発券票を使用して中古品（古本）を持ち込んできた顧客を識別し、買取業者が顧客の代理購入という形で、マーケット業者が買取業者を識別するための買取業者識別情報（顧客がマーケット業者に登録するマーケットＩＤと同種のものでよいが、一般の顧客ではなく買取業者であるということを識別できるようなマーケットＩＤとなっていてもよい。）を使用して電子化商品（電子書籍）をダウンロードし、買取業者とマーケット業者との間で電子化商品（電子書籍）の購入代金の決済を行う場合であって、かつ、中古品（古本）の買取時に、この中古品（古本）に対応する電子化商品（電子書籍）が既に発売されている場合の処理である。この処理種別＝３では、顧客識別情報（マーケットＩＤ）は使用されない。
【０１０７】
処理種別＝４（図１１参照）は、買取業者がその買取業者専用の会員識別情報（会員ＩＤ）を使用して中古品（古本）を持ち込んできた顧客を識別し、買取業者が顧客の代理購入という形で、マーケット業者が買取業者を識別するための買取業者識別情報（顧客がマーケット業者に登録するマーケットＩＤと同種のものでよいが、一般の顧客ではなく買取業者であるということを識別できるようなマーケットＩＤとなっていてもよい。）を使用して電子化商品（電子書籍）をダウンロードし、買取業者とマーケット業者との間で電子化商品（電子書籍）の購入代金の決済を行う場合であって、かつ、中古品（古本）の買取時に、この中古品（古本）に対応する電子化商品（電子書籍）が既に発売されている場合の処理である。この処理種別＝４では、顧客識別情報（マーケットＩＤ）は使用されない。
【０１０８】
処理種別＝５（図１２参照）は、買取業者が予約票を使用して中古品（古本）を持ち込んできた顧客を識別し、買取業者が顧客の代理購入という形で、マーケット業者が買取業者を識別するための買取業者識別情報（顧客がマーケット業者に登録するマーケットＩＤと同種のものでよいが、一般の顧客ではなく買取業者であるということを識別できるようなマーケットＩＤとなっていてもよい。）を使用して電子化商品（電子書籍）をダウンロードし、買取業者とマーケット業者との間で電子化商品（電子書籍）の購入代金の決済を行う場合であって、かつ、中古品（古本）の買取時に、この中古品（古本）に対応する電子化商品（電子書籍）が未だ発売されていない場合の処理である。この処理種別＝５では、顧客識別情報（マーケットＩＤ）は使用されない。
【０１０９】
処理種別＝６（図１２参照）は、買取業者がその買取業者専用の会員識別情報（会員ＩＤ）を使用して中古品（古本）を持ち込んできた顧客を識別し、買取業者が顧客の代理購入という形で、マーケット業者が買取業者を識別するための買取業者識別情報（顧客がマーケット業者に登録するマーケットＩＤと同種のものでよいが、一般の顧客ではなく買取業者であるということを識別できるようなマーケットＩＤとなっていてもよい。）を使用して電子化商品（電子書籍）をダウンロードし、買取業者とマーケット業者との間で電子化商品（電子書籍）の購入代金の決済を行う場合であって、かつ、中古品（古本）の買取時に、この中古品（古本）に対応する電子化商品（電子書籍）が未だ発売されていない場合の処理である。この処理種別＝６では、顧客識別情報（マーケットＩＤ）は使用されない。
【０１１０】
すなわち、トレード価格購入予約受付処理手段３１は、買取業者の店員が処理種別＝１（図９参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報（マーケット業者Ａ，Ｂのいずれなのかを識別するための情報）およびそのマーケット業者が顧客を識別するための顧客識別情報（マーケットＩＤ）とともに、店舗端末装置２０からネットワーク１を介して受信し、受信した電子化商品識別情報（例えば、ＩＳＢＮコード等）を、顧客識別情報（マーケットＩＤ）とともに、受信したマーケット業者識別情報に対応するマーケット業者サーバ５０へ送信する処理を実行するものである。この際、トレード価格購入予約受付処理手段３１は、電子化商品識別情報（例えば、ＩＳＢＮコード等）を、マーケット業者識別情報および顧客識別情報（マーケットＩＤ）と関連付けて顧客購入情報記憶手段４０（図２参照）に記憶させる処理も実行する。
【０１１１】
また、トレード価格購入予約受付処理手段３１は、買取業者の店員が処理種別＝２（図１０参照）を選択した場合には、中古品（古本）に対応する電子化商品（電子書籍）が存在しない場合であるから、買取業者が顧客から買い取った中古品（古本）についての中古品識別情報（例えば、ＩＳＢＮコード等）を、顧客により選択された少なくとも１つのマーケット業者（つまり、電子化商品（電子書籍）が発売されたら、そこからトレード価格で購入することを予約しておくための購入先の候補となるマーケット業者）についてのマーケット業者識別情報およびそれらの各マーケット業者用の顧客識別情報（マーケットＩＤ）とともに、店舗端末装置２０からネットワーク１を介して受信し、受信した中古品識別情報（例えば、ＩＳＢＮコード等）を、受信した少なくとも１つのマーケット業者についてのマーケット業者識別情報およびそれらの各マーケット業者用の顧客識別情報（マーケットＩＤ）と関連付けて顧客購入情報記憶手段４０（図２参照）に記憶させる処理を実行するものである。
【０１１２】
さらに、トレード価格購入予約受付処理手段３１は、買取業者の店員が処理種別＝３（図１１参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、中古品（古本）を持ち込んできた顧客に対して発券番号を付与してこの発券番号を付した発券票（発券番号を示すバーコードや２次元バーコードを記載した発券票でもよく、発券番号を示す数字を記載した発券票でもよい。）の印刷用情報を、店舗端末装置２０へネットワーク１を介して送信するとともに、受信した電子化商品識別情報（例えば、ＩＳＢＮコード等）を、発券番号およびマーケット業者識別情報と関連付けて顧客購入情報記憶手段４０（図２参照）に記憶させる処理を実行するものである。
【０１１３】
そして、トレード価格購入予約受付処理手段３１は、買取業者の店員が処理種別＝４（図１１参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、受信した電子化商品識別情報（例えば、ＩＳＢＮコード等）を、会員識別情報（会員ＩＤ）およびマーケット業者識別情報と関連付けて顧客購入情報記憶手段４０（図２参照）に記憶させる処理を実行するものである。
【０１１４】
また、トレード価格購入予約受付処理手段３１は、買取業者の店員が処理種別＝５（図１２参照）を選択した場合には、中古品（古本）に対応する電子化商品（電子書籍）が存在しない場合であるから、顧客から買い取った中古品（古本）についての中古品識別情報（例えば、ＩＳＢＮコード等）を、店舗端末装置２０からネットワーク１を介して受信し、顧客に対して予約番号を付与してこの予約番号を付した予約票（予約番号を示すバーコードや２次元バーコードを記載した予約票でもよく、予約番号を示す数字を記載した予約票でもよい。）の印刷用情報を、店舗端末装置２０へネットワーク１を介して送信するとともに、受信した中古品識別情報（例えば、ＩＳＢＮコード等）を、予約番号と関連付けて顧客購入情報記憶手段４０（図２参照）に記憶させる処理を実行するものである。
【０１１５】
そして、トレード価格購入予約受付処理手段３１は、買取業者の店員が処理種別＝６（図１２参照）を選択した場合には、中古品（古本）に対応する電子化商品（電子書籍）が存在しない場合であるから、顧客から買い取った中古品（古本）についての中古品識別情報（例えば、ＩＳＢＮコード等）を、顧客についての会員識別情報（顧客から中古品（古本）の買取を行った買取業者がその顧客を識別するための会員ＩＤ）とともに、店舗端末装置２０からネットワーク１を介して受信し、受信した中古品識別情報（例えば、ＩＳＢＮコード等）を、会員識別情報（会員ＩＤ）と関連付けて顧客購入情報記憶手段４０（図２参照）に記憶させる処理を実行するものである。
【０１１６】
検索処理手段３２は、トレード価格購入予約受付処理手段３１により店舗端末装置２０に画面表示されているトレード価格購入予約画面（不図示）で、買取業者の店員による電子化商品（電子書籍）の有無の確認およびその電子化商品（電子書籍）についての電子化商品識別情報（例えば、ＩＳＢＮコード等）およびトレード価格の取得のための検索要求の操作が行われた場合に、店舗端末装置２０からネットワーク１を介して送信されてくる検索要求信号を、中古品識別情報（例えば、ＩＳＢＮコード等、あるいは書籍名でもよい。）とともに受信し、受信した中古品識別情報に対応する電子化商品識別情報（例えば、ＩＳＢＮコード等）が商品情報記憶手段４１（図３参照）に記憶されているか否かを検索し、対応する電子化商品識別情報が記憶されていた場合には、その電子化商品識別情報およびトレード価格を、ネットワーク１を介して店舗端末装置２０へ送信する処理を実行するものである。
【０１１７】
対応商品発売監視処理手段３３は、中古品（古本）に対応する電子化商品（電子書籍）が発売されたか否かを監視するために、顧客購入情報記憶手段４０（図２参照）に記憶された処理種別＝２，５，６のレコードの中古品識別情報（例えば、ＩＳＢＮコード等）について、商品情報記憶手段４１（図３参照）に同一の中古品識別情報が記憶されているか否かを繰り返し判断し、記憶されている場合には、商品情報記憶手段４１からその中古品識別情報に対応する電子化商品識別情報（例えば、ＩＳＢＮコード等）およびマーケット業者識別情報を取得する処理を実行するものである。但し、対応商品発売監視処理手段３３は、商品情報記憶手段４１（図３参照）に同一の中古品識別情報が記憶されていても、処理種別＝２のレコードの中古品識別情報については、発売された電子化商品（電子書籍）を販売するマーケット業者が、顧客の指定した候補マーケット業者の中に含まれている必要があるので、商品情報記憶手段４１にその中古品識別情報に関連付けられて記憶されているマーケット業者識別情報が、顧客購入情報記憶手段４０（図２参照）に記憶された処理種別＝２のレコードのいずれかの候補マーケット業者についてのマーケット業者識別情報と一致した場合にのみ、商品情報記憶手段４１からその中古品識別情報に対応する電子化商品識別情報（例えば、ＩＳＢＮコード等）およびマーケット業者識別情報を取得する処理を実行する。
【０１１８】
トレード価格購入予約情報送信処理手段３４は、対応商品発売監視処理手段３３により取得した電子化商品識別情報（例えば、ＩＳＢＮコード等）を、処理種別＝２のレコードの中古品識別情報（例えば、ＩＳＢＮコード等）に関連付けられて顧客購入情報記憶手段４０（図２参照）に記憶されている顧客識別情報（マーケットＩＤ）のうち、対応商品発売監視処理手段３３により取得したマーケット業者識別情報のマーケット業者（すなわち、中古品（古本）に対応する電子化商品（電子書籍）を発売したマーケット業者）用の顧客識別情報（マーケットＩＤ）とともに、そのマーケット業者識別情報に対応するマーケット業者サーバ５０（すなわち、中古品（古本）に対応する電子化商品（電子書籍）を発売したマーケット業者のマーケット業者サーバ５０）へネットワーク１を介して送信する処理を実行するものである。また、トレード価格購入予約情報送信処理手段３４は、マーケット業者サーバ５０へ送信した電子化商品識別情報（例えば、ＩＳＢＮコード等）、並びに、送信先のマーケット業者サーバ５０のマーケット業者についてのマーケット業者識別情報およびそのマーケット業者用の顧客識別情報（マーケットＩＤ）を、処理種別＝２のレコードの中古品識別情報（例えば、ＩＳＢＮコード等）に関連付けて顧客購入情報記憶手段４０（図２参照）に記憶させる処理も実行する。
【０１１９】
発売商品反映処理手段３５は、対応商品発売監視処理手段３３により取得した電子化商品識別情報（例えば、ＩＳＢＮコード等）およびマーケット業者識別情報を、予約番号または会員識別情報（会員ＩＤ）と関連付けて顧客購入情報記憶手段４０（図２参照）の処理種別＝５，６のレコードに記憶させる処理を実行するものである。
【０１２０】
通知処理手段３６は、対応商品発売監視処理手段３３により顧客購入情報記憶手段４０（図２参照）の処理種別＝２，５，６のレコードの中古品識別情報（例えば、ＩＳＢＮコード等）に対応する電子化商品識別情報（例えば、ＩＳＢＮコード等）を取得した場合に、処理種別＝２，５，６のレコードの中古品識別情報に関連付けられて顧客購入情報記憶手段４０（図２参照）に記憶されている顧客特定用の情報（すなわち、第１の候補マーケット業者についてのマーケット業者識別情報およびその顧客識別情報（マーケットＩＤ）、予約番号、または会員識別情報（会員ＩＤ））を用いて、顧客情報記憶手段４２（図４参照）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する処理を実行するものである。
【０１２１】
また、通知処理手段３６は、対応商品発売監視処理手段３３により顧客購入情報記憶手段４０（図２参照）の処理種別＝２，５，６のレコードの中古品識別情報（例えば、ＩＳＢＮコード等）に対応する電子化商品識別情報（例えば、ＩＳＢＮコード等）を取得した場合に、その中古品識別情報が記憶されたテーブルに対応する買取業者についての買取業者管理情報に関連付けられて買取業者情報記憶手段４３（図５参照）に記憶されている連絡先の情報（本実施形態では、一例として電子メールアドレスとする。）を取得し、取得した連絡先（買取業者）へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する処理も実行する。なお、この買取業者への通知メールには、顧客購入情報記憶手段４０（図２参照）に記憶された顧客特定用の情報（すなわち、第１の候補マーケット業者についてのマーケット業者識別情報およびその顧客識別情報（マーケットＩＤ）、予約番号、または会員識別情報（会員ＩＤ））を記載してもよく、買取業者の店員は、この通知メールを受け取ったときには、そこに記載されている顧客特定用の情報を用いて、店舗端末装置２０から、顧客情報記憶手段４２（図４参照）に記憶された当該顧客の連絡先の情報を参照し、顧客情報記憶手段４２（図４参照）に、電話番号やファクシミリ番号等のような電子メールアドレス以外の連絡先の情報が記憶されている場合には、それらの連絡先の情報を用いて電子メール以外の方法での人手による通知（例えば、電話をかける、ＦＡＸを送る等）を行うことができる。さらに、買取業者の店員は、通知メールを受け取らなくても、店舗端末装置２０から、顧客購入情報記憶手段４０（図２参照）に記憶された情報をいつでも閲覧することができるので（トレードサーバ３０に、図示されない顧客購入情報閲覧処理手段が設けられている。なお、顧客も、自分の情報だけ閲覧できるようになっている。）、この閲覧により、顧客から買い取った中古品（古本）について電子化商品（電子書籍）が発売されたか否かを知ることができるため、発売の事実を掴んだときに、顧客情報記憶手段４２（図４参照）に記憶された当該顧客の連絡先の情報を参照し、当該顧客への各種の通知（電子メール、電話、ＦＡＸ等）を行うこともできる。
【０１２２】
ダウンロード中継処理手段３７は、買取業者の店舗に来店した顧客自身の操作または来店した顧客の依頼に基づく買取業者の店員の代行操作により、店舗端末装置２０からネットワーク１を介して送信されてくるトレード価格購入予約に係る電子化商品のダウンロード要求信号を、発券番号、予約番号、または会員識別情報（会員ＩＤ）とともに受信し、受信した発券番号、予約番号、または会員識別情報（会員ＩＤ）に関連付けられて顧客購入情報記憶手段４０（図２参照）に記憶されている電子化商品識別情報（例えば、ＩＳＢＮコード等）およびマーケット業者識別情報を取得し、取得した電子化商品識別情報（例えば、ＩＳＢＮコード等）を、取得したマーケット業者識別情報のマーケット業者が買取業者を識別するための買取業者識別情報とともに、取得したマーケット業者識別情報に対応するマーケット業者サーバ５０へネットワーク１を介して送信した後、マーケット業者サーバ５０からネットワーク１を介して送信されてくる電子化商品（電子書籍のファイル）を店舗端末装置２０へネットワーク１を介して送信する処理を実行するものである。なお、ダウンロード中継処理手段３７は、店舗端末装置２０からトレードサーバ３０へのアクセス時に、店舗端末装置２０から送信元の買取業者（買取業者Ｘ，Ｙのいずれか）についての買取業者管理情報が送信されてくるので、この買取業者管理情報に関連付けられて買取業者情報記憶手段４３（図５参照）に記憶されている送信先のマーケット業者（マーケット業者Ａ，Ｂのいずれか）用の買取業者識別情報を取得することができる。
【０１２３】
顧客購入情報記憶手段４０は、図２に示すように、各買取業者毎のテーブルにより構成され、各テーブルは、処理種別＝１については、電子化商品識別情報（例えば、ＩＳＢＮコード等）と、電子化商品（電子書籍）をトレード価格で購入する購入マーケット業者についてのマーケット業者識別情報およびそのマーケット業者用の顧客識別情報（マーケットＩＤ）とを対応付けて記憶し、処理種別＝２については、電子化商品（電子書籍）の発売後に格納される電子化商品識別情報（例えば、ＩＳＢＮコード等）と、中古品識別情報（例えば、ＩＳＢＮコード等）と、購入マーケット業者についてのマーケット業者識別情報およびそのマーケット業者用の顧客識別情報（マーケットＩＤ）と、顧客により購入先の候補として指定された少なくとも１つの候補マーケット業者についてのマーケット業者識別情報およびそのマーケット業者用の顧客識別情報（マーケットＩＤ）とを対応付けて記憶し、処理種別＝３については、発券票の発券番号と、電子化商品識別情報（例えば、ＩＳＢＮコード等）と、購入マーケット業者についてのマーケット業者識別情報とを対応付けて記憶し、処理種別＝４については、買取業者が会員としての顧客を識別するための会員識別情報（会員ＩＤ）と、電子化商品識別情報（例えば、ＩＳＢＮコード等）と、購入マーケット業者についてのマーケット業者識別情報とを対応付けて記憶し、処理種別＝５については、予約票の予約番号と、電子化商品（電子書籍）の発売後に格納される電子化商品識別情報（例えば、ＩＳＢＮコード等）と、中古品識別情報（例えば、ＩＳＢＮコード等）と、購入マーケット業者についてのマーケット業者識別情報とを対応付けて記憶し、処理種別＝６については、会員識別情報（会員ＩＤ）と、電子化商品（電子書籍）の発売後に格納される電子化商品識別情報（例えば、ＩＳＢＮコード等）と、中古品識別情報（例えば、ＩＳＢＮコード等）と、購入マーケット業者についてのマーケット業者識別情報とを対応付けて記憶するものである。
【０１２４】
商品情報記憶手段４１は、図３に示すように、中古品識別情報（例えば、ＩＳＢＮコード等）と、商品の名称（本実施形態では、書籍タイトル）と、電子化商品識別情報（例えば、ＩＳＢＮコード等）と、その電子化商品（電子書籍）を販売しているマーケット業者についてのマーケット業者識別情報と、中古品（古本）を売って電子化商品（電子書籍）を買うという交換売買を行った場合のトレード価格と、電子化商品（電子書籍）を交換売買ではなく新規に購入した場合の新規購入価格とを対応付けて記憶するものである。
【０１２５】
この商品情報記憶手段４１（図３参照）に記憶される商品情報は、トレードサーバ３０の管理者が、各マーケット業者から、発売された電子化商品（電子書籍）に関するデータを収集し（受け取り）、図示されないトレードサーバ管理者端末装置から入力して登録したものでもよく、あるいは、各マーケット業者の担当者が、図示されないマーケット業者端末装置からネットワーク１を介して入力して登録したものでもよい。トレードサーバ３０には、この商品情報の登録処理を実行する商品情報登録処理手段（不図示）が設けられている。
【０１２６】
顧客情報記憶手段４２は、図４に示すように、各買取業者毎のテーブルにより構成され、各テーブルは、会員識別情報（会員ＩＤ）と、マーケット業者識別情報およびそのマーケット業者用の顧客識別情報（マーケットＩＤ）と、発券票の発券番号と、予約票の予約番号とのうちの少なくとも１つの顧客特定用の情報と、電子メールアドレスと、住所と、電話番号と、ファクシミリ番号とを対応付けて記憶するものである。ここで、マーケット業者識別情報およびそのマーケット業者用の顧客識別情報（マーケットＩＤ）については、顧客情報を登録する時点で、電子化商品（電子書籍）が発売されておらず、トレードを行うマーケット業者が決まっていない場合には、第１の候補マーケット業者についてのマーケット業者識別情報およびその顧客識別情報（マーケットＩＤ）を記憶しておく。なお、本実施形態では、買取業者の会員としての顧客については、住所、電話番号、ファクシミリ番号等のような電子メールアドレス以外の情報が記憶されているが、買取業者の会員以外の顧客については、自動通知用の電子メールアドレスだけが必須情報として記憶されている。
【０１２７】
この顧客情報記憶手段４２（図４参照）に記憶される顧客情報は、買取業者の店員により、店舗端末装置２０から入力されるものである。すなわち、買取業者の店員が、店舗端末装置２０を操作して顧客情報を入力し、入力した顧客情報を、ネットワーク１を介してトレードサーバ３０に送信し、トレードサーバ３０の顧客情報登録処理手段（不図示）により、店舗端末装置２０からネットワーク１を介して送信されてくる顧客情報を受信し、顧客情報記憶手段４２に記憶させるようになっている。
【０１２８】
買取業者情報記憶手段４３は、図５に示すように、トレードサーバ３０の管理において買取業者を識別するための買取業者管理情報（トレードサーバ３０またはその管理者が買取業者を識別するための情報）と、買取業者の電子メールアドレスと、住所と、電話番号と、ファクシミリ番号と、各マーケット業者Ａ，Ｂについてのマーケット業者識別情報および各マーケット業者Ａ，Ｂ用の買取業者識別情報（各マーケット業者Ａ，Ｂが買取業者を識別するための情報）を対応付けて記憶するものである。
【０１２９】
この買取業者情報記憶手段４３（図５参照）に記憶される買取業者情報は、買取業者の店員により、店舗端末装置２０から入力されるものである。すなわち、買取業者の店員が、店舗端末装置２０を操作して自己の買取業者情報を入力し、入力した買取業者情報を、ネットワーク１を介してトレードサーバ３０に送信し、トレードサーバ３０の買取業者情報登録処理手段（不図示）により、店舗端末装置２０からネットワーク１を介して送信されてくる買取業者情報を受信し、買取業者情報記憶手段４３に記憶させるようになっている。なお、トレードサーバ３０の管理者が、トレードサーバ管理者端末装置（不図示）から買取業者情報を入力し、買取業者情報記憶手段４３に記憶させてもよい。また、買取業者管理情報は、買取業者がトレードサーバ３０に自分で登録するものとしてもよく、トレードサーバ３０で自動付与されるものとしてもよい。
【０１３０】
以上において、トレードサーバ３０は、１台のコンピュータあるいは１つのＣＰＵにより実現されるものに限定されず、複数のコンピュータあるいは複数のＣＰＵで分散処理を行うことにより実現されるものであってもよい。
【０１３１】
また、トレードサーバ３０の各処理手段３１〜３７は、トレードサーバ３０を構成するコンピュータ本体の内部に設けられた中央演算処理装置（ＣＰＵ）、およびこのＣＰＵの動作手順を規定する１つまたは複数のプログラムにより実現される。
【０１３２】
さらに、トレードサーバ３０の各記憶手段４０〜４３は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０１３３】
マーケット業者サーバ５０は、１台または複数台のコンピュータにより構成され、トレード価格購入予約情報登録処理手段５１と、ダウンロード要求受付処理手段５２と、トレード価格取得処理手段５３と、決済処理手段５４と、トレード価格購入予約情報記憶手段６０と、電子化商品記憶手段６１と、トレード価格記憶手段６２と、決済情報記憶手段６３とを含んで構成されている。
【０１３４】
トレード価格購入予約情報登録処理手段５１は、処理種別＝１では、トレードサーバ３０のトレード価格購入予約受付処理手段３１により、処理種別２では、トレード価格購入予約情報送信処理手段３４により、トレードサーバ３０からネットワーク１を介して送信されてくる電子化商品識別情報（例えば、ＩＳＢＮコード等）を、顧客識別情報（マーケットＩＤ）とともに受信し、受信した電子化商品識別情報（例えば、ＩＳＢＮコード等）を、顧客識別情報（マーケットＩＤ）と関連付けてトレード価格購入予約情報記憶手段６０（図６参照）に記憶させる処理を実行するものである。
【０１３５】
ダウンロード要求受付処理手段５２は、処理種別＝１，２では、顧客が操作する顧客端末装置８０または店舗端末装置２０からネットワーク１を介して送信されてくるトレード価格購入予約に係る電子化商品（電子書籍）のダウンロード要求信号を、顧客識別情報（マーケットＩＤ）とともに受信し、受信した顧客識別情報に関連付けられてトレード価格購入予約情報記憶手段６０（図６参照）に記憶されている電子化商品識別情報（例えば、ＩＳＢＮコード等）の電子化商品（電子書籍）を、電子化商品記憶手段６１から取得し、取得した電子化商品（電子書籍）を、顧客端末装置８０または店舗端末装置２０へネットワーク１を介して送信する処理を実行するものである。
【０１３６】
また、ダウンロード要求受付処理手段５２は、処理種別＝３〜６では、トレードサーバ３０のダウンロード中継処理手段３７により、トレードサーバ３０からネットワーク１を介して送信されてくるトレード価格購入予約に係る電子化商品（電子書籍）のダウンロード要求信号を、電子化商品識別情報（例えば、ＩＳＢＮコード等）および買取業者識別情報とともに受信し、受信した電子化商品識別情報の電子化商品（電子書籍）を、電子化商品記憶手段６１から取得し、取得した電子化商品（電子書籍）を、トレードサーバ３０へネットワーク１を介して送信する処理を実行するものである。
【０１３７】
トレード価格取得処理手段５３は、処理種別＝１，２では、ダウンロード要求受付処理手段５２により受信した顧客識別情報（マーケットＩＤ）に関連付けられてトレード価格購入予約情報記憶手段６０（図６参照）に記憶されている電子化商品識別情報（例えば、ＩＳＢＮコード等）を用いて、トレード価格記憶手段６２（図７参照）に記憶されたトレード価格購入予約に係る電子化商品（電子書籍）のトレード価格を取得する処理を実行するものである。
【０１３８】
また、トレード価格取得処理手段５３は、処理種別＝３〜６では、ダウンロード要求受付処理手段５２により受信した電子化商品識別情報（例えば、ＩＳＢＮコード等）に関連付けられてトレード価格記憶手段６２（図７参照）に記憶されたトレード価格購入予約に係る電子化商品（電子書籍）のトレード価格を取得する処理を実行するものである。
【０１３９】
決済処理手段５４は、処理種別＝１，２では、トレード価格取得処理手段５３により取得したトレード価格を用いて、ダウンロード要求受付処理手段５２により受信した顧客識別情報（マーケットＩＤ）に関連付けられて決済情報記憶手段６３（図８参照）に記憶されているダウンロード要求を行った顧客の決済情報に従って、顧客とマーケット業者との間の決済処理を実行するものである。
【０１４０】
また、決済処理手段５４は、処理種別＝３〜６では、トレード価格取得処理手段５３により取得したトレード価格を用いて、ダウンロード要求受付処理手段５２により受信した買取業者識別情報に関連付けられて決済情報記憶手段６３（図８参照）に記憶されているダウンロード要求の送信元の買取業者の決済情報に従って、買取業者とマーケット業者との間の決済処理を実行するものである。
【０１４１】
トレード価格購入予約情報記憶手段６０は、図６に示すように、顧客識別情報（マーケットＩＤ）と、電子化商品識別情報（例えば、ＩＳＢＮコード等）とを対応付けて記憶するものである。
【０１４２】
電子化商品記憶手段６１は、電子化商品（電子書籍ファイル）を、電子化商品識別情報（例えば、ＩＳＢＮコード等）と関連付けて記憶するものである。例えば、電子書籍ファイルのファイル名自体が、電子化商品識別情報と対応していてもよく、あるいは電子化商品識別情報と電子書籍ファイルのファイル名とを対応付けるテーブルを設けてもよい。
【０１４３】
トレード価格記憶手段６２は、図７に示すように、電子化商品識別情報（例えば、ＩＳＢＮコード等）と、トレード価格と、新規購入価格とを対応させて記憶するものである。
【０１４４】
決済情報記憶手段６３は、図８に示すように、顧客および買取業者の決済情報を記憶するものであり、顧客識別情報（マーケットＩＤ）または買取業者識別情報と、金融機関コード・支店番号・口座番号やクレジットカード番号等とを対応させて記憶するものである。
【０１４５】
以上において、マーケット業者サーバ５０は、１台のコンピュータあるいは１つのＣＰＵにより実現されるものに限定されず、複数のコンピュータあるいは複数のＣＰＵで分散処理を行うことにより実現されるものであってもよい。
【０１４６】
また、マーケット業者サーバ５０の各処理手段５１〜５４は、マーケット業者サーバ５０を構成するコンピュータ本体の内部に設けられた中央演算処理装置（ＣＰＵ）、およびこのＣＰＵの動作手順を規定する１つまたは複数のプログラムにより実現される。
【０１４７】
さらに、マーケット業者サーバ５０の各記憶手段６０〜６３は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０１４８】
流通市場サーバ７０は、コンピュータにより構成され、中古品（古本）市場の売買価格を参照することができるＷｅｂサイトを構成するものである。
【０１４９】
顧客端末装置８０は、コンピュータにより構成され、マウスやキーボード等の入力手段と、液晶ディスプレイやＣＲＴディスプレイ等の表示装置とを備えている。この顧客端末装置８０には、汎用のＷｅｂブラウザが搭載されている。なお、顧客端末装置８０は、携帯情報端末（ＰＤＡ）や携帯電話機（ＰＨＳも含む）等の携帯機器であってもよい。また、顧客は、電子書籍を閲覧することができる電子ブックリーダ８１を所持している。
【０１５０】
このような第１実施形態においては、以下のようにしてトレードシステム１０により、中古品（古本）と電子化商品（電子書籍）とのトレード処理が行われる。
【０１５１】
先ず、顧客は、売りたい中古品（古本）を持参して買取業者の店舗に出向く。買取業者の店舗では、買取業者の店員が、顧客に対し、電子化商品（電子書籍）をトレード価格で購入する場合に顧客識別情報（マーケットＩＤ）を使用するか否かを確認し、顧客識別情報（マーケットＩＤ）を使用する場合には、図９および図１０に示す処理種別＝１，２の処理を開始し、顧客識別情報（マーケットＩＤ）を使用しない場合には、図１１および図１２に示す処理種別３〜６の処理を開始する。
【０１５２】
図９において、買取業者の店員は、店舗端末装置２０を操作し、ネットワーク１を介して流通市場サーバ７０、すなわち中古品（古本）市場の売買価格を参照することができるＷｅｂサイトにアクセスし、書籍名等を用いて検索を行うことにより、顧客が店舗に持ち込んだ書籍（古本）の買取価格の査定を行う（ステップＳ１）。
【０１５３】
続いて、買取業者の店員は、店舗端末装置２０を操作し、トレード価格購入予約画面（不図示）の表示要求信号を、ネットワーク１を介してトレードサーバ３０へ送信する。トレードサーバ３０では、トレード価格購入予約受付処理手段３１により、買取業者の店員による店舗端末装置２０からのトレード価格購入予約画面の表示要求に基づき、トレード価格購入予約画面の表示用データを、店舗端末装置２０へネットワーク１を介して送信する。すると、店舗端末装置２０の画面上には、トレード価格購入予約画面（不図示）が表示される。
【０１５４】
このトレード価格購入予約画面（不図示）には、検索要求用ボタンが設けられているので、買取業者の店員は、顧客が店舗に持ち込んだ中古品（古本）に対応する電子化商品（電子書籍）の有無の確認およびその電子化商品（電子書籍）についての電子化商品識別情報（例えば、ＩＳＢＮコード等）およびトレード価格の取得のために、顧客が店舗に持ち込んだ中古品（古本）についての中古品識別情報（例えば、ＩＳＢＮコード等、あるいは書籍名でもよい。）を入力して検索要求用ボタンをクリック操作し、中古品識別情報を含む検索要求信号を、ネットワーク１を介してトレードサーバ３０へ送信する（ステップＳ２）。
【０１５５】
トレードサーバ３０では、検索処理手段３２により、店舗端末装置２０からネットワーク１を介して送信されてくる検索要求信号を、中古品識別情報（例えば、ＩＳＢＮコード等、あるいは書籍名でもよい。）とともに受信し、受信した中古品識別情報に対応する電子化商品識別情報（例えば、ＩＳＢＮコード等）が商品情報記憶手段４１（図３参照）に記憶されているか否かを検索し、対応する電子化商品識別情報が記憶されていた場合（すなわち、対応する電子化商品（電子書籍）が既に発売されていた場合）には、その電子化商品識別情報およびトレード価格を、ネットワーク１を介して店舗端末装置２０へ送信する（ステップＳ３）。すると、店舗端末装置２０の画面上には、顧客が店舗に持ち込んだ中古品（古本）に対応する電子化商品（電子書籍）についての電子化商品識別情報（例えば、ＩＳＢＮコード等）およびトレード価格が表示されるので、買取業者の店員は、顧客に対し、トレード価格を提示し、トレード購入の意思を確認する。
【０１５６】
ここで、検索の結果、対応する電子化商品（電子書籍）が既に発売されていた場合（ステップＳ４）には、上述したように、電子化商品識別情報（例えば、ＩＳＢＮコード等）およびトレード価格が画面表示されるので、買取業者の店員は、処理種別＝１の処理を開始する。一方、ステップＳ４で、対応する電子化商品（電子書籍）が未だ発売されていなかった場合には、電子化商品識別情報（例えば、ＩＳＢＮコード等）およびトレード価格は画面表示されないので、買取業者の店員は、後述する図１０に示すように、処理種別＝２の処理を開始する。
【０１５７】
図９において、処理種別＝１では、買取業者の店員は、店舗端末装置２０の画面上に表示されたトレード価格購入予約画面（不図示）で、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報（マーケット業者Ａ，Ｂのいずれなのかを識別するための情報）およびそのマーケット業者が顧客を識別するための顧客識別情報（マーケットＩＤ）とともに入力し、入力した電子化商品識別情報（例えば、ＩＳＢＮコード等）を、マーケット業者識別情報および顧客識別情報（マーケットＩＤ）とともに、ネットワーク１を介してトレードサーバ３０へ送信する（ステップＳ５）。
【０１５８】
また、処理種別＝１では、電子化商品（電子書籍）のトレード価格での購入代金の決済は、顧客とマーケット業者との間で後に行われるので、この段階では、中古品（古本）の買取の決済のみを行うべく、買取業者の店員は、顧客に対し、前述したステップＳ１で調査・決定した査定額を支払う。例えば、中古品（古本）の査定額が、１００円であれば、買取業者から顧客への現金支払金額は、１００円となる。
【０１５９】
トレードサーバ３０では、トレード価格購入予約受付処理手段３１により、電子化商品識別情報（例えば、ＩＳＢＮコード等）を、マーケット業者識別情報および顧客識別情報（マーケットＩＤ）とともに、店舗端末装置２０からネットワーク１を介して受信し、受信した電子化商品識別情報（例えば、ＩＳＢＮコード等）を、顧客識別情報（マーケットＩＤ）とともに、受信したマーケット業者識別情報に対応するマーケット業者サーバ５０へ送信する（ステップＳ６）。この際、トレード価格購入予約受付処理手段３１により、電子化商品識別情報（例えば、ＩＳＢＮコード等）を、マーケット業者識別情報および顧客識別情報（マーケットＩＤ）と関連付けて顧客購入情報記憶手段４０（図２参照）に記憶させる（ステップＳ６）。
【０１６０】
マーケット業者サーバ５０では、トレード価格購入予約情報登録処理手段５１により、トレードサーバ３０からネットワーク１を介して送信されてくる電子化商品識別情報（例えば、ＩＳＢＮコード等）を、顧客識別情報（マーケットＩＤ）とともに受信し、受信した電子化商品識別情報（例えば、ＩＳＢＮコード等）を、顧客識別情報（マーケットＩＤ）と関連付けてトレード価格購入予約情報記憶手段６０（図６参照）に記憶させる（ステップＳ７）。
【０１６１】
その後、顧客は、自宅や会社等にある顧客端末装置８０を操作するか、または買取業者の店舗に出向いて店舗端末装置２０を操作することにより、ネットワーク１を介してマーケット業者サーバ５０にアクセスし、そのマーケット業者に自己が登録している顧客識別情報（マーケットＩＤ）を入力してログインし、顧客識別情報を含むダウンロード要求信号を、マーケット業者サーバ５０へネットワーク１を介して送信する（ステップＳ８）。
【０１６２】
マーケット業者サーバ５０では、ダウンロード要求受付処理手段５２により、顧客が操作する顧客端末装置８０または店舗端末装置２０からネットワーク１を介して送信されてくるトレード価格購入予約に係る電子化商品（電子書籍）のダウンロード要求信号を、顧客識別情報（マーケットＩＤ）とともに受信する（ステップＳ９）。
【０１６３】
続いて、ダウンロード要求受付処理手段５２により、受信した顧客識別情報（マーケットＩＤ）に関連付けられてトレード価格購入予約情報記憶手段６０（図６参照）に記憶されている電子化商品識別情報（例えば、ＩＳＢＮコード等）を取得し、さらに、この電子化商品識別情報に関連付けられて電子化商品記憶手段６１に記憶されている電子化商品（電子書籍ファイル）を取得し、取得した電子化商品（電子書籍ファイル）を、顧客端末装置８０または店舗端末装置２０へネットワーク１を介して送信する（ステップＳ１０）。
【０１６４】
この際、受信した顧客識別情報（マーケットＩＤ）に関連付けられた電子化商品識別情報（例えば、ＩＳＢＮコード等）が複数ある場合、すなわち１人の顧客が複数の中古品（古本）を持ち込んで複数の電子化商品（電子書籍）のトレード購入予約を行っていた場合には、ダウンロード要求受付処理手段５２により、それらの電子化商品（電子書籍）を全部まとめてダウンロードの対象としてもよく、あるいは複数の電子化商品（電子書籍）についての電子化商品識別情報（例えば、ＩＳＢＮコード等、あるいは書籍名）を、顧客端末装置８０または店舗端末装置２０へネットワーク１を介して送信し、いずれの電子化商品（電子書籍）をダウンロードするのかを、顧客に指定させ、その指定情報（顧客により指定された電子化商品（電子書籍）についての電子化商品識別情報またはその代替情報）を、顧客端末装置８０または店舗端末装置２０からネットワーク１を介して受信し、指定された電子化商品（電子書籍）だけをダウンロードの対象としてもよい。
【０１６５】
顧客端末装置８０または店舗端末装置２０では、マーケット業者サーバ５０からネットワーク１を介して送信されてくる電子化商品（電子書籍ファイル）を受信し（ステップＳ１１）、受信した電子化商品（電子書籍ファイル）を、電子ブックリーダ８１に有線または無線で転送する（ステップＳ１２）。
【０１６６】
一方、マーケット業者サーバ５０では、トレード価格取得処理手段５３により、ダウンロード要求受付処理手段５２により受信した顧客識別情報（マーケットＩＤ）に関連付けられてトレード価格購入予約情報記憶手段６０（図６参照）に記憶されている電子化商品識別情報（例えば、ＩＳＢＮコード等）を用いて、トレード価格記憶手段６２（図７参照）に記憶されたトレード価格購入予約に係る電子化商品（電子書籍）のトレード価格を取得する（ステップＳ１３）。
【０１６７】
それから、決済処理手段５４により、トレード価格取得処理手段５３により取得したトレード価格を用いて、ダウンロード要求受付処理手段５２により受信した顧客識別情報（マーケットＩＤ）に関連付けられて決済情報記憶手段６３（図８参照）に記憶されているダウンロード要求を行った顧客の決済情報に従って、顧客とマーケット業者との間で電子化商品（電子書籍）の購入の決済処理を実行する（ステップＳ１４）。例えば、電子化商品（電子書籍）のトレード価格が、３００円であれば、顧客からマーケット業者への支払金額が、３００円となる。
【０１６８】
図１０において、処理種別＝２では、中古品（古本）に対応する電子化商品（電子書籍）が存在しないので、買取業者の店員は、店舗端末装置２０の画面上に表示されたトレード価格購入予約画面（不図示）で、買取業者が顧客から買い取った中古品（古本）についての中古品識別情報（例えば、ＩＳＢＮコード等）を、顧客により選択された少なくとも１つのマーケット業者（つまり、電子化商品（電子書籍）が発売されたら、そこからトレード価格で購入することを予約しておくための購入先の候補となるマーケット業者）についてのマーケット業者識別情報およびそれらの各マーケット業者用の顧客識別情報（マーケットＩＤ）とともに入力し、入力した中古品識別情報（例えば、ＩＳＢＮコード等）を、少なくとも１つの候補マーケット業者についてのマーケット業者識別情報および各候補マーケット業者用の顧客識別情報（マーケットＩＤ）とともに、ネットワーク１を介してトレードサーバ３０へ送信する（ステップＳ２１）。
【０１６９】
また、処理種別＝２では、電子化商品（電子書籍）のトレード価格での購入代金の決済は、顧客とマーケット業者との間で後に行われるので、この段階では、中古品（古本）の買取の決済のみを行うべく、買取業者の店員は、顧客に対し、前述したステップＳ１で調査・決定した査定額を支払う。例えば、中古品（古本）の査定額が、１００円であれば、買取業者から顧客への現金支払金額は、１００円となる。
【０１７０】
トレードサーバ３０では、トレード価格購入予約受付処理手段３１により、中古品識別情報（例えば、ＩＳＢＮコード等）を、顧客により選択された少なくとも１つの候補マーケット業者についてのマーケット業者識別情報およびそれらの各候補マーケット業者用の顧客識別情報（マーケットＩＤ）とともに、店舗端末装置２０からネットワーク１を介して受信し、受信した中古品識別情報（例えば、ＩＳＢＮコード等）を、受信した少なくとも１つの候補マーケット業者についてのマーケット業者識別情報およびそれらの各候補マーケット業者用の顧客識別情報（マーケットＩＤ）と関連付けて顧客購入情報記憶手段４０（図２参照）に記憶させる（ステップＳ２２）。
【０１７１】
続いて、トレードサーバ３０では、対応商品発売監視処理手段３３により、中古品（古本）に対応する電子化商品（電子書籍）が発売されたか否かを監視するために、顧客購入情報記憶手段４０（図２参照）に記憶された処理種別＝２のレコードの中古品識別情報（例えば、ＩＳＢＮコード等）について、商品情報記憶手段４１（図３参照）に同一の中古品識別情報が記憶されているか否かを繰り返し判断し、記憶されている場合には、商品情報記憶手段４１からその中古品識別情報に対応する電子化商品識別情報（例えば、ＩＳＢＮコード等）およびマーケット業者識別情報を取得する（ステップＳ２３）。この際、商品情報記憶手段４１（図３参照）に同一の中古品識別情報が記憶されていても、処理種別＝２のレコードの中古品識別情報については、発売された電子化商品（電子書籍）を販売するマーケット業者が、顧客の指定した候補マーケット業者の中に含まれている必要があるので、対応商品発売監視処理手段３３により、商品情報記憶手段４１にその中古品識別情報に関連付けられて記憶されているマーケット業者識別情報が、顧客購入情報記憶手段４０（図２参照）に記憶された処理種別＝２のレコードのいずれかの候補マーケット業者についてのマーケット業者識別情報と一致した場合にのみ、商品情報記憶手段４１からその中古品識別情報に対応する電子化商品識別情報（例えば、ＩＳＢＮコード等）およびマーケット業者識別情報を取得する。
【０１７２】
それから、電子化商品（電子書籍）が発売された場合には、トレード価格購入予約情報送信処理手段３４により、対応商品発売監視処理手段３３により取得した電子化商品識別情報（例えば、ＩＳＢＮコード等）を、処理種別＝２のレコードの中古品識別情報（例えば、ＩＳＢＮコード等）に関連付けられて顧客購入情報記憶手段４０（図２参照）に記憶されている顧客識別情報（マーケットＩＤ）のうち、対応商品発売監視処理手段３３により取得したマーケット業者識別情報のマーケット業者（すなわち、中古品（古本）に対応する電子化商品（電子書籍）を発売したマーケット業者）用の顧客識別情報（マーケットＩＤ）とともに、そのマーケット業者識別情報に対応するマーケット業者サーバ５０（すなわち、中古品（古本）に対応する電子化商品（電子書籍）を発売したマーケット業者のマーケット業者サーバ５０）へ送信する（ステップＳ２４）。
【０１７３】
また、トレード価格購入予約情報送信処理手段３４により、マーケット業者サーバ５０へ送信した電子化商品識別情報（例えば、ＩＳＢＮコード等）、並びに、送信先のマーケット業者サーバ５０のマーケット業者についてのマーケット業者識別情報およびそのマーケット業者用の顧客識別情報（マーケットＩＤ）を、処理種別＝２のレコードの中古品識別情報（例えば、ＩＳＢＮコード等）に関連付けて顧客購入情報記憶手段４０（図２参照）に記憶させる（ステップＳ２４）。なお、送信先のマーケット業者の情報は、顧客購入情報記憶手段４０（図２参照）の購入マーケット業者のカラムに記憶させる。
【０１７４】
マーケット業者サーバ５０では、トレード価格購入予約情報登録処理手段５１により、トレードサーバ３０からネットワーク１を介して送信されてくる電子化商品識別情報（例えば、ＩＳＢＮコード等）を、顧客識別情報（マーケットＩＤ）とともに受信し、受信した電子化商品識別情報（例えば、ＩＳＢＮコード等）を、顧客識別情報（マーケットＩＤ）と関連付けてトレード価格購入予約情報記憶手段６０（図６参照）に記憶させる（ステップＳ２５）。
【０１７５】
一方、トレードサーバ３０では、通知処理手段３６により、顧客購入情報記憶手段４０（図２参照）の処理種別＝２のレコードの当該中古品識別情報に関連付けられて記憶されている顧客特定用の情報（すなわち、第１の候補マーケット業者についてのマーケット業者識別情報およびその顧客識別情報（マーケットＩＤ））を用いて、顧客情報記憶手段４２（図４参照）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ２６）。
【０１７６】
また、通知処理手段３６により、顧客購入情報記憶手段４０（図２参照）の処理種別＝２のレコードの当該中古品識別情報が記憶されたテーブルに対応する買取業者についての買取業者管理情報に関連付けられて買取業者情報記憶手段４３（図５参照）に記憶されている連絡先の情報（本実施形態では、一例として電子メールアドレスとする。）を取得し、取得した連絡先（買取業者）へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ２６）。
【０１７７】
それから、顧客は、自宅等にある顧客端末装置８０を操作するか、または買取業者の店舗に出向いて店舗端末装置２０を操作することにより、自分宛の通知メールを受信し、閲覧する（ステップＳ２７）。また、買取業者の店員は、店舗端末装置２０を操作することにより、その買取業者宛の通知メールを受信し、閲覧する（ステップＳ２７）。そして、買取業者の店員は、この通知メールを受け取ったときには、店舗端末装置２０から、顧客情報記憶手段４２（図４参照）に記憶された当該顧客の連絡先の情報を参照し、顧客情報記憶手段４２に、電話番号やファクシミリ番号等のような電子メールアドレス以外の連絡先の情報が記憶されている場合には、それらの連絡先の情報を用いて電子メール以外の方法での人手による通知（例えば、電話をかける、ＦＡＸを送る等）を行ってもよい。
【０１７８】
さらに、顧客は、買取業者の店舗に出向き、店舗端末装置２０を自ら操作することにより、自分が売った中古品（古本）に対応する電子化商品（電子書籍）が発売されたか否かを確認することができる。すなわち、店舗端末装置２０において、顧客が、第１の候補マーケット業者についてのマーケット業者識別情報およびその顧客識別情報（マーケットＩＤ）、あるいは会員識別情報（会員ＩＤ）を入力し、自己のトレード購入予約状況確認画面の表示要求を行うと、この表示要求信号が、第１の候補マーケット業者についてのマーケット業者識別情報およびその顧客識別情報（マーケットＩＤ）、あるいは会員識別情報（会員ＩＤ）とともに、トレードサーバ３０へネットワーク１を介して送信される。トレードサーバ３０では、図示されない顧客購入情報閲覧処理手段により、店舗端末装置２０から送信されてくるトレード購入予約状況確認画面の表示要求信号を、第１の候補マーケット業者についてのマーケット業者識別情報およびその顧客識別情報（マーケットＩＤ）、あるいは会員識別情報（会員ＩＤ）とともに受信すると、受信した第１の候補マーケット業者についてのマーケット業者識別情報およびその顧客識別情報（マーケットＩＤ）、あるいは会員識別情報（会員ＩＤ）を用いて、顧客購入情報記憶手段４０（図２参照）の当該顧客のレコードにおける購入マーケット業者のカラムにデータが記憶されているか否かを判断することにより（対応する電子化商品（電子書籍）が発売されていれば、ステップＳ２４でトレード価格購入予約情報送信処理手段３４によりデータが格納されているはずであるため。）、対応する電子化商品（電子書籍）が発売されたか否かを判断し、その判断結果をネットワーク１を介して店舗端末装置２０へ送信する。なお、図２の例では、顧客購入情報記憶手段４０（図２参照）の処理種別＝２のレコードには、会員識別情報（会員ＩＤ）は記憶されていないが、トレード価格購入予約受付処理手段３１により会員識別情報（会員ＩＤ）の入力も受け付けていれば、会員識別情報（会員ＩＤ）が記憶されている場合もある。
【０１７９】
その後、顧客は、自宅等にある顧客端末装置８０を操作するか、または買取業者の店舗に出向いて店舗端末装置２０を操作することにより、ネットワーク１を介してマーケット業者サーバ５０にアクセスし、そのマーケット業者に自己が登録している顧客識別情報（マーケットＩＤ）を入力してログインし、顧客識別情報を含むダウンロード要求信号を、マーケット業者サーバ５０へネットワーク１を介して送信する（ステップＳ２８）。
【０１８０】
マーケット業者サーバ５０では、ダウンロード要求受付処理手段５２により、顧客が操作する顧客端末装置８０または店舗端末装置２０からネットワーク１を介して送信されてくるトレード価格購入予約に係る電子化商品（電子書籍）のダウンロード要求信号を、顧客識別情報（マーケットＩＤ）とともに受信する（ステップＳ２９）。
【０１８１】
続いて、ダウンロード要求受付処理手段５２により、受信した顧客識別情報（マーケットＩＤ）に関連付けられてトレード価格購入予約情報記憶手段６０（図６参照）に記憶されている電子化商品識別情報（例えば、ＩＳＢＮコード等）を取得し、さらに、この電子化商品識別情報に関連付けられて電子化商品記憶手段６１に記憶されている電子化商品（電子書籍ファイル）を取得し、取得した電子化商品（電子書籍ファイル）を、顧客端末装置８０または店舗端末装置２０へネットワーク１を介して送信する（ステップＳ３０）。
【０１８２】
この際、受信した顧客識別情報（マーケットＩＤ）に関連付けられた電子化商品識別情報（例えば、ＩＳＢＮコード等）が複数ある場合、すなわち１人の顧客が複数の中古品（古本）を持ち込んで複数の電子化商品（電子書籍）のトレード購入予約を行っていた場合には、ダウンロード要求受付処理手段５２により、それらの電子化商品（電子書籍）を全部まとめてダウンロードの対象としてもよく、あるいは複数の電子化商品（電子書籍）についての電子化商品識別情報（例えば、ＩＳＢＮコード等、あるいは書籍名）を、顧客端末装置８０または店舗端末装置２０へネットワーク１を介して送信し、いずれの電子化商品（電子書籍）をダウンロードするのかを、顧客に指定させ、その指定情報（顧客により指定された電子化商品（電子書籍）についての電子化商品識別情報またはその代替情報）を、顧客端末装置８０または店舗端末装置２０からネットワーク１を介して受信し、指定された電子化商品（電子書籍）だけをダウンロードの対象としてもよい。
【０１８３】
顧客端末装置８０または店舗端末装置２０では、マーケット業者サーバ５０からネットワーク１を介して送信されてくる電子化商品（電子書籍ファイル）を受信し（ステップＳ３１）、受信した電子化商品（電子書籍ファイル）を、電子ブックリーダ８１に有線または無線で転送する（ステップＳ３２）。
【０１８４】
一方、マーケット業者サーバ５０では、トレード価格取得処理手段５３により、ダウンロード要求受付処理手段５２により受信した顧客識別情報（マーケットＩＤ）に関連付けられてトレード価格購入予約情報記憶手段６０（図６参照）に記憶されている電子化商品識別情報（例えば、ＩＳＢＮコード等）を用いて、トレード価格記憶手段６２（図７参照）に記憶されたトレード価格購入予約に係る電子化商品（電子書籍）のトレード価格を取得する（ステップＳ３３）。
【０１８５】
それから、決済処理手段５４により、トレード価格取得処理手段５３により取得したトレード価格を用いて、ダウンロード要求受付処理手段５２により受信した顧客識別情報（マーケットＩＤ）に関連付けられて決済情報記憶手段６３（図８参照）に記憶されているダウンロード要求を行った顧客の決済情報に従って、顧客とマーケット業者との間で電子化商品（電子書籍）の購入の決済処理を実行する（ステップＳ３４）。例えば、電子化商品（電子書籍）のトレード価格が、３００円であれば、顧客からマーケット業者への支払金額が、３００円となる。
【０１８６】
図１１において、ステップＳ４１，Ｓ４２，Ｓ４３の処理は、前述した図９のステップＳ１，Ｓ２，Ｓ３の処理と同様である。
【０１８７】
ここで、検索の結果、対応する電子化商品（電子書籍）が既に発売されていた場合（ステップＳ４４）には、前述したように、電子化商品識別情報（例えば、ＩＳＢＮコード等）およびトレード価格が画面表示されるので、買取業者の店員は、処理種別＝３，４の処理を開始する。一方、ステップＳ４４で、対応する電子化商品（電子書籍）が未だ発売されていなかった場合には、電子化商品識別情報（例えば、ＩＳＢＮコード等）およびトレード価格は画面表示されないので、買取業者の店員は、後述する図１２に示すように、処理種別＝５，６の処理を開始する。
【０１８８】
図１１において、処理種別＝３では、買取業者の店員は、店舗端末装置２０の画面上に表示されたトレード価格購入予約画面（不図示）で、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに、ネットワーク１を介してトレードサーバ３０へ送信する（ステップＳ４５）。
【０１８９】
そして、トレードサーバ３０では、トレード価格購入予約受付処理手段３１により、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、中古品（古本）を持ち込んできた顧客に対して発券番号を自動付与してこの発券番号を付した発券票（発券番号を示すバーコードや２次元バーコードを記載した発券票でもよく、発券番号を示す数字を記載した発券票でもよい。）の印刷用情報を、店舗端末装置２０へネットワーク１を介して送信するとともに、受信した電子化商品識別情報（例えば、ＩＳＢＮコード等）を、発券番号およびマーケット業者識別情報と関連付けて顧客購入情報記憶手段４０（図２参照）に記憶させる（ステップＳ４６）。店舗端末装置２０では、トレードサーバ３０からネットワーク１を介して送信されてくる発券票の印刷用情報を受信し、発券番号を付した発券票を印刷する。買取業者の店員は、印刷した発券票を、顧客に手渡しする。
【０１９０】
また、処理種別＝４では、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに、ネットワーク１を介してトレードサーバ３０へ送信する（ステップＳ４５）。この際、会員識別情報（会員ＩＤ）は、会員カード等から読み込むことができる。
【０１９１】
そして、トレードサーバ３０では、トレード価格購入予約受付処理手段３１により、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、受信した電子化商品識別情報（例えば、ＩＳＢＮコード等）を、会員識別情報（会員ＩＤ）およびマーケット業者識別情報と関連付けて顧客購入情報記憶手段４０（図２参照）に記憶させる（ステップＳ４６）。
【０１９２】
なお、処理種別＝３を選択して発券票を用いる場合は、例えば、買取業者へあまり来ないか、１回だけしか来ない顧客からの買取の場合であり、処理種別＝４を選択して会員識別情報（会員ＩＤ）を用いる場合は、例えば、買取業者へ何回も来る顧客からの買取の場合である。
【０１９３】
また、処理種別＝３，４では、電子化商品（電子書籍）のトレード価格での購入代金の決済は、買取業者が顧客の代理決済を行うという形で、後に買取業者とマーケット業者との間で行われるので、この段階では、買取業者は、顧客に対し、前述したステップＳ４１で調査・決定した査定額を支払う一方で、代理決済のための必要資金（トレード価格の資金）を顧客から受け取ることになり、結局、顧客と買取業者との間で、査定額とトレード価格との差額の精算を行う。例えば、中古品（古本）の査定額が、１００円であり、トレード価格が、３００円であれば、買取業者が顧客に１００円を支払い、顧客が買取業者に３００円を支払うことになるので、結局、顧客から買取業者への現金支払金額は、差額の２００円となる。
【０１９４】
その後、顧客は、買取業者の店舗に出向き、店舗端末装置２０を自ら操作するか、または買取業者の店員に代行操作を依頼することにより、トレード価格購入予約に係る電子化商品のダウンロード要求信号を、処理種別＝３では、発券番号とともに、処理種別＝４では、会員識別情報（会員ＩＤ）とともに、ネットワーク１を介してトレードサーバ３０へ送信する（ステップＳ４７）。この際、発券番号は、店舗端末装置２０に設けられたバーコードリーダや２次元バーコードリーダ等により発券票から読み込み、会員識別情報（会員ＩＤ）は、会員カード等から読み込むことができる。なお、発券番号や会員識別情報（会員ＩＤ）を手入力してもよい。
【０１９５】
トレードサーバ３０では、ダウンロード中継処理手段３７により、店舗端末装置２０からネットワーク１を介して送信されてくるトレード価格購入予約に係る電子化商品のダウンロード要求信号を、発券番号または会員識別情報（会員ＩＤ）とともに受信する（ステップＳ４８）。
【０１９６】
この際、発券番号を受信する処理種別＝３の場合は、買取業者にあまり来ないか、または１回だけしか来ない顧客によるダウンロード要求である可能性が大きいため、その発券番号を複数の顧客で不正に使い回しされることのないように、ダウンロード中継処理手段３７により、ある発券番号を使って１度ダウンロードが行われたら、その発券番号を無効化する処理（ダウンロード済とする処理）を行うことが好ましい。具体的には、例えば、顧客購入情報記憶手段４０（図２参照）に、発券番号の有効・無効を示すフラグ（ダウンロード未済・済を示すフラグ）を格納するカラム（不図示）を設けておき、発券番号を受信した場合に、ダウンロード中継処理手段３７により、受信した発券番号に関連付けられて顧客購入情報記憶手段４０に記憶されている当該フラグを、有効（ダウンロード未済）を示す状態から無効（ダウンロード済）を示す状態に更新する処理を行えばよい。なお、フラグを更新するのは、後述するステップＳ５３で、電子化商品（電子書籍のファイル）の店舗端末装置２０への送信、つまり顧客への送信が完了してからでもよい。
【０１９７】
続いて、ダウンロード中継処理手段３７により、受信した発券番号または会員識別情報（会員ＩＤ）に関連付けられて顧客購入情報記憶手段４０（図２参照）に記憶されている電子化商品識別情報（例えば、ＩＳＢＮコード等）およびマーケット業者識別情報を取得する（ステップＳ４９）。
【０１９８】
それから、ダウンロード中継処理手段３７により、取得した電子化商品識別情報（例えば、ＩＳＢＮコード等）を、取得したマーケット業者識別情報のマーケット業者が買取業者を識別するための買取業者識別情報とともに、取得したマーケット業者識別情報に対応するマーケット業者サーバ５０へネットワーク１を介して送信する（ステップＳ５０）。
【０１９９】
マーケット業者サーバ５０では、ダウンロード要求受付処理手段５２により、トレードサーバ３０からネットワーク１を介して送信されてくるトレード価格購入予約に係る電子化商品（電子書籍）のダウンロード要求信号を、電子化商品識別情報（例えば、ＩＳＢＮコード等）および買取業者識別情報とともに受信する（ステップＳ５１）。
【０２００】
続いて、ダウンロード要求受付処理手段５２により、受信した電子化商品識別情報の電子化商品（電子書籍のファイル）を、電子化商品記憶手段６１から取得し、取得した電子化商品（電子書籍のファイル）を、トレードサーバ３０へネットワーク１を介して送信する（ステップＳ５２）。
【０２０１】
トレードサーバ３０では、ダウンロード中継処理手段３７により、マーケット業者サーバ５０からネットワーク１を介して送信されてくる電子化商品（電子書籍のファイル）を受信し、受信した電子化商品（電子書籍のファイル）を、店舗端末装置２０へネットワーク１を介して送信する（ステップＳ５３）。
【０２０２】
店舗端末装置２０では、トレードサーバ３０からネットワーク１を介して送信されてくる電子化商品（電子書籍のファイル）を受信すると（ステップＳ５４）、顧客は、その電子化商品（電子書籍のファイル）を、店舗端末装置２０から自己の所持する電子ブックリーダ８１へ有線または無線で転送する（ステップＳ５５）。
【０２０３】
一方、マーケット業者サーバ５０では、トレード価格取得処理手段５３により、ダウンロード要求受付処理手段５２により受信した電子化商品識別情報（例えば、ＩＳＢＮコード等）に関連付けられてトレード価格記憶手段６２（図７参照）に記憶されたトレード価格購入予約に係る電子化商品（電子書籍）のトレード価格を取得する（ステップＳ５６）。
【０２０４】
それから、決済処理手段５４により、トレード価格取得処理手段５３により取得したトレード価格を用いて、ダウンロード要求受付処理手段５２により受信した買取業者識別情報に関連付けられて決済情報記憶手段６３（図８参照）に記憶されているダウンロード要求の送信元の買取業者の決済情報に従って、買取業者とマーケット業者との間の決済処理を実行する（ステップＳ５７）。例えば、電子化商品（電子書籍）のトレード価格が、３００円であれば、買取業者からマーケット業者への支払金額が、３００円となる。
【０２０５】
図１２において、処理種別＝５では、中古品（古本）に対応する電子化商品（電子書籍）が存在しないので、買取業者の店員は、店舗端末装置２０の画面上に表示されたトレード価格購入予約画面（不図示）で、買取業者が顧客から買い取った中古品（古本）についての中古品識別情報（例えば、ＩＳＢＮコード等）を入力し、入力した中古品識別情報（例えば、ＩＳＢＮコード等）を、ネットワーク１を介してトレードサーバ３０へ送信する（ステップＳ６１）。
【０２０６】
そして、トレードサーバ３０では、トレード価格購入予約受付処理手段３１により、顧客から買い取った中古品（古本）についての中古品識別情報（例えば、ＩＳＢＮコード等）を、店舗端末装置２０からネットワーク１を介して受信し、顧客に対して予約番号を自動付与してこの予約番号を付した予約票（予約番号を示すバーコードや２次元バーコードを記載した予約票でもよく、予約番号を示す数字を記載した予約票でもよい。）の印刷用情報を、店舗端末装置２０へネットワーク１を介して送信するとともに、受信した中古品識別情報（例えば、ＩＳＢＮコード等）を、予約番号と関連付けて顧客購入情報記憶手段４０（図２参照）に記憶させる（ステップＳ６２）。店舗端末装置２０では、トレードサーバ３０からネットワーク１を介して送信されてくる予約票の印刷用情報を受信し、予約番号を付した予約票を印刷する。買取業者の店員は、印刷した予約票を、顧客に手渡しする。
【０２０７】
また、処理種別＝６では、中古品（古本）に対応する電子化商品（電子書籍）が存在しないので、買取業者の店員は、店舗端末装置２０の画面上に表示されたトレード価格購入予約画面（不図示）で、買取業者が顧客から買い取った中古品（古本）についての中古品識別情報（例えば、ＩＳＢＮコード等）を、顧客についての会員識別情報（顧客から中古品（古本）の買取を行った買取業者がその顧客を識別するための会員ＩＤ）とともに入力し、入力した中古品識別情報（例えば、ＩＳＢＮコード等）および会員識別情報（会員ＩＤ）を、ネットワーク１を介してトレードサーバ３０へ送信する（ステップＳ６１）。この際、会員識別情報（会員ＩＤ）は、会員カード等から読み込むことができる。
【０２０８】
そして、トレードサーバ３０では、トレード価格購入予約受付処理手段３１により、顧客から買い取った中古品（古本）についての中古品識別情報（例えば、ＩＳＢＮコード等）を、顧客についての会員識別情報（会員ＩＤ）とともに、店舗端末装置２０からネットワーク１を介して受信し、受信した中古品識別情報（例えば、ＩＳＢＮコード等）を、会員識別情報（会員ＩＤ）と関連付けて顧客購入情報記憶手段４０（図２参照）に記憶させる（ステップＳ６２）。
【０２０９】
なお、処理種別＝５を選択して予約票を用いる場合は、例えば、買取業者へあまり来ないか、１回だけしか来ない顧客からの買取の場合であり、処理種別＝６を選択して会員識別情報（会員ＩＤ）を用いる場合は、例えば、買取業者へ何回も来る顧客からの買取の場合である。
【０２１０】
また、処理種別＝５，６では、電子化商品（電子書籍）のトレード価格での購入代金の決済は、買取業者が顧客の代理決済を行うという形で、後に買取業者とマーケット業者との間で行われるが、この段階では、マーケット業者が決まっていないことから、トレード価格も決まらないので、中古品（古本）の買取の決済のみを行うべく、買取業者の店員は、顧客に対し、前述したステップＳ４１で調査・決定した査定額を支払う。例えば、中古品（古本）の査定額が、１００円であれば、買取業者から顧客への現金支払金額は、１００円となる。
【０２１１】
トレードサーバ３０では、対応商品発売監視処理手段３３により、中古品（古本）に対応する電子化商品（電子書籍）が発売されたか否かを監視するために、顧客購入情報記憶手段４０（図２参照）に記憶された処理種別＝５，６のレコードの中古品識別情報（例えば、ＩＳＢＮコード等）について、商品情報記憶手段４１（図３参照）に同一の中古品識別情報が記憶されているか否かを繰り返し判断し、記憶されている場合には、商品情報記憶手段４１からその中古品識別情報に対応する電子化商品識別情報（例えば、ＩＳＢＮコード等）およびマーケット業者識別情報を取得する（ステップＳ６３）。
【０２１２】
続いて、発売商品反映処理手段３５により、対応商品発売監視処理手段３３により取得した電子化商品識別情報（例えば、ＩＳＢＮコード等）およびマーケット業者識別情報を、処理種別＝５では、予約番号と関連付けて、処理種別＝６では、会員識別情報（会員ＩＤ）と関連付けて顧客購入情報記憶手段４０（図２参照）の処理種別＝５，６のレコードに記憶させる（ステップＳ６４）。なお、マーケット業者識別情報は、顧客購入情報記憶手段４０（図２参照）の購入マーケット業者についてのマーケット業者識別情報のカラムに記憶させる。
【０２１３】
それから、通知処理手段３６により、顧客購入情報記憶手段４０（図２参照）の処理種別＝５，６のレコードの当該中古品識別情報に関連付けられて記憶されている顧客特定用の情報（予約番号または会員識別情報（会員ＩＤ））を用いて、顧客情報記憶手段４２（図４参照）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ６５）。
【０２１４】
また、通知処理手段３６により、顧客購入情報記憶手段４０（図２参照）の処理種別＝５，６のレコードの当該中古品識別情報が記憶されたテーブルに対応する買取業者についての買取業者管理情報に関連付けられて買取業者情報記憶手段４３（図５参照）に記憶されている連絡先の情報（本実施形態では、一例として電子メールアドレスとする。）を取得し、取得した連絡先（買取業者）へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ６５）。
【０２１５】
それから、顧客は、自宅等にある顧客端末装置８０を操作することにより、自分宛の通知メールを受信し、閲覧するか（ステップＳ６６）、あるいは、顧客は、買取業者の店舗に出向いて店舗端末装置２０を操作することにより、自分宛の通知メールを受信し、閲覧する（ステップＳ６７）。また、買取業者の店員は、店舗端末装置２０を操作することにより、その買取業者宛の通知メールを受信し、閲覧する（ステップＳ６７）。そして、買取業者の店員は、この通知メールを受け取ったときには、店舗端末装置２０から、顧客情報記憶手段４２（図４参照）に記憶された当該顧客の連絡先の情報を参照し、顧客情報記憶手段４２に、電話番号やファクシミリ番号等のような電子メールアドレス以外の連絡先の情報が記憶されている場合には、それらの連絡先の情報を用いて電子メール以外の方法での人手による通知（例えば、電話をかける、ＦＡＸを送る等）を行ってもよい。
【０２１６】
さらに、顧客は、買取業者の店舗に出向き、店舗端末装置２０を自ら操作することにより、自分が売った中古品（古本）に対応する電子化商品（電子書籍）が発売されたか否かを確認することができる。すなわち、店舗端末装置２０において、顧客が、予約番号または会員識別情報（会員ＩＤ）を入力し、自己のトレード購入予約状況確認画面の表示要求を行うと、この表示要求信号が、予約番号または会員識別情報（会員ＩＤ）とともに、トレードサーバ３０へネットワーク１を介して送信される。トレードサーバ３０では、図示されない顧客購入情報閲覧処理手段により、店舗端末装置２０から送信されてくるトレード購入予約状況確認画面の表示要求信号を、予約番号または会員識別情報（会員ＩＤ）とともに受信すると、受信した予約番号または会員識別情報（会員ＩＤ）を用いて、顧客購入情報記憶手段４０（図２参照）の当該顧客のレコードにおける購入マーケット業者についてのマーケット業者識別情報のカラムにデータが記憶されているか否かを判断することにより（対応する電子化商品（電子書籍）が発売されていれば、ステップＳ６４で発売商品反映処理手段３５によりデータが格納されているはずであるため。）、対応する電子化商品（電子書籍）が発売されたか否かを判断し、その判断結果をネットワーク１を介して店舗端末装置２０へ送信する。
【０２１７】
その後、顧客は、買取業者の店舗に出向き、店舗端末装置２０を自ら操作するか、または買取業者の店員に代行操作を依頼することにより、トレード価格購入予約に係る電子化商品のダウンロード要求信号を、処理種別＝５では、予約番号とともに、処理種別＝６では、会員識別情報（会員ＩＤ）とともに、ネットワーク１を介してトレードサーバ３０へ送信する（ステップＳ６８）。この際、予約番号は、店舗端末装置２０に設けられたバーコードリーダや２次元バーコードリーダ等により予約票から読み込み、会員識別情報（会員ＩＤ）は、会員カード等から読み込むことができる。なお、予約番号や会員識別情報（会員ＩＤ）を手入力してもよい。
【０２１８】
また、マーケット業者が決まり、トレード価格が決まったことから、トレード価格の決済を行うべく、顧客は、買取業者に対し、トレード価格を支払う。なお、買取業者は、トレードサーバ３０の検索処理手段３２による検索を行うことで、トレード価格を取得することができる。例えば、対応する電子化商品（電子書籍）が、３００円であれば、顧客から買取業者への現金支払金額は、３００円となる。
【０２１９】
トレードサーバ３０では、ダウンロード中継処理手段３７により、店舗端末装置２０からネットワーク１を介して送信されてくるトレード価格購入予約に係る電子化商品のダウンロード要求信号を、予約番号または会員識別情報（会員ＩＤ）とともに受信する（ステップＳ６９）。
【０２２０】
この際、予約番号を受信する処理種別＝５の場合は、買取業者にあまり来ないか、または１回だけしか来ない顧客によるダウンロード要求である可能性が大きいため、その予約番号を複数の顧客で不正に使い回しされることのないように、ダウンロード中継処理手段３７により、ある予約番号を使って１度ダウンロードが行われたら、その予約番号を無効化する処理（ダウンロード済とする処理）を行うことが好ましい。具体的には、例えば、顧客購入情報記憶手段４０（図２参照）に、予約番号の有効・無効を示すフラグ（ダウンロード未済・済を示すフラグ）を格納するカラム（不図示）を設けておき、予約番号を受信した場合に、ダウンロード中継処理手段３７により、受信した予約番号に関連付けられて顧客購入情報記憶手段４０に記憶されている当該フラグを、有効（ダウンロード未済）を示す状態から無効（ダウンロード済）を示す状態に更新する処理を行えばよい。なお、フラグを更新するのは、後述するステップＳ７４で、電子化商品（電子書籍のファイル）の店舗端末装置２０への送信、つまり顧客への送信が完了してからでもよい。
【０２２１】
続いて、ダウンロード中継処理手段３７により、受信した予約番号または会員識別情報（会員ＩＤ）に関連付けられて顧客購入情報記憶手段４０（図２参照）に記憶されている電子化商品識別情報（例えば、ＩＳＢＮコード等）およびマーケット業者識別情報を取得する（ステップＳ７０）。
【０２２２】
以降のステップＳ７１〜Ｓ７８の処理は、前述した図１１のステップＳ５０〜Ｓ５７の処理と同様である。
【０２２３】
このような第１実施形態によれば、次のような効果がある。すなわち、トレードシステム１０では、顧客にとっては、中古品（古本）を売ってトレード価格でその電子化商品（電子書籍）を購入することができるので、新規購入価格で電子化商品（電子書籍）を購入するよりも安価に同じ電子化商品（電子書籍）を購入することができる。このため、大きなコストをかけずに、購入済みの中古品（古本）について、電子化による保管を実現することができるので、保管場所の確保の問題を解消することができ、商品検索も容易に実現することができるうえ、スキャナを用いて自身で電子化（自炊）するといった手間や時間のかかる作業を行うことなく、綺麗に電子化された状態での商品保管を実現することができる。以上は、顧客のメリットである。
【０２２４】
また、トレードシステム１０では、中古品（古本）を買い取る買取業者にとっては、顧客が中古品（古本）を売ればトレード価格で安価にその電子化商品（電子書籍）を購入することができるので、自分が保有している中古品（古本）を売って電子化しようと考える顧客が増えるため、中古品市場を活性化することができ、顧客層の拡大に伴う売上げの拡大を図ることができる。つまり、これまで、自分が既に購入して保有している中古品（古本）は、一種の財産、あるいは情報源と考えて、それを売ることは考えなかったような顧客が、電子化商品（電子書籍）との交換売買という形で、中古品（古本）を売ろうと考えるようになり、中古品市場（古本市場）の活性化に繋げることができる。以上は、買取業者のメリットである。
【０２２５】
さらに、トレードシステム１０では、電子化商品（電子書籍）を販売するマーケット業者にとっては、顧客が中古品（古本）を売ればトレード価格で安価にその電子化商品（電子書籍）を購入することができるので、既に同じ内容の商品（非電子化商品）を購入して中古品（古本）として保有している顧客に対し、電子化商品（電子書籍）の購入のインセンティブを付与することができ、新たな顧客層の開拓を実現することができ、電子化商品市場（電子書籍市場）を活性化させることができる。以上は、マーケット業者のメリットである。
【０２２６】
そして、トレードシステム１０では、トレードサーバ３０が設けられているので、このトレードサーバ３０により、店舗端末装置２０またはマーケット業者サーバ５０が持つべき機能の一部を担うことができるため、店舗端末装置２０またはマーケット業者サーバ５０の負荷の軽減や、買取業者またはマーケット業者の設備コストの低減を図ることができる。以上は、トレードサーバ３０の設置効果であり、このトレードサーバ３０の管理者は、いわゆるアプリケーションサービスプロバイダ（ASP：Application  Service  Provider）となることができる。
【０２２７】
また、トレードシステム１０では、処理種別＝１，２を選択した場合（図９、図１０参照）、顧客が、顧客識別情報（マーケット業者が顧客を識別するための情報であるマーケットＩＤ）を使用してマーケット業者サーバ５０へアクセスし、電子化商品（電子書籍）をダウンロードするようになっているので、電子化商品（電子書籍）に関する決済は、顧客とマーケット業者との間で行うことができ、買取業者は、顧客との間で、中古品（古本）の買取に関する決済を行えばよくなり、買取業者の負担を軽減することができる。
【０２２８】
そして、処理種別＝１，２を選択した場合（図９、図１０参照）、顧客識別情報（マーケットＩＤ）を使用してダウンロードするので、マーケット業者サーバ５０に、顧客識別情報（マーケットＩＤ）に関連付けられて購入ログ（購入した電子化商品（電子書籍）についての電子化商品識別情報（例えば、ＩＳＢＮコード等）、購入日時、購入代金等）が残っていることを前提とすれば、顧客は、再ダウンロードを行うこともできる。
【０２２９】
また、処理種別＝１，２を選択する場合（図９、図１０参照）、顧客は、自分のパーソナル・コンピュータを持っていなくても、買取業者の店舗へ出向いて店舗において、店舗端末装置２０を使ってマーケット業者用の顧客識別情報（マーケットＩＤ）を登録することができるので、登録後には店舗端末装置２０を操作し、顧客識別情報（マーケットＩＤ）を使用して電子化商品（電子書籍）のダウンロードを行うことができるが、このように顧客識別情報（マーケットＩＤ）を登録しておくことで、後にパーソナル・コンピュータを購入した場合には、自宅のパーソナル・コンピュータ（顧客端末装置８０）からも、ダウンロードや再ダウンロードを行うことができる。
【０２３０】
さらに、トレードシステム１０では、処理種別＝３〜６を選択した場合（図１１、図１２参照）、顧客識別情報（マーケット業者が顧客を識別するための情報であるマーケットＩＤ）を使用せずに、買取業者が顧客の代理購入という形式で買取業者識別情報（マーケット業者が買取業者を識別するための情報）を使用してマーケット業者サーバ５０へアクセスして電子化商品（電子書籍）をダウンロードし、買取業者とマーケット業者との間で決済を行うようになっているので、顧客は、自分のパーソナル・コンピュータを持っていなくても、買取業者の店舗に出向くことで、電子化商品（電子書籍）をダウンロードすることができる。また、顧客識別情報を持っていない顧客でも、新たにマーケット業者に顧客識別情報（マーケットＩＤ）を登録することなく、電子化商品（電子書籍）をトレード価格で購入することができ、さらに、顧客識別情報（マーケットＩＤ）を持っているが忘れてしまった顧客や、持っているが使用したくない顧客も、電子化商品（電子書籍）をトレード価格で購入することができる。
【０２３１】
また、トレードシステム１０では、処理種別＝２，５，６を選択した場合（図１０、図１２参照）、買取業者が顧客から中古品（古本）を買い取った時点で、買い取った中古品（古本）に対応する電子化商品（電子書籍）が存在しないケースに対応することができるので、顧客は、後に対応する電子化商品（電子書籍）が発売された段階で、発売された電子化商品（電子書籍）をトレード価格で安価に購入することができる。このため、買い取った中古品（古本）に対応する電子化商品（電子書籍）が存在しないケースでも、前述した顧客のメリット、買取業者のメリット、およびマーケット業者のメリットを得ることができる。
【０２３２】
さらに、トレードシステム１０では、トレードサーバ３０に処理種別変更処理手段（不図示）が設けられているので、当初、処理種別＝５，６を選択していた場合（図１２参照）であっても、途中で処理種別＝２に変更し、顧客識別情報（マーケットＩＤ）を使って電子化商品（電子書籍）をダウンロードすることができる。すなわち、処理種別＝５，６を選択した場合（図１２参照）は、買い取った中古品（古本）に対応する電子化商品（電子書籍）が存在しないケースであるから、対応商品発売監視処理手段３３により、対応する電子化商品（電子書籍）の発売の監視が行われるが、その間に、処理種別＝２に変更して顧客識別情報（マーケットＩＤ）を使ってダウンロードすることができるように変更することができる。この際、トレードサーバ３０の処理種別変更処理手段（不図示）は、トレード価格購入予約受付処理手段３１による処理種別＝２の場合の処理と同様に、店舗端末装置２０から、少なくとも１つの候補マーケット業者についてのマーケット業者識別情報および各候補マーケット業者用の顧客識別情報（マーケットＩＤ）を、ネットワーク１を介して受信し、顧客購入情報記憶手段４０（図２参照）に記憶させる。なお、顧客購入情報記憶手段４０（図２参照）に記憶された中古品識別情報（例えば、ＩＳＢＮコード等）は変更しないが、処理種別カラムのデータは、処理種別＝５または６から、処理種別＝２に変更する。そして、このように処理種別を、処理種別＝５または６から、処理種別＝２に変更すると、マーケット業者への電子化商品（電子書籍）の購入に係るトレード価格の支払方法も変更されることになり、マーケット業者への支払者を、買取業者から顧客に変更することができる。
【０２３３】
［第２実施形態］
【０２３４】
以下に本発明の第２実施形態について図面を参照して説明する。図１３には、本第２実施形態のトレードシステム２００の全体構成が示されている。図１４には、トレード価格購入予約情報記憶手段２６０の構成が示されている。また、図１５〜図１８には、トレードシステム２００によるトレード処理の流れがフローチャートで示されている。本第２実施形態のトレードシステム２００は、前記第１実施形態のトレードシステム１０と同様な構成および機能を備えている部分も多いため、以下では、前記第１実施形態と相違する部分を中心に説明を行い、前記第１実施形態と同じ部分については、同一符号を付すか、あるいは説明を省略または簡略化する。
【０２３５】
前記第１実施形態では、マーケット業者サーバ５０に、そのマーケット業者が販売している全ての電子化商品（電子書籍）のトレード価格を記憶するトレード価格記憶手段６２（図７参照）が設けられていたが、本第２実施形態では、マーケット業者サーバ２５０には、そのようなトレード価格記憶手段は設けられておらず、マーケット業者サーバ２５０には、トレード購入予約に係る電子化商品（電子書籍）のトレード価格が、トレード価格購入予約情報記憶手段２６０（図１４参照）に記憶されるだけである。
【０２３６】
従って、本第２実施形態では、マーケット業者サーバ２５０ではなく、トレードサーバ２３０の商品情報記憶手段２４１（構成は、前記第１実施形態の図３と同様）に、トレード価格を記憶させ、電子化商品（電子書籍）の決済に必要となるトレード価格の情報は、トレード価格購入予約受付処理手段２３１（処理種別＝１、図１５参照）やトレード価格購入予約情報送信処理手段２３４（処理種別＝２、図１６参照）、またはダウンロード中継処理手段２３７（処理種別＝３〜６、図１７、図１８参照）により、トレードサーバ２３０からマーケット業者サーバ２５０へ送信している。このため、本第２実施形態のトレード価格購入予約情報記憶手段２６０（図１４参照）には、トレードサーバ２３０から受信したトレード価格が記憶されるようになっている点が、前記第１実施形態のトレード価格購入予約情報記憶手段６０（図６参照）とは異なっている。
【０２３７】
なお、前記第１実施形態のトレードサーバ３０の商品情報記憶手段４１（図３参照）にも、トレード価格は記憶されているが、これは、検索処理手段３２により、買い取った中古品（古本）に対応する電子化商品（電子書籍）のトレード価格を検索して取得し、顧客に提示するために記憶されているものである。
【０２３８】
図１３において、トレードシステム２００は、中古品（本実施形態では、一例として古本とする。）を買い取る買取業者の店舗に設置された１つまたは複数の店舗端末装置２０と、トレードサーバ２３０と、電子化商品（本実施形態では、一例として電子書籍とする。）を販売するマーケット業者が管理する１つまたは複数のマーケット業者サーバ２５０とが、ネットワーク１で接続されて構成されている。また、ネットワーク１には、中古品（古書）の流通市場サーバ７０や、顧客が操作する多数の顧客端末装置８０が接続されている。
【０２３９】
ここで、マーケット業者サーバ２５０は、前記第１実施形態の場合と同様に、複数のマーケット業者（マーケット業者Ａ，Ｂ）が存在することを前提して説明するので、特に、マーケット業者Ａ，Ｂのそれぞれのマーケット業者サーバ２５０を指すときには、添字Ａ，Ｂを付してマーケット業者サーバ２５０Ａ，２５０Ｂとする。
【０２４０】
トレードサーバ２３０は、１台または複数台のコンピュータにより構成され、トレード価格購入予約受付処理手段２３１と、検索処理手段２３２と、対応商品発売監視処理手段２３３と、トレード価格購入予約情報送信処理手段２３４と、発売商品反映処理手段２３５と、通知処理手段２３６と、ダウンロード中継処理手段２３７と、顧客購入情報記憶手段２４０と、商品情報記憶手段２４１と、顧客情報記憶手段２４２と、買取業者情報記憶手段２４３とを含んで構成されている。
【０２４１】
トレード価格購入予約受付処理手段２３１は、買取業者の店員による店舗端末装置２０からのトレード価格購入予約画面（不図示）の表示要求に基づき、トレード価格購入予約画面の表示用データを、店舗端末装置２０へネットワーク１を介して送信した後、次のように、トレード価格購入予約画面での買取業者の店員による選択操作に従って、処理種別＝１〜６を開始するための処理を実行するものである。ここで、処理種別＝１（図１５参照）、処理種別＝２（図１６参照）、処理種別＝３（図１７参照）、処理種別＝４（図１７参照）、処理種別＝５（図１８参照）、処理種別＝６（図１８参照）の各内容は、前記第１実施形態で説明した通りである。
【０２４２】
すなわち、トレード価格購入予約受付処理手段２３１は、買取業者の店員が処理種別＝１（図１５参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報（マーケット業者Ａ，Ｂのいずれなのかを識別するための情報）およびそのマーケット業者が顧客を識別するための顧客識別情報（マーケットＩＤ）とともに、店舗端末装置２０からネットワーク１を介して受信し、受信した電子化商品識別情報（例えば、ＩＳＢＮコード等）に関連付けられて商品情報記憶手段２４１（図３と同様）に記憶されているトレード価格を取得し、受信した電子化商品識別情報（例えば、ＩＳＢＮコード等）および取得したトレード価格を、顧客識別情報（マーケットＩＤ）とともに、受信したマーケット業者識別情報に対応するマーケット業者サーバ２５０へ送信する処理を実行するものである。この際、トレード価格購入予約受付処理手段２３１は、電子化商品識別情報（例えば、ＩＳＢＮコード等）を、マーケット業者識別情報および顧客識別情報（マーケットＩＤ）と関連付けて顧客購入情報記憶手段２４０（図２と同様）に記憶させる処理も実行する。なお、トレード価格購入予約受付処理手段２３１は、トレード価格については、顧客購入情報記憶手段２４０（図２と同様）に記憶させない。従って、処理種別＝１の場合、商品情報記憶手段２４１（図３と同様）からトレード価格を取得し、取得したトレード価格についても、マーケット業者サーバ２５０へ送信する点が、前記第１実施形態のトレード価格購入予約受付処理手段３１と異なっている。
【０２４３】
また、トレード価格購入予約受付処理手段２３１は、買取業者の店員が処理種別＝２（図１６参照）を選択した場合には、中古品（古本）に対応する電子化商品（電子書籍）が存在しない場合であるから、買取業者が顧客から買い取った中古品（古本）についての中古品識別情報（例えば、ＩＳＢＮコード等）を、顧客により選択された少なくとも１つのマーケット業者（つまり、電子化商品（電子書籍）が発売されたら、そこからトレード価格で購入することを予約しておくための購入先の候補となるマーケット業者）についてのマーケット業者識別情報およびそれらの各マーケット業者用の顧客識別情報（マーケットＩＤ）とともに、店舗端末装置２０からネットワーク１を介して受信し、受信した中古品識別情報（例えば、ＩＳＢＮコード等）を、受信した少なくとも１つのマーケット業者についてのマーケット業者識別情報およびそれらの各マーケット業者用の顧客識別情報（マーケットＩＤ）と関連付けて顧客購入情報記憶手段２４０（図２と同様）に記憶させる処理を実行するものである。なお、トレード価格購入予約受付処理手段２３１は、処理種別＝２の場合、買取業者が顧客から中古品（古本）を買い取った時点では、いずれのマーケット業者から電子化商品（電子書籍）を購入するのかが決まっていないので、トレード価格も決まらないことから、顧客購入情報記憶手段２４０（図２と同様）にトレード価格を記憶させることはできない。従って、処理種別＝２の場合、前記第１実施形態と同様である。
【０２４４】
さらに、トレード価格購入予約受付処理手段２３１は、買取業者の店員が処理種別＝３（図１７参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、中古品（古本）を持ち込んできた顧客に対して発券番号を付与してこの発券番号を付した発券票（発券番号を示すバーコードや２次元バーコードを記載した発券票でもよく、発券番号を示す数字を記載した発券票でもよい。）の印刷用情報を、店舗端末装置２０へネットワーク１を介して送信するとともに、受信した電子化商品識別情報（例えば、ＩＳＢＮコード等）を、発券番号およびマーケット業者識別情報と関連付けて顧客購入情報記憶手段２４０（図２と同様）に記憶させる処理を実行するものである。なお、トレード価格購入予約受付処理手段２３１は、処理種別＝３の場合、いずれのマーケット業者から電子化商品（電子書籍）を購入するのかが決まっているので、トレード価格も決まっているが、後にダウンロード中継処理手段２３７により商品情報記憶手段２４１（図３と同様）からトレード価格を取得し、取得したトレード価格をトレードサーバ２３０からマーケット業者サーバ２５０へ送信するので、顧客購入情報記憶手段２４０（図２と同様）には、トレード価格を記憶させないでよい。従って、処理種別＝３の場合、前記第１実施形態と同様である。
【０２４５】
そして、トレード価格購入予約受付処理手段２３１は、買取業者の店員が処理種別＝４（図１７参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、受信した電子化商品識別情報（例えば、ＩＳＢＮコード等）を、会員識別情報（会員ＩＤ）およびマーケット業者識別情報と関連付けて顧客購入情報記憶手段２４０（図２と同様）に記憶させる処理を実行するものである。なお、トレード価格購入予約受付処理手段２３１は、処理種別＝４の場合も、顧客購入情報記憶手段２４０（図２と同様）には、トレード価格を記憶させないでよい。従って、処理種別＝４の場合、前記第１実施形態と同様である。
【０２４６】
また、トレード価格購入予約受付処理手段２３１は、買取業者の店員が処理種別＝５（図１８参照）を選択した場合には、中古品（古本）に対応する電子化商品（電子書籍）が存在しない場合であるから、顧客から買い取った中古品（古本）についての中古品識別情報（例えば、ＩＳＢＮコード等）を、店舗端末装置２０からネットワーク１を介して受信し、顧客に対して予約番号を付与してこの予約番号を付した予約票（予約番号を示すバーコードや２次元バーコードを記載した予約票でもよく、予約番号を示す数字を記載した予約票でもよい。）の印刷用情報を、店舗端末装置２０へネットワーク１を介して送信するとともに、受信した中古品識別情報（例えば、ＩＳＢＮコード等）を、予約番号と関連付けて顧客購入情報記憶手段２４０（図２と同様）に記憶させる処理を実行するものである。なお、トレード価格購入予約受付処理手段２３１は、処理種別＝５の場合も、顧客購入情報記憶手段２４０（図２と同様）には、トレード価格を記憶させないでよい。従って、処理種別＝５の場合、前記第１実施形態と同様である。
【０２４７】
そして、トレード価格購入予約受付処理手段２３１は、買取業者の店員が処理種別＝６（図１８参照）を選択した場合には、中古品（古本）に対応する電子化商品（電子書籍）が存在しない場合であるから、顧客から買い取った中古品（古本）についての中古品識別情報（例えば、ＩＳＢＮコード等）を、顧客についての会員識別情報（顧客から中古品（古本）の買取を行った買取業者がその顧客を識別するための会員ＩＤ）とともに、店舗端末装置２０からネットワーク１を介して受信し、受信した中古品識別情報（例えば、ＩＳＢＮコード等）を、会員識別情報（会員ＩＤ）と関連付けて顧客購入情報記憶手段２４０（図２と同様）に記憶させる処理を実行するものである。なお、トレード価格購入予約受付処理手段２３１は、処理種別＝６の場合も、顧客購入情報記憶手段２４０（図２と同様）には、トレード価格を記憶させないでよい。従って、処理種別＝６の場合、前記第１実施形態と同様である。
【０２４８】
検索処理手段２３２は、前記第１実施形態の検索処理手段３２と同様である。
【０２４９】
対応商品発売監視処理手段２３３は、中古品（古本）に対応する電子化商品（電子書籍）が発売されたか否かを監視するために、顧客購入情報記憶手段２４０（図２と同様）に記憶された処理種別＝２，５，６のレコードの中古品識別情報（例えば、ＩＳＢＮコード等）について、商品情報記憶手段２４１（図３と同様）に同一の中古品識別情報が記憶されているか否かを繰り返し判断し、記憶されている場合には、処理種別＝２では、商品情報記憶手段２４１からその中古品識別情報に対応する電子化商品識別情報（例えば、ＩＳＢＮコード等）、マーケット業者識別情報、およびトレード価格を取得し、処理種別＝５，６では、商品情報記憶手段２４１からその中古品識別情報に対応する電子化商品識別情報（例えば、ＩＳＢＮコード等）およびマーケット業者識別情報を取得する処理を実行するものである。但し、対応商品発売監視処理手段２３３は、商品情報記憶手段２４１（図３と同様）に同一の中古品識別情報が記憶されていても、処理種別＝２のレコードの中古品識別情報については、発売された電子化商品（電子書籍）を販売するマーケット業者が、顧客の指定した候補マーケット業者の中に含まれている必要があるので、商品情報記憶手段２４１にその中古品識別情報に関連付けられて記憶されているマーケット業者識別情報が、顧客購入情報記憶手段２４０（図２と同様）に記憶された処理種別＝２のレコードのいずれかの候補マーケット業者についてのマーケット業者識別情報と一致した場合にのみ、商品情報記憶手段２４１からその中古品識別情報に対応する電子化商品識別情報（例えば、ＩＳＢＮコード等）、マーケット業者識別情報、およびトレード価格を取得する処理を実行する。従って、処理種別＝２の場合、商品情報記憶手段２４１からトレード価格も取得する点が、前記第１実施形態と異なっているが、処理種別＝５，６の場合は、前記第１実施形態と同様である。
【０２５０】
トレード価格購入予約情報送信処理手段２３４は、対応商品発売監視処理手段２３３により取得した電子化商品識別情報（例えば、ＩＳＢＮコード等）およびトレード価格を、処理種別＝２のレコードの中古品識別情報（例えば、ＩＳＢＮコード等）に関連付けられて顧客購入情報記憶手段２４０（図２と同様）に記憶されている顧客識別情報（マーケットＩＤ）のうち、対応商品発売監視処理手段２３３により取得したマーケット業者識別情報のマーケット業者（すなわち、中古品（古本）に対応する電子化商品（電子書籍）を発売したマーケット業者）用の顧客識別情報（マーケットＩＤ）とともに、そのマーケット業者識別情報に対応するマーケット業者サーバ２５０（すなわち、中古品（古本）に対応する電子化商品（電子書籍）を発売したマーケット業者のマーケット業者サーバ２５０）へネットワーク１を介して送信する処理を実行するものである。また、トレード価格購入予約情報送信処理手段２３４は、マーケット業者サーバ２５０へ送信した電子化商品識別情報（例えば、ＩＳＢＮコード等）、並びに、送信先のマーケット業者サーバ２５０のマーケット業者についてのマーケット業者識別情報およびそのマーケット業者用の顧客識別情報（マーケットＩＤ）を、処理種別＝２のレコードの中古品識別情報（例えば、ＩＳＢＮコード等）に関連付けて顧客購入情報記憶手段２４０（図２と同様）に記憶させる処理も実行する。なお、トレード価格購入予約情報送信処理手段２３４は、トレード価格については、顧客購入情報記憶手段２４０（図２と同様）に記憶させない。従って、対応商品発売監視処理手段２３３により取得したトレード価格についても、マーケット業者サーバ２５０へ送信する点が、前記第１実施形態のトレード価格購入予約情報送信処理手段３４と異なっている。
【０２５１】
発売商品反映処理手段２３５は、前記第１実施形態の発売商品反映処理手段３５と同様である。
【０２５２】
通知処理手段２３６は、前記第１実施形態の通知処理手段３６と同様である。
【０２５３】
ダウンロード中継処理手段２３７は、買取業者の店舗に来店した顧客自身の操作または来店した顧客の依頼に基づく買取業者の店員の代行操作により、店舗端末装置２０からネットワーク１を介して送信されてくるトレード価格購入予約に係る電子化商品のダウンロード要求信号を、発券番号、予約番号、または会員識別情報（会員ＩＤ）とともに受信し、受信した発券番号、予約番号、または会員識別情報（会員ＩＤ）に関連付けられて顧客購入情報記憶手段２４０（図２と同様）に記憶されている電子化商品識別情報（例えば、ＩＳＢＮコード等）およびマーケット業者識別情報を取得し、取得した電子化商品識別情報（例えば、ＩＳＢＮコード等）に関連付けられて商品情報記憶手段２４１（図３と同様）に記憶されているトレード価格を取得し、取得した電子化商品識別情報（例えば、ＩＳＢＮコード等）およびトレード価格を、取得したマーケット業者識別情報のマーケット業者が買取業者を識別するための買取業者識別情報とともに、取得したマーケット業者識別情報に対応するマーケット業者サーバ２５０へネットワーク１を介して送信した後、マーケット業者サーバ２５０からネットワーク１を介して送信されてくる電子化商品（電子書籍のファイル）を店舗端末装置２０へネットワーク１を介して送信する処理を実行するものである。なお、ダウンロード中継処理手段２３７は、店舗端末装置２０からトレードサーバ２３０へのアクセス時に、店舗端末装置２０から送信元の買取業者（買取業者Ｘ，Ｙのいずれか）についての買取業者管理情報が送信されてくるので、この買取業者管理情報に関連付けられて買取業者情報記憶手段２４３（図５と同様）に記憶されている送信先のマーケット業者（マーケット業者Ａ，Ｂのいずれか）用の買取業者識別情報を取得することができる。従って、商品情報記憶手段２４１（図３と同様）からトレード価格を取得し、取得したトレード価格についても、マーケット業者サーバ２５０へ送信する点が、前記第１実施形態のダウンロード中継処理手段３７と異なっている。
【０２５４】
顧客購入情報記憶手段２４０、商品情報記憶手段２４１、顧客情報記憶手段２４２、買取業者情報記憶手段２４３は、前記第１実施形態の顧客購入情報記憶手段４０（図２参照）、商品情報記憶手段４１（図３参照）、顧客情報記憶手段４２（図４参照）、買取業者情報記憶手段４３（図５参照）とそれぞれ同様である。
【０２５５】
以上において、トレードサーバ２３０は、１台のコンピュータあるいは１つのＣＰＵにより実現されるものに限定されず、複数のコンピュータあるいは複数のＣＰＵで分散処理を行うことにより実現されるものであってもよい。
【０２５６】
また、トレードサーバ２３０の各処理手段２３１〜２３７は、トレードサーバ２３０を構成するコンピュータ本体の内部に設けられた中央演算処理装置（ＣＰＵ）、およびこのＣＰＵの動作手順を規定する１つまたは複数のプログラムにより実現される。
【０２５７】
さらに、トレードサーバ２３０の各記憶手段２４０〜２４３は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０２５８】
マーケット業者サーバ２５０は、１台または複数台のコンピュータにより構成され、トレード価格購入予約情報登録処理手段２５１と、ダウンロード要求受付処理手段２５２と、決済処理手段２５４と、トレード価格購入予約情報記憶手段２６０と、電子化商品記憶手段２６１と、決済情報記憶手段２６３とを含んで構成されている。従って、前記第１実施形態のマーケット業者サーバ５０には、トレード価格取得処理手段５３およびトレード価格記憶手段６２が設けられていたが、マーケット業者サーバ２５０には、これらの手段が設けられていない点が、前記第１実施形態と異なっている。
【０２５９】
トレード価格購入予約情報登録処理手段２５１は、処理種別＝１では、トレードサーバ２３０のトレード価格購入予約受付処理手段２３１により、処理種別２では、トレード価格購入予約情報送信処理手段２３４により、トレードサーバ２３０からネットワーク１を介して送信されてくる電子化商品識別情報（例えば、ＩＳＢＮコード等）およびトレード価格を、顧客識別情報（マーケットＩＤ）とともに受信し、受信した電子化商品識別情報（例えば、ＩＳＢＮコード等）およびトレード価格を、顧客識別情報（マーケットＩＤ）と関連付けてトレード価格購入予約情報記憶手段２６０（図１４参照）に記憶させる処理を実行するものである。従って、トレードサーバ２３０からトレード価格も受信し、トレード価格購入予約情報記憶手段２６０（図１４参照）に記憶させる点が、前記第１実施形態のトレード価格購入予約情報登録処理手段５１と異なっている。
【０２６０】
ダウンロード要求受付処理手段２５２は、処理種別＝１，２では、顧客が操作する顧客端末装置８０または店舗端末装置２０からネットワーク１を介して送信されてくるトレード価格購入予約に係る電子化商品（電子書籍）のダウンロード要求信号を、顧客識別情報（マーケットＩＤ）とともに受信し、受信した顧客識別情報に関連付けられてトレード価格購入予約情報記憶手段２６０（図１４参照）に記憶されている電子化商品識別情報（例えば、ＩＳＢＮコード等）の電子化商品（電子書籍）を、電子化商品記憶手段２６１から取得し、取得した電子化商品（電子書籍）を、顧客端末装置８０または店舗端末装置２０へネットワーク１を介して送信する処理を実行するものである。従って、処理種別＝１，２の場合、前記第１実施形態と同様である。
【０２６１】
また、ダウンロード要求受付処理手段２５２は、処理種別＝３〜６では、トレードサーバ２３０のダウンロード中継処理手段２３７により、トレードサーバ２３０からネットワーク１を介して送信されてくるトレード価格購入予約に係る電子化商品（電子書籍）のダウンロード要求信号を、電子化商品識別情報（例えば、ＩＳＢＮコード等）、トレード価格、および買取業者識別情報とともに受信し、受信した電子化商品識別情報の電子化商品（電子書籍）を、電子化商品記憶手段２６１から取得し、取得した電子化商品（電子書籍）を、トレードサーバ２３０へネットワーク１を介して送信する処理を実行するものである。従って、処理種別＝３〜６の場合、トレードサーバ２３０からトレード価格も受信する点が、前記第１実施形態のダウンロード要求受付処理手段５２と異なっている。
【０２６２】
決済処理手段２５４は、処理種別＝１，２では、ダウンロード要求受付処理手段２５２により受信した顧客識別情報（マーケットＩＤ）に関連付けられてトレード価格購入予約情報記憶手段２６０（図１４参照）に記憶されているトレード価格を用いて、ダウンロード要求受付処理手段２５２により受信した顧客識別情報（マーケットＩＤ）に関連付けられて決済情報記憶手段２６３（図８と同様）に記憶されているダウンロード要求を行った顧客の決済情報に従って、顧客とマーケット業者との間の決済処理を実行するものである。従って、処理種別＝１，２の場合、トレード価格購入予約情報記憶手段２６０（図１４参照）に記憶されているトレード価格を用いて決済を行う点が、前記第１実施形態の決済処理手段５４と異なっている。
【０２６３】
また、決済処理手段２５４は、処理種別＝３〜６では、ダウンロード要求受付処理手段２５２により受信したトレード価格を用いて、ダウンロード要求受付処理手段２５２により受信した買取業者識別情報に関連付けられて決済情報記憶手段２６３（図８と同様）に記憶されているダウンロード要求の送信元の買取業者の決済情報に従って、買取業者とマーケット業者との間の決済処理を実行するものである。従って、処理種別＝３〜６の場合、ダウンロード要求受付処理手段２５２により受信したトレード価格を用いて決済を行う点が、前記第１実施形態の決済処理手段５４と異なっている。
【０２６４】
トレード価格購入予約情報記憶手段２６０は、図１４に示すように、顧客識別情報（マーケットＩＤ）と、電子化商品識別情報（例えば、ＩＳＢＮコード等）と、トレード価格とを対応付けて記憶するものである。従って、トレード価格購入予約に係る電子化商品（電子書籍）のトレード価格を記憶している点が、前記第１実施形態のトレード価格購入予約情報記憶手段６０（図６参照）と異なっている。
【０２６５】
電子化商品記憶手段２６１は、前記第１実施形態の電子化商品記憶手段６１と同様である。
【０２６６】
決済情報記憶手段２６３は、前記第１実施形態の決済情報記憶手段６３（図８参照）と同様である。
【０２６７】
以上において、マーケット業者サーバ２５０は、１台のコンピュータあるいは１つのＣＰＵにより実現されるものに限定されず、複数のコンピュータあるいは複数のＣＰＵで分散処理を行うことにより実現されるものであってもよい。
【０２６８】
また、マーケット業者サーバ２５０の各処理手段２５１，２５２，２５４は、マーケット業者サーバ２５０を構成するコンピュータ本体の内部に設けられた中央演算処理装置（ＣＰＵ）、およびこのＣＰＵの動作手順を規定する１つまたは複数のプログラムにより実現される。
【０２６９】
さらに、マーケット業者サーバ２５０の各記憶手段２６０，２６１，２６３は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０２７０】
このような第２実施形態においては、以下のようにしてトレードシステム２００により、中古品（古本）と電子化商品（電子書籍）とのトレード処理が行われる。
【０２７１】
先ず、顧客は、売りたい中古品（古本）を持参して買取業者の店舗に出向く。買取業者の店舗では、買取業者の店員が、顧客に対し、電子化商品（電子書籍）をトレード価格で購入する場合に顧客識別情報（マーケットＩＤ）を使用するか否かを確認し、顧客識別情報（マーケットＩＤ）を使用する場合には、図１５および図１６に示す処理種別＝１，２の処理を開始し、顧客識別情報（マーケットＩＤ）を使用しない場合には、図１７および図１８に示す処理種別３〜６の処理を開始する。
【０２７２】
図１５において、買取業者の店員は、店舗端末装置２０を操作し、ネットワーク１を介して流通市場サーバ７０、すなわち中古品（古本）市場の売買価格を参照することができるＷｅｂサイトにアクセスし、書籍名等を用いて検索を行うことにより、顧客が店舗に持ち込んだ書籍（古本）の買取価格の査定を行う（ステップＳ２０１）。
【０２７３】
続いて、買取業者の店員は、店舗端末装置２０を操作し、トレード価格購入予約画面（不図示）の表示要求信号を、ネットワーク１を介してトレードサーバ２３０へ送信する。トレードサーバ２３０では、トレード価格購入予約受付処理手段２３１により、買取業者の店員による店舗端末装置２０からのトレード価格購入予約画面の表示要求に基づき、トレード価格購入予約画面の表示用データを、店舗端末装置２０へネットワーク１を介して送信する。すると、店舗端末装置２０の画面上には、トレード価格購入予約画面（不図示）が表示される。
【０２７４】
このトレード価格購入予約画面（不図示）には、検索要求用ボタンが設けられているので、買取業者の店員は、顧客が店舗に持ち込んだ中古品（古本）に対応する電子化商品（電子書籍）の有無の確認およびその電子化商品（電子書籍）についての電子化商品識別情報（例えば、ＩＳＢＮコード等）およびトレード価格の取得のために、顧客が店舗に持ち込んだ中古品（古本）についての中古品識別情報（例えば、ＩＳＢＮコード等、あるいは書籍名でもよい。）を入力して検索要求用ボタンをクリック操作し、中古品識別情報を含む検索要求信号を、ネットワーク１を介してトレードサーバ２３０へ送信する（ステップＳ２０２）。
【０２７５】
トレードサーバ２３０では、検索処理手段２３２により、店舗端末装置２０からネットワーク１を介して送信されてくる検索要求信号を、中古品識別情報（例えば、ＩＳＢＮコード等、あるいは書籍名でもよい。）とともに受信し、受信した中古品識別情報に対応する電子化商品識別情報（例えば、ＩＳＢＮコード等）が商品情報記憶手段２４１（図３と同様）に記憶されているか否かを検索し、対応する電子化商品識別情報が記憶されていた場合（すなわち、対応する電子化商品（電子書籍）が既に発売されていた場合）には、その電子化商品識別情報およびトレード価格を、ネットワーク１を介して店舗端末装置２０へ送信する（ステップＳ２０３）。すると、店舗端末装置２０の画面上には、顧客が店舗に持ち込んだ中古品（古本）に対応する電子化商品（電子書籍）についての電子化商品識別情報（例えば、ＩＳＢＮコード等）およびトレード価格が表示されるので、買取業者の店員は、顧客に対し、トレード価格を提示し、トレード購入の意思を確認する。
【０２７６】
ここで、検索の結果、対応する電子化商品（電子書籍）が既に発売されていた場合（ステップＳ２０４）には、上述したように、電子化商品識別情報（例えば、ＩＳＢＮコード等）およびトレード価格が画面表示されるので、買取業者の店員は、処理種別＝１の処理を開始する。一方、ステップＳ２０４で、対応する電子化商品（電子書籍）が未だ発売されていなかった場合には、電子化商品識別情報（例えば、ＩＳＢＮコード等）およびトレード価格は画面表示されないので、買取業者の店員は、後述する図１６に示すように、処理種別＝２の処理を開始する。
【０２７７】
図１５において、処理種別＝１では、買取業者の店員は、店舗端末装置２０の画面上に表示されたトレード価格購入予約画面（不図示）で、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報（マーケット業者Ａ，Ｂのいずれなのかを識別するための情報）およびそのマーケット業者が顧客を識別するための顧客識別情報（マーケットＩＤ）とともに入力し、入力した電子化商品識別情報（例えば、ＩＳＢＮコード等）を、マーケット業者識別情報および顧客識別情報（マーケットＩＤ）とともに、ネットワーク１を介してトレードサーバ２３０へ送信する（ステップＳ２０５）。
【０２７８】
また、処理種別＝１では、電子化商品（電子書籍）のトレード価格での購入代金の決済は、顧客とマーケット業者との間で後に行われるので、この段階では、中古品（古本）の買取の決済のみを行うべく、買取業者の店員は、顧客に対し、前述したステップＳ２０１で調査・決定した査定額を支払う。例えば、中古品（古本）の査定額が、１００円であれば、買取業者から顧客への現金支払金額は、１００円となる。
【０２７９】
トレードサーバ２３０では、トレード価格購入予約受付処理手段２３１により、電子化商品識別情報（例えば、ＩＳＢＮコード等）を、マーケット業者識別情報および顧客識別情報（マーケットＩＤ）とともに、店舗端末装置２０からネットワーク１を介して受信し、受信した電子化商品識別情報（例えば、ＩＳＢＮコード等）を、マーケット業者識別情報および顧客識別情報（マーケットＩＤ）と関連付けて顧客購入情報記憶手段２４０（図２と同様）に記憶させる（ステップＳ２０６）。
【０２８０】
続いて、トレード価格購入予約受付処理手段２３１により、受信した電子化商品識別情報（例えば、ＩＳＢＮコード等）に関連付けられて商品情報記憶手段２４１（図３と同様）に記憶されているトレード価格を取得する（ステップＳ２０７）。
【０２８１】
それから、トレード価格購入予約受付処理手段２３１により、受信した電子化商品識別情報（例えば、ＩＳＢＮコード等）および取得したトレード価格を、顧客識別情報（マーケットＩＤ）とともに、受信したマーケット業者識別情報に対応するマーケット業者サーバ２５０へ送信する（ステップＳ２０８）。
【０２８２】
マーケット業者サーバ２５０では、トレード価格購入予約情報登録処理手段２５１により、トレードサーバ２３０からネットワーク１を介して送信されてくる電子化商品識別情報（例えば、ＩＳＢＮコード等）およびトレード価格を、顧客識別情報（マーケットＩＤ）とともに受信し、受信した電子化商品識別情報（例えば、ＩＳＢＮコード等）およびトレード価格を、顧客識別情報（マーケットＩＤ）と関連付けてトレード価格購入予約情報記憶手段２６０（図１４参照）に記憶させる（ステップＳ２０９）。
【０２８３】
その後、顧客は、自宅や会社等にある顧客端末装置８０を操作するか、または買取業者の店舗に出向いて店舗端末装置２０を操作することにより、ネットワーク１を介してマーケット業者サーバ２５０にアクセスし、そのマーケット業者に自己が登録している顧客識別情報（マーケットＩＤ）を入力してログインし、顧客識別情報を含むダウンロード要求信号を、マーケット業者サーバ２５０へネットワーク１を介して送信する（ステップＳ２１０）。
【０２８４】
マーケット業者サーバ２５０では、ダウンロード要求受付処理手段２５２により、顧客が操作する顧客端末装置８０または店舗端末装置２０からネットワーク１を介して送信されてくるトレード価格購入予約に係る電子化商品（電子書籍）のダウンロード要求信号を、顧客識別情報（マーケットＩＤ）とともに受信する（ステップＳ２１１）。
【０２８５】
続いて、ダウンロード要求受付処理手段２５２により、受信した顧客識別情報（マーケットＩＤ）に関連付けられてトレード価格購入予約情報記憶手段２６０（図１４参照）に記憶されている電子化商品識別情報（例えば、ＩＳＢＮコード等）を取得し、さらに、この電子化商品識別情報に関連付けられて電子化商品記憶手段２６１に記憶されている電子化商品（電子書籍ファイル）を取得し、取得した電子化商品（電子書籍ファイル）を、顧客端末装置８０または店舗端末装置２０へネットワーク１を介して送信する（ステップＳ２１２）。
【０２８６】
この際、受信した顧客識別情報（マーケットＩＤ）に関連付けられた電子化商品識別情報（例えば、ＩＳＢＮコード等）が複数ある場合、すなわち１人の顧客が複数の中古品（古本）を持ち込んで複数の電子化商品（電子書籍）のトレード購入予約を行っていた場合には、ダウンロード要求受付処理手段２５２により、それらの電子化商品（電子書籍）を全部まとめてダウンロードの対象としてもよく、あるいは複数の電子化商品（電子書籍）についての電子化商品識別情報（例えば、ＩＳＢＮコード等、あるいは書籍名）を、顧客端末装置８０または店舗端末装置２０へネットワーク１を介して送信し、いずれの電子化商品（電子書籍）をダウンロードするのかを、顧客に指定させ、その指定情報（顧客により指定された電子化商品（電子書籍）についての電子化商品識別情報またはその代替情報）を、顧客端末装置８０または店舗端末装置２０からネットワーク１を介して受信し、指定された電子化商品（電子書籍）だけをダウンロードの対象としてもよい。
【０２８７】
顧客端末装置８０または店舗端末装置２０では、マーケット業者サーバ２５０からネットワーク１を介して送信されてくる電子化商品（電子書籍ファイル）を受信し（ステップＳ２１３）、受信した電子化商品（電子書籍ファイル）を、電子ブックリーダ８１に有線または無線で転送する（ステップＳ２１４）。
【０２８８】
一方、マーケット業者サーバ２５０では、決済処理手段２５４により、ダウンロード要求受付処理手段２５２により受信した顧客識別情報（マーケットＩＤ）に関連付けられてトレード価格購入予約情報記憶手段２６０（図１４参照）に記憶されているトレード価格を用いて、ダウンロード要求受付処理手段２５２により受信した顧客識別情報（マーケットＩＤ）に関連付けられて決済情報記憶手段２６３（図８と同様）に記憶されているダウンロード要求を行った顧客の決済情報に従って、顧客とマーケット業者との間の決済処理を実行する（ステップＳ２１５）。例えば、電子化商品（電子書籍）のトレード価格が、３００円であれば、顧客からマーケット業者への支払金額が、３００円となる。
【０２８９】
図１６において、処理種別＝２では、中古品（古本）に対応する電子化商品（電子書籍）が存在しないので、買取業者の店員は、店舗端末装置２０の画面上に表示されたトレード価格購入予約画面（不図示）で、買取業者が顧客から買い取った中古品（古本）についての中古品識別情報（例えば、ＩＳＢＮコード等）を、顧客により選択された少なくとも１つのマーケット業者（つまり、電子化商品（電子書籍）が発売されたら、そこからトレード価格で購入することを予約しておくための購入先の候補となるマーケット業者）についてのマーケット業者識別情報およびそれらの各マーケット業者用の顧客識別情報（マーケットＩＤ）とともに入力し、入力した中古品識別情報（例えば、ＩＳＢＮコード等）を、少なくとも１つの候補マーケット業者についてのマーケット業者識別情報および各候補マーケット業者用の顧客識別情報（マーケットＩＤ）とともに、ネットワーク１を介してトレードサーバ２３０へ送信する（ステップＳ２２１）。
【０２９０】
また、処理種別＝２では、電子化商品（電子書籍）のトレード価格での購入代金の決済は、顧客とマーケット業者との間で後に行われるので、この段階では、中古品（古本）の買取の決済のみを行うべく、買取業者の店員は、顧客に対し、前述したステップＳ２０１で調査・決定した査定額を支払う。例えば、中古品（古本）の査定額が、１００円であれば、買取業者から顧客への現金支払金額は、１００円となる。
【０２９１】
トレードサーバ２３０では、トレード価格購入予約受付処理手段２３１により、中古品識別情報（例えば、ＩＳＢＮコード等）を、顧客により選択された少なくとも１つの候補マーケット業者についてのマーケット業者識別情報およびそれらの各候補マーケット業者用の顧客識別情報（マーケットＩＤ）とともに、店舗端末装置２０からネットワーク１を介して受信し、受信した中古品識別情報（例えば、ＩＳＢＮコード等）を、受信した少なくとも１つの候補マーケット業者についてのマーケット業者識別情報およびそれらの各候補マーケット業者用の顧客識別情報（マーケットＩＤ）と関連付けて顧客購入情報記憶手段２４０（図２と同様）に記憶させる（ステップＳ２２２）。
【０２９２】
続いて、トレードサーバ２３０では、対応商品発売監視処理手段２３３により、中古品（古本）に対応する電子化商品（電子書籍）が発売されたか否かを監視するために、顧客購入情報記憶手段２４０（図２と同様）に記憶された処理種別＝２のレコードの中古品識別情報（例えば、ＩＳＢＮコード等）について、商品情報記憶手段２４１（図３と同様）に同一の中古品識別情報が記憶されているか否かを繰り返し判断し、記憶されている場合には、商品情報記憶手段２４１からその中古品識別情報に対応する電子化商品識別情報（例えば、ＩＳＢＮコード等）、マーケット業者識別情報、およびトレード価格を取得する（ステップＳ２２３）。この際、商品情報記憶手段２４１（図３と同様）に同一の中古品識別情報が記憶されていても、処理種別＝２のレコードの中古品識別情報については、発売された電子化商品（電子書籍）を販売するマーケット業者が、顧客の指定した候補マーケット業者の中に含まれている必要があるので、対応商品発売監視処理手段２３３により、商品情報記憶手段２４１にその中古品識別情報に関連付けられて記憶されているマーケット業者識別情報が、顧客購入情報記憶手段２４０（図２と同様）に記憶された処理種別＝２のレコードのいずれかの候補マーケット業者についてのマーケット業者識別情報と一致した場合にのみ、商品情報記憶手段２４１からその中古品識別情報に対応する電子化商品識別情報（例えば、ＩＳＢＮコード等）、マーケット業者識別情報、およびトレード価格を取得する。
【０２９３】
それから、電子化商品（電子書籍）が発売された場合には、トレード価格購入予約情報送信処理手段２３４により、対応商品発売監視処理手段２３３により取得した電子化商品識別情報（例えば、ＩＳＢＮコード等）およびトレード価格を、処理種別＝２のレコードの中古品識別情報（例えば、ＩＳＢＮコード等）に関連付けられて顧客購入情報記憶手段２４０（図２と同様）に記憶されている顧客識別情報（マーケットＩＤ）のうち、対応商品発売監視処理手段２３３により取得したマーケット業者識別情報のマーケット業者（すなわち、中古品（古本）に対応する電子化商品（電子書籍）を発売したマーケット業者）用の顧客識別情報（マーケットＩＤ）とともに、そのマーケット業者識別情報に対応するマーケット業者サーバ２５０（すなわち、中古品（古本）に対応する電子化商品（電子書籍）を発売したマーケット業者のマーケット業者サーバ２５０）へ送信する（ステップＳ２２４）。
【０２９４】
また、トレード価格購入予約情報送信処理手段２３４により、マーケット業者サーバ２５０へ送信した電子化商品識別情報（例えば、ＩＳＢＮコード等）、並びに、送信先のマーケット業者サーバ２５０のマーケット業者についてのマーケット業者識別情報およびそのマーケット業者用の顧客識別情報（マーケットＩＤ）を、処理種別＝２のレコードの中古品識別情報（例えば、ＩＳＢＮコード等）に関連付けて顧客購入情報記憶手段２４０（図２と同様）に記憶させる（ステップＳ２２４）。なお、送信先のマーケット業者の情報は、顧客購入情報記憶手段２４０（図２と同様）の購入マーケット業者のカラムに記憶させる。
【０２９５】
マーケット業者サーバ２５０では、トレード価格購入予約情報登録処理手段２５１により、トレードサーバ２３０からネットワーク１を介して送信されてくる電子化商品識別情報（例えば、ＩＳＢＮコード等）およびトレード価格を、顧客識別情報（マーケットＩＤ）とともに受信し、受信した電子化商品識別情報（例えば、ＩＳＢＮコード等）およびトレード価格を、顧客識別情報（マーケットＩＤ）と関連付けてトレード価格購入予約情報記憶手段２６０（図１４参照）に記憶させる（ステップＳ２２５）。
【０２９６】
一方、トレードサーバ２３０では、通知処理手段２３６により、顧客購入情報記憶手段２４０（図２と同様）の処理種別＝２のレコードの当該中古品識別情報に関連付けられて記憶されている顧客特定用の情報（すなわち、第１の候補マーケット業者についてのマーケット業者識別情報およびその顧客識別情報（マーケットＩＤ））を用いて、顧客情報記憶手段２４２（図４と同様）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ２２６）。
【０２９７】
また、通知処理手段２３６により、顧客購入情報記憶手段２４０（図２と同様）の処理種別＝２のレコードの当該中古品識別情報が記憶されたテーブルに対応する買取業者についての買取業者管理情報に関連付けられて買取業者情報記憶手段２４３（図５と同様）に記憶されている連絡先の情報（本実施形態では、一例として電子メールアドレスとする。）を取得し、取得した連絡先（買取業者）へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ２２６）。
【０２９８】
それから、顧客は、自宅等にある顧客端末装置８０を操作するか、または買取業者の店舗に出向いて店舗端末装置２０を操作することにより、自分宛の通知メールを受信し、閲覧する（ステップＳ２２７）。また、買取業者の店員は、店舗端末装置２０を操作することにより、その買取業者宛の通知メールを受信し、閲覧する（ステップＳ２２７）。そして、買取業者の店員は、この通知メールを受け取ったときには、店舗端末装置２０から、顧客情報記憶手段２４２（図４と同様）に記憶された当該顧客の連絡先の情報を参照し、顧客情報記憶手段２４２に、電話番号やファクシミリ番号等のような電子メールアドレス以外の連絡先の情報が記憶されている場合には、それらの連絡先の情報を用いて電子メール以外の方法での人手による通知（例えば、電話をかける、ＦＡＸを送る等）を行ってもよい。
【０２９９】
さらに、顧客は、買取業者の店舗に出向き、店舗端末装置２０を自ら操作することにより、自分が売った中古品（古本）に対応する電子化商品（電子書籍）が発売されたか否かを確認することができる。すなわち、店舗端末装置２０において、顧客が、第１の候補マーケット業者についてのマーケット業者識別情報およびその顧客識別情報（マーケットＩＤ）、あるいは会員識別情報（会員ＩＤ）を入力し、自己のトレード購入予約状況確認画面の表示要求を行うと、この表示要求信号が、第１の候補マーケット業者についてのマーケット業者識別情報およびその顧客識別情報（マーケットＩＤ）、あるいは会員識別情報（会員ＩＤ）とともに、トレードサーバ２３０へネットワーク１を介して送信される。トレードサーバ２３０では、図示されない顧客購入情報閲覧処理手段により、店舗端末装置２０から送信されてくるトレード購入予約状況確認画面の表示要求信号を、第１の候補マーケット業者についてのマーケット業者識別情報およびその顧客識別情報（マーケットＩＤ）、あるいは会員識別情報（会員ＩＤ）とともに受信すると、受信した第１の候補マーケット業者についてのマーケット業者識別情報およびその顧客識別情報（マーケットＩＤ）、あるいは会員識別情報（会員ＩＤ）を用いて、顧客購入情報記憶手段２４０（図２と同様）の当該顧客のレコードにおける購入マーケット業者のカラムにデータが記憶されているか否かを判断することにより（対応する電子化商品（電子書籍）が発売されていれば、ステップＳ２２４でトレード価格購入予約情報送信処理手段２３４によりデータが格納されているはずであるため。）、対応する電子化商品（電子書籍）が発売されたか否かを判断し、その判断結果をネットワーク１を介して店舗端末装置２０へ送信する。なお、図２の例では、顧客購入情報記憶手段２４０（図２と同様）の処理種別＝２のレコードには、会員識別情報（会員ＩＤ）は記憶されていないが、トレード価格購入予約受付処理手段２３１により会員識別情報（会員ＩＤ）の入力も受け付けていれば、会員識別情報（会員ＩＤ）が記憶されている場合もある。
【０３００】
その後、顧客は、自宅等にある顧客端末装置８０を操作するか、または買取業者の店舗に出向いて店舗端末装置２０を操作することにより、ネットワーク１を介してマーケット業者サーバ２５０にアクセスし、そのマーケット業者に自己が登録している顧客識別情報（マーケットＩＤ）を入力してログインし、顧客識別情報を含むダウンロード要求信号を、マーケット業者サーバ２５０へネットワーク１を介して送信する（ステップＳ２２８）。
【０３０１】
マーケット業者サーバ２５０では、ダウンロード要求受付処理手段２５２により、顧客が操作する顧客端末装置８０または店舗端末装置２０からネットワーク１を介して送信されてくるトレード価格購入予約に係る電子化商品（電子書籍）のダウンロード要求信号を、顧客識別情報（マーケットＩＤ）とともに受信する（ステップＳ２２９）。
【０３０２】
続いて、ダウンロード要求受付処理手段２５２により、受信した顧客識別情報（マーケットＩＤ）に関連付けられてトレード価格購入予約情報記憶手段２６０（図１４参照）に記憶されている電子化商品識別情報（例えば、ＩＳＢＮコード等）を取得し、さらに、この電子化商品識別情報に関連付けられて電子化商品記憶手段２６１に記憶されている電子化商品（電子書籍ファイル）を取得し、取得した電子化商品（電子書籍ファイル）を、顧客端末装置８０または店舗端末装置２０へネットワーク１を介して送信する（ステップＳ２３０）。
【０３０３】
この際、受信した顧客識別情報（マーケットＩＤ）に関連付けられた電子化商品識別情報（例えば、ＩＳＢＮコード等）が複数ある場合、すなわち１人の顧客が複数の中古品（古本）を持ち込んで複数の電子化商品（電子書籍）のトレード購入予約を行っていた場合には、ダウンロード要求受付処理手段２５２により、それらの電子化商品（電子書籍）を全部まとめてダウンロードの対象としてもよく、あるいは複数の電子化商品（電子書籍）についての電子化商品識別情報（例えば、ＩＳＢＮコード等、あるいは書籍名）を、顧客端末装置８０または店舗端末装置２０へネットワーク１を介して送信し、いずれの電子化商品（電子書籍）をダウンロードするのかを、顧客に指定させ、その指定情報（顧客により指定された電子化商品（電子書籍）についての電子化商品識別情報またはその代替情報）を、顧客端末装置８０または店舗端末装置２０からネットワーク１を介して受信し、指定された電子化商品（電子書籍）だけをダウンロードの対象としてもよい。
【０３０４】
顧客端末装置８０または店舗端末装置２０では、マーケット業者サーバ２５０からネットワーク１を介して送信されてくる電子化商品（電子書籍ファイル）を受信し（ステップＳ２３１）、受信した電子化商品（電子書籍ファイル）を、電子ブックリーダ８１に有線または無線で転送する（ステップＳ２３２）。
【０３０５】
一方、マーケット業者サーバ２５０では、決済処理手段２５４により、ダウンロード要求受付処理手段２５２により受信した顧客識別情報（マーケットＩＤ）に関連付けられてトレード価格購入予約情報記憶手段２６０（図１４参照）に記憶されているトレード価格を用いて、ダウンロード要求受付処理手段２５２により受信した顧客識別情報（マーケットＩＤ）に関連付けられて決済情報記憶手段２６３（図８と同様）に記憶されているダウンロード要求を行った顧客の決済情報に従って、顧客とマーケット業者との間の決済処理を実行する（ステップＳ２３３）。例えば、電子化商品（電子書籍）のトレード価格が、３００円であれば、顧客からマーケット業者への支払金額が、３００円となる。
【０３０６】
図１７において、ステップＳ２４１，Ｓ２４２，Ｓ２４３の処理は、前述した図１５のステップＳ２０１，Ｓ２０２，Ｓ２０３の処理と同様である。
【０３０７】
ここで、検索の結果、対応する電子化商品（電子書籍）が既に発売されていた場合（ステップＳ２４４）には、前述したように、電子化商品識別情報（例えば、ＩＳＢＮコード等）およびトレード価格が画面表示されるので、買取業者の店員は、処理種別＝３，４の処理を開始する。一方、ステップＳ２４４で、対応する電子化商品（電子書籍）が未だ発売されていなかった場合には、電子化商品識別情報（例えば、ＩＳＢＮコード等）およびトレード価格は画面表示されないので、買取業者の店員は、後述する図１８に示すように、処理種別＝５，６の処理を開始する。
【０３０８】
図１７において、処理種別＝３では、買取業者の店員は、店舗端末装置２０の画面上に表示されたトレード価格購入予約画面（不図示）で、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに、ネットワーク１を介してトレードサーバ２３０へ送信する（ステップＳ２４５）。
【０３０９】
そして、トレードサーバ２３０では、トレード価格購入予約受付処理手段２３１により、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、中古品（古本）を持ち込んできた顧客に対して発券番号を自動付与してこの発券番号を付した発券票（発券番号を示すバーコードや２次元バーコードを記載した発券票でもよく、発券番号を示す数字を記載した発券票でもよい。）の印刷用情報を、店舗端末装置２０へネットワーク１を介して送信するとともに、受信した電子化商品識別情報（例えば、ＩＳＢＮコード等）を、発券番号およびマーケット業者識別情報と関連付けて顧客購入情報記憶手段２４０（図２と同様）に記憶させる（ステップＳ２４６）。店舗端末装置２０では、トレードサーバ２３０からネットワーク１を介して送信されてくる発券票の印刷用情報を受信し、発券番号を付した発券票を印刷する。買取業者の店員は、印刷した発券票を、顧客に手渡しする。
【０３１０】
また、処理種別＝４では、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに、ネットワーク１を介してトレードサーバ２３０へ送信する（ステップＳ２４５）。この際、会員識別情報（会員ＩＤ）は、会員カード等から読み込むことができる。
【０３１１】
そして、トレードサーバ２３０では、トレード価格購入予約受付処理手段２３１により、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに、店舗端末装置２０からネットワーク１を介して受信し、受信した電子化商品識別情報（例えば、ＩＳＢＮコード等）を、会員識別情報（会員ＩＤ）およびマーケット業者識別情報と関連付けて顧客購入情報記憶手段２４０（図２と同様）に記憶させる（ステップＳ２４６）。
【０３１２】
なお、処理種別＝３を選択して発券票を用いる場合は、例えば、買取業者へあまり来ないか、１回だけしか来ない顧客からの買取の場合であり、処理種別＝４を選択して会員識別情報（会員ＩＤ）を用いる場合は、例えば、買取業者へ何回も来る顧客からの買取の場合である。
【０３１３】
また、処理種別＝３，４では、電子化商品（電子書籍）のトレード価格での購入代金の決済は、買取業者が顧客の代理決済を行うという形で、後に買取業者とマーケット業者との間で行われるので、この段階では、買取業者は、顧客に対し、前述したステップＳ２４１で調査・決定した査定額を支払う一方で、代理決済のための必要資金（トレード価格の資金）を顧客から受け取ることになり、結局、顧客と買取業者との間で、査定額とトレード価格との差額の精算を行う。例えば、中古品（古本）の査定額が、１００円であり、トレード価格が、３００円であれば、買取業者が顧客に１００円を支払い、顧客が買取業者に３００円を支払うことになるので、結局、顧客から買取業者への現金支払金額は、差額の２００円となる。
【０３１４】
その後、顧客は、買取業者の店舗に出向き、店舗端末装置２０を自ら操作するか、または買取業者の店員に代行操作を依頼することにより、トレード価格購入予約に係る電子化商品のダウンロード要求信号を、処理種別＝３では、発券番号とともに、処理種別＝４では、会員識別情報（会員ＩＤ）とともに、ネットワーク１を介してトレードサーバ２３０へ送信する（ステップＳ２４７）。この際、発券番号は、店舗端末装置２０に設けられたバーコードリーダや２次元バーコードリーダ等により発券票から読み込み、会員識別情報（会員ＩＤ）は、会員カード等から読み込むことができる。なお、発券番号や会員識別情報（会員ＩＤ）を手入力してもよい。
【０３１５】
トレードサーバ２３０では、ダウンロード中継処理手段２３７により、店舗端末装置２０からネットワーク１を介して送信されてくるトレード価格購入予約に係る電子化商品のダウンロード要求信号を、発券番号または会員識別情報（会員ＩＤ）とともに受信する（ステップＳ２４８）。
【０３１６】
この際、発券番号を受信する処理種別＝３の場合は、買取業者にあまり来ないか、または１回だけしか来ない顧客によるダウンロード要求である可能性が大きいため、その発券番号を複数の顧客で不正に使い回しされることのないように、ダウンロード中継処理手段２３７により、ある発券番号を使って１度ダウンロードが行われたら、その発券番号を無効化する処理（ダウンロード済とする処理）を行うことが好ましい。具体的には、例えば、顧客購入情報記憶手段２４０（図２と同様）に、発券番号の有効・無効を示すフラグ（ダウンロード未済・済を示すフラグ）を格納するカラム（不図示）を設けておき、発券番号を受信した場合に、ダウンロード中継処理手段２３７により、受信した発券番号に関連付けられて顧客購入情報記憶手段２４０に記憶されている当該フラグを、有効（ダウンロード未済）を示す状態から無効（ダウンロード済）を示す状態に更新する処理を行えばよい。なお、フラグを更新するのは、後述するステップＳ２５４で、電子化商品（電子書籍のファイル）の店舗端末装置２０への送信、つまり顧客への送信が完了してからでもよい。
【０３１７】
続いて、ダウンロード中継処理手段２３７により、受信した発券番号または会員識別情報（会員ＩＤ）に関連付けられて顧客購入情報記憶手段２４０（図２と同様）に記憶されている電子化商品識別情報（例えば、ＩＳＢＮコード等）およびマーケット業者識別情報を取得する（ステップＳ２４９）。
【０３１８】
さらに、ダウンロード中継処理手段２３７により、取得した電子化商品識別情報（例えば、ＩＳＢＮコード等）に関連付けられて商品情報記憶手段２４１（図３と同様）に記憶されているトレード価格を取得する（ステップＳ２５０）。
【０３１９】
それから、ダウンロード中継処理手段２３７により、取得した電子化商品識別情報（例えば、ＩＳＢＮコード等）およびトレード価格を、取得したマーケット業者識別情報のマーケット業者が買取業者を識別するための買取業者識別情報とともに、取得したマーケット業者識別情報に対応するマーケット業者サーバ２５０へネットワーク１を介して送信する（ステップＳ２５１）。
【０３２０】
マーケット業者サーバ２５０では、ダウンロード要求受付処理手段２５２により、トレードサーバ２３０からネットワーク１を介して送信されてくるトレード価格購入予約に係る電子化商品（電子書籍）のダウンロード要求信号を、電子化商品識別情報（例えば、ＩＳＢＮコード等）、トレード価格、および買取業者識別情報とともに受信する（ステップＳ２５２）。
【０３２１】
続いて、ダウンロード要求受付処理手段２５２により、受信した電子化商品識別情報の電子化商品（電子書籍のファイル）を、電子化商品記憶手段２６１から取得し、取得した電子化商品（電子書籍のファイル）を、トレードサーバ２３０へネットワーク１を介して送信する（ステップＳ２５３）。
【０３２２】
トレードサーバ２３０では、ダウンロード中継処理手段２３７により、マーケット業者サーバ２５０からネットワーク１を介して送信されてくる電子化商品（電子書籍のファイル）を受信し、受信した電子化商品（電子書籍のファイル）を、店舗端末装置２０へネットワーク１を介して送信する（ステップＳ２５４）。
【０３２３】
店舗端末装置２０では、トレードサーバ２３０からネットワーク１を介して送信されてくる電子化商品（電子書籍のファイル）を受信すると（ステップＳ２５５）、顧客は、その電子化商品（電子書籍のファイル）を、店舗端末装置２０から自己の所持する電子ブックリーダ８１へ有線または無線で転送する（ステップＳ２５６）。
【０３２４】
一方、マーケット業者サーバ２５０では、決済処理手段２５４により、ダウンロード要求受付処理手段２５２により受信したトレード価格を用いて、ダウンロード要求受付処理手段２５２により受信した買取業者識別情報に関連付けられて決済情報記憶手段２６３（図８と同様）に記憶されているダウンロード要求の送信元の買取業者の決済情報に従って、買取業者とマーケット業者との間の決済処理を実行する（ステップＳ２５７）。例えば、電子化商品（電子書籍）のトレード価格が、３００円であれば、買取業者からマーケット業者への支払金額が、３００円となる。
【０３２５】
図１８において、処理種別＝５では、中古品（古本）に対応する電子化商品（電子書籍）が存在しないので、買取業者の店員は、店舗端末装置２０の画面上に表示されたトレード価格購入予約画面（不図示）で、買取業者が顧客から買い取った中古品（古本）についての中古品識別情報（例えば、ＩＳＢＮコード等）を入力し、入力した中古品識別情報（例えば、ＩＳＢＮコード等）を、ネットワーク１を介してトレードサーバ２３０へ送信する（ステップＳ２６１）。
【０３２６】
そして、トレードサーバ２３０では、トレード価格購入予約受付処理手段２３１により、顧客から買い取った中古品（古本）についての中古品識別情報（例えば、ＩＳＢＮコード等）を、店舗端末装置２０からネットワーク１を介して受信し、顧客に対して予約番号を自動付与してこの予約番号を付した予約票（予約番号を示すバーコードや２次元バーコードを記載した予約票でもよく、予約番号を示す数字を記載した予約票でもよい。）の印刷用情報を、店舗端末装置２０へネットワーク１を介して送信するとともに、受信した中古品識別情報（例えば、ＩＳＢＮコード等）を、予約番号と関連付けて顧客購入情報記憶手段２４０（図２と同様）に記憶させる（ステップＳ２６２）。店舗端末装置２０では、トレードサーバ２３０からネットワーク１を介して送信されてくる予約票の印刷用情報を受信し、予約番号を付した予約票を印刷する。買取業者の店員は、印刷した予約票を、顧客に手渡しする。
【０３２７】
また、処理種別＝６では、中古品（古本）に対応する電子化商品（電子書籍）が存在しないので、買取業者の店員は、店舗端末装置２０の画面上に表示されたトレード価格購入予約画面（不図示）で、買取業者が顧客から買い取った中古品（古本）についての中古品識別情報（例えば、ＩＳＢＮコード等）を、顧客についての会員識別情報（顧客から中古品（古本）の買取を行った買取業者がその顧客を識別するための会員ＩＤ）とともに入力し、入力した中古品識別情報（例えば、ＩＳＢＮコード等）および会員識別情報（会員ＩＤ）を、ネットワーク１を介してトレードサーバ２３０へ送信する（ステップＳ２６１）。この際、会員識別情報（会員ＩＤ）は、会員カード等から読み込むことができる。
【０３２８】
そして、トレードサーバ２３０では、トレード価格購入予約受付処理手段２３１により、顧客から買い取った中古品（古本）についての中古品識別情報（例えば、ＩＳＢＮコード等）を、顧客についての会員識別情報（会員ＩＤ）とともに、店舗端末装置２０からネットワーク１を介して受信し、受信した中古品識別情報（例えば、ＩＳＢＮコード等）を、会員識別情報（会員ＩＤ）と関連付けて顧客購入情報記憶手段２４０（図２と同様）に記憶させる（ステップＳ２６２）。
【０３２９】
なお、処理種別＝５を選択して予約票を用いる場合は、例えば、買取業者へあまり来ないか、１回だけしか来ない顧客からの買取の場合であり、処理種別＝６を選択して会員識別情報（会員ＩＤ）を用いる場合は、例えば、買取業者へ何回も来る顧客からの買取の場合である。
【０３３０】
また、処理種別＝５，６では、電子化商品（電子書籍）のトレード価格での購入代金の決済は、買取業者が顧客の代理決済を行うという形で、後に買取業者とマーケット業者との間で行われるが、この段階では、マーケット業者が決まっていないことから、トレード価格も決まらないので、中古品（古本）の買取の決済のみを行うべく、買取業者の店員は、顧客に対し、前述したステップＳ２４１で調査・決定した査定額を支払う。例えば、中古品（古本）の査定額が、１００円であれば、買取業者から顧客への現金支払金額は、１００円となる。
【０３３１】
トレードサーバ２３０では、対応商品発売監視処理手段２３３により、中古品（古本）に対応する電子化商品（電子書籍）が発売されたか否かを監視するために、顧客購入情報記憶手段２４０（図２と同様）に記憶された処理種別＝５，６のレコードの中古品識別情報（例えば、ＩＳＢＮコード等）について、商品情報記憶手段２４１（図３と同様）に同一の中古品識別情報が記憶されているか否かを繰り返し判断し、記憶されている場合には、商品情報記憶手段２４１からその中古品識別情報に対応する電子化商品識別情報（例えば、ＩＳＢＮコード等）およびマーケット業者識別情報を取得する（ステップＳ２６３）。
【０３３２】
続いて、発売商品反映処理手段２３５により、対応商品発売監視処理手段２３３により取得した電子化商品識別情報（例えば、ＩＳＢＮコード等）およびマーケット業者識別情報を、処理種別＝５では、予約番号と関連付けて、処理種別＝６では、会員識別情報（会員ＩＤ）と関連付けて顧客購入情報記憶手段２４０（図２と同様）の処理種別＝５，６のレコードに記憶させる（ステップＳ２６４）。なお、マーケット業者識別情報は、顧客購入情報記憶手段２４０（図２と同様）の購入マーケット業者についてのマーケット業者識別情報のカラムに記憶させる。
【０３３３】
それから、通知処理手段２３６により、顧客購入情報記憶手段２４０（図２と同様）の処理種別＝５，６のレコードの当該中古品識別情報に関連付けられて記憶されている顧客特定用の情報（予約番号または会員識別情報（会員ＩＤ））を用いて、顧客情報記憶手段２４２（図４と同様）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ２６５）。
【０３３４】
また、通知処理手段２３６により、顧客購入情報記憶手段２４０（図２と同様）の処理種別＝５，６のレコードの当該中古品識別情報が記憶されたテーブルに対応する買取業者についての買取業者管理情報に関連付けられて買取業者情報記憶手段２４３（図５と同様）に記憶されている連絡先の情報（本実施形態では、一例として電子メールアドレスとする。）を取得し、取得した連絡先（買取業者）へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ２６５）。
【０３３５】
それから、顧客は、自宅等にある顧客端末装置８０を操作することにより、自分宛の通知メールを受信し、閲覧するか（ステップＳ２６６）、あるいは、顧客は、買取業者の店舗に出向いて店舗端末装置２０を操作することにより、自分宛の通知メールを受信し、閲覧する（ステップＳ２６７）。また、買取業者の店員は、店舗端末装置２０を操作することにより、その買取業者宛の通知メールを受信し、閲覧する（ステップＳ２６７）。そして、買取業者の店員は、この通知メールを受け取ったときには、店舗端末装置２０から、顧客情報記憶手段２４２（図４と同様）に記憶された当該顧客の連絡先の情報を参照し、顧客情報記憶手段２４２に、電話番号やファクシミリ番号等のような電子メールアドレス以外の連絡先の情報が記憶されている場合には、それらの連絡先の情報を用いて電子メール以外の方法での人手による通知（例えば、電話をかける、ＦＡＸを送る等）を行ってもよい。
【０３３６】
さらに、顧客は、買取業者の店舗に出向き、店舗端末装置２０を自ら操作することにより、自分が売った中古品（古本）に対応する電子化商品（電子書籍）が発売されたか否かを確認することができる。すなわち、店舗端末装置２０において、顧客が、予約番号または会員識別情報（会員ＩＤ）を入力し、自己のトレード購入予約状況確認画面の表示要求を行うと、この表示要求信号が、予約番号または会員識別情報（会員ＩＤ）とともに、トレードサーバ２３０へネットワーク１を介して送信される。トレードサーバ２３０では、図示されない顧客購入情報閲覧処理手段により、店舗端末装置２０から送信されてくるトレード購入予約状況確認画面の表示要求信号を、予約番号または会員識別情報（会員ＩＤ）とともに受信すると、受信した予約番号または会員識別情報（会員ＩＤ）を用いて、顧客購入情報記憶手段２４０（図２と同様）の当該顧客のレコードにおける購入マーケット業者についてのマーケット業者識別情報のカラムにデータが記憶されているか否かを判断することにより（対応する電子化商品（電子書籍）が発売されていれば、ステップＳ２６４で発売商品反映処理手段２３５によりデータが格納されているはずであるため。）、対応する電子化商品（電子書籍）が発売されたか否かを判断し、その判断結果をネットワーク１を介して店舗端末装置２０へ送信する。
【０３３７】
その後、顧客は、買取業者の店舗に出向き、店舗端末装置２０を自ら操作するか、または買取業者の店員に代行操作を依頼することにより、トレード価格購入予約に係る電子化商品のダウンロード要求信号を、処理種別＝５では、予約番号とともに、処理種別＝６では、会員識別情報（会員ＩＤ）とともに、ネットワーク１を介してトレードサーバ２３０へ送信する（ステップＳ２６８）。この際、予約番号は、店舗端末装置２０に設けられたバーコードリーダや２次元バーコードリーダ等により予約票から読み込み、会員識別情報（会員ＩＤ）は、会員カード等から読み込むことができる。なお、予約番号や会員識別情報（会員ＩＤ）を手入力してもよい。
【０３３８】
また、マーケット業者が決まり、トレード価格が決まったことから、トレード価格の決済を行うべく、顧客は、買取業者に対し、トレード価格を支払う。なお、買取業者は、トレードサーバ２３０の検索処理手段２３２による検索を行うことで、トレード価格を取得することができる。例えば、対応する電子化商品（電子書籍）が、３００円であれば、顧客から買取業者への現金支払金額は、３００円となる。
【０３３９】
トレードサーバ２３０では、ダウンロード中継処理手段２３７により、店舗端末装置２０からネットワーク１を介して送信されてくるトレード価格購入予約に係る電子化商品のダウンロード要求信号を、予約番号または会員識別情報（会員ＩＤ）とともに受信する（ステップＳ２６９）。
【０３４０】
この際、予約番号を受信する処理種別＝５の場合は、買取業者にあまり来ないか、または１回だけしか来ない顧客によるダウンロード要求である可能性が大きいため、その予約番号を複数の顧客で不正に使い回しされることのないように、ダウンロード中継処理手段２３７により、ある予約番号を使って１度ダウンロードが行われたら、その予約番号を無効化する処理（ダウンロード済とする処理）を行うことが好ましい。具体的には、例えば、顧客購入情報記憶手段２４０（図２と同様）に、予約番号の有効・無効を示すフラグ（ダウンロード未済・済を示すフラグ）を格納するカラム（不図示）を設けておき、予約番号を受信した場合に、ダウンロード中継処理手段２３７により、受信した予約番号に関連付けられて顧客購入情報記憶手段２４０に記憶されている当該フラグを、有効（ダウンロード未済）を示す状態から無効（ダウンロード済）を示す状態に更新する処理を行えばよい。なお、フラグを更新するのは、後述するステップＳ２７５で、電子化商品（電子書籍のファイル）の店舗端末装置２０への送信、つまり顧客への送信が完了してからでもよい。
【０３４１】
続いて、ダウンロード中継処理手段２３７により、受信した予約番号または会員識別情報（会員ＩＤ）に関連付けられて顧客購入情報記憶手段２４０（図２と同様）に記憶されている電子化商品識別情報（例えば、ＩＳＢＮコード等）およびマーケット業者識別情報を取得する（ステップＳ２７０）。
【０３４２】
さらに、ダウンロード中継処理手段２３７により、取得した電子化商品識別情報（例えば、ＩＳＢＮコード等）に関連付けられて商品情報記憶手段２４１（図３と同様）に記憶されているトレード価格を取得する（ステップＳ２７１）。
【０３４３】
以降のステップＳ２７２〜Ｓ２７８の処理は、前述した図１７のステップＳ２５１〜Ｓ２５７の処理と同様である。
【０３４４】
このような第２実施形態によれば、次のような効果がある。すなわち、トレードシステム２００では、顧客にとっては、中古品（古本）を売ってトレード価格でその電子化商品（電子書籍）を購入することができるので、新規購入価格で電子化商品（電子書籍）を購入するよりも安価に同じ電子化商品（電子書籍）を購入することができる。このため、大きなコストをかけずに、購入済みの中古品（古本）について、電子化による保管を実現することができるので、保管場所の確保の問題を解消することができ、商品検索も容易に実現することができるうえ、スキャナを用いて自身で電子化（自炊）するといった手間や時間のかかる作業を行うことなく、綺麗に電子化された状態での商品保管を実現することができる。以上は、顧客のメリットである。
【０３４５】
また、トレードシステム２００では、中古品（古本）を買い取る買取業者にとっては、顧客が中古品（古本）を売ればトレード価格で安価にその電子化商品（電子書籍）を購入することができるので、自分が保有している中古品（古本）を売って電子化しようと考える顧客が増えるため、中古品市場を活性化することができ、顧客層の拡大に伴う売上げの拡大を図ることができる。つまり、これまで、自分が既に購入して保有している中古品（古本）は、一種の財産、あるいは情報源と考えて、それを売ることは考えなかったような顧客が、電子化商品（電子書籍）との交換売買という形で、中古品（古本）を売ろうと考えるようになり、中古品市場（古本市場）の活性化に繋げることができる。以上は、買取業者のメリットである。
【０３４６】
さらに、トレードシステム２００では、電子化商品（電子書籍）を販売するマーケット業者にとっては、顧客が中古品（古本）を売ればトレード価格で安価にその電子化商品（電子書籍）を購入することができるので、既に同じ内容の商品（非電子化商品）を購入して中古品（古本）として保有している顧客に対し、電子化商品（電子書籍）の購入のインセンティブを付与することができ、新たな顧客層の開拓を実現することができ、電子化商品市場（電子書籍市場）を活性化させることができる。以上は、マーケット業者のメリットである。
【０３４７】
そして、トレードシステム２００では、トレードサーバ２３０が設けられているので、このトレードサーバ２３０により、店舗端末装置２０またはマーケット業者サーバ２５０が持つべき機能の一部を担うことができるため、店舗端末装置２０またはマーケット業者サーバ２５０の負荷の軽減や、買取業者またはマーケット業者の設備コストの低減を図ることができる。そして、特に、マーケット業者サーバ２５０にトレード価格を記憶させずに、トレードサーバ２３０に記憶させるので、本発明を実現するにあたってのマーケット業者サーバの改良を小幅に抑えることができる。以上は、トレードサーバ２３０の設置効果であり、このトレードサーバ２３０の管理者は、いわゆるアプリケーションサービスプロバイダ（ASP：Application  Service  Provider）となることができる。
【０３４８】
また、トレードシステム２００では、処理種別＝１，２を選択した場合（図１５、図１６参照）、顧客が、顧客識別情報（マーケット業者が顧客を識別するための情報であるマーケットＩＤ）を使用してマーケット業者サーバ２５０へアクセスし、電子化商品（電子書籍）をダウンロードするようになっているので、電子化商品（電子書籍）に関する決済は、顧客とマーケット業者との間で行うことができ、買取業者は、顧客との間で、中古品（古本）の買取に関する決済を行えばよくなり、買取業者の負担を軽減することができる。
【０３４９】
そして、処理種別＝１，２を選択した場合（図１５、図１６参照）、顧客識別情報（マーケットＩＤ）を使用してダウンロードするので、マーケット業者サーバ２５０に、顧客識別情報（マーケットＩＤ）に関連付けられて購入ログ（購入した電子化商品（電子書籍）についての電子化商品識別情報（例えば、ＩＳＢＮコード等）、購入日時、購入代金等）が残っていることを前提とすれば、顧客は、再ダウンロードを行うこともできる。
【０３５０】
また、処理種別＝１，２を選択する場合（図１５、図１６参照）、顧客は、自分のパーソナル・コンピュータを持っていなくても、買取業者の店舗へ出向いて店舗において、店舗端末装置２０を使ってマーケット業者用の顧客識別情報（マーケットＩＤ）を登録することができるので、登録後には店舗端末装置２０を操作し、顧客識別情報（マーケットＩＤ）を使用して電子化商品（電子書籍）のダウンロードを行うことができるが、このように顧客識別情報（マーケットＩＤ）を登録しておくことで、後にパーソナル・コンピュータを購入した場合には、自宅のパーソナル・コンピュータ（顧客端末装置８０）からも、ダウンロードや再ダウンロードを行うことができる。
【０３５１】
さらに、トレードシステム２００では、処理種別＝３〜６を選択した場合（図１７、図１８参照）、顧客識別情報（マーケット業者が顧客を識別するための情報であるマーケットＩＤ）を使用せずに、買取業者が顧客の代理購入という形式で買取業者識別情報（マーケット業者が買取業者を識別するための情報）を使用してマーケット業者サーバ２５０へアクセスして電子化商品（電子書籍）をダウンロードし、買取業者とマーケット業者との間で決済を行うようになっているので、顧客は、自分のパーソナル・コンピュータを持っていなくても、買取業者の店舗に出向くことで、電子化商品（電子書籍）をダウンロードすることができる。また、顧客識別情報を持っていない顧客でも、新たにマーケット業者に顧客識別情報（マーケットＩＤ）を登録することなく、電子化商品（電子書籍）をトレード価格で購入することができ、さらに、顧客識別情報（マーケットＩＤ）を持っているが忘れてしまった顧客や、持っているが使用したくない顧客も、電子化商品（電子書籍）をトレード価格で購入することができる。
【０３５２】
また、トレードシステム２００では、処理種別＝２，５，６を選択した場合（図１６、図１８参照）、買取業者が顧客から中古品（古本）を買い取った時点で、買い取った中古品（古本）に対応する電子化商品（電子書籍）が存在しないケースに対応することができるので、顧客は、後に対応する電子化商品（電子書籍）が発売された段階で、発売された電子化商品（電子書籍）をトレード価格で安価に購入することができる。このため、買い取った中古品（古本）に対応する電子化商品（電子書籍）が存在しないケースでも、前述した顧客のメリット、買取業者のメリット、およびマーケット業者のメリットを得ることができる。
【０３５３】
さらに、トレードシステム２００では、トレードサーバ２３０に処理種別変更処理手段（不図示）が設けられているので、当初、処理種別＝５，６を選択していた場合（図１８参照）であっても、途中で処理種別＝２に変更し、顧客識別情報（マーケットＩＤ）を使って電子化商品（電子書籍）をダウンロードすることができる。すなわち、処理種別＝５，６を選択した場合（図１８参照）は、買い取った中古品（古本）に対応する電子化商品（電子書籍）が存在しないケースであるから、対応商品発売監視処理手段２３３により、対応する電子化商品（電子書籍）の発売の監視が行われるが、その間に、処理種別＝２に変更して顧客識別情報（マーケットＩＤ）を使ってダウンロードすることができるように変更することができる。この際、トレードサーバ２３０の処理種別変更処理手段（不図示）は、トレード価格購入予約受付処理手段２３１による処理種別＝２の場合の処理と同様に、店舗端末装置２０から、少なくとも１つの候補マーケット業者についてのマーケット業者識別情報および各候補マーケット業者用の顧客識別情報（マーケットＩＤ）を、ネットワーク１を介して受信し、顧客購入情報記憶手段２４０（図２と同様）に記憶させる。なお、顧客購入情報記憶手段２４０（図２と同様）に記憶された中古品識別情報（例えば、ＩＳＢＮコード等）は変更しないが、処理種別カラムのデータは、処理種別＝５または６から、処理種別＝２に変更する。そして、このように処理種別を、処理種別＝５または６から、処理種別＝２に変更すると、マーケット業者への電子化商品（電子書籍）の購入に係るトレード価格の支払方法も変更されることになり、マーケット業者への支払者を、買取業者から顧客に変更することができる。
【０３５４】
［第３実施形態］
【０３５５】
以下に本発明の第３実施形態について図面を参照して説明する。図１９には、本第３実施形態のトレードシステム３００の全体構成が示されている。また、図２０〜図２３には、トレードシステム３００によるトレード処理の流れがフローチャートで示されている。本第３実施形態のトレードシステム３００は、前記第１実施形態のトレードシステム１０と同様な構成および機能を備えている部分もあり、以下では、前記第１実施形態と相違する部分を中心に説明を行い、前記第１実施形態と同じ部分については、同一符号を付すか、あるいは説明を省略または簡略化する。
【０３５６】
前記第１実施形態のトレードシステム１０では、トレードサーバ３０が設けられていたが（図１参照）、本第３実施形態のトレードシステム３００には、トレードサーバは設けられておらず、その代わりに、店舗端末装置３２０に、各種の機能を実現するためのプログラムが搭載されるとともに、トレード処理に必要な各種のデータが記憶されている。従って、本第３実施形態は、前記第１、第２実施形態のように、買取業者がＡＳＰから提供されるプログラムやデータを利用する形態ではない。
【０３５７】
図１９において、トレードシステム３００は、中古品（本実施形態では、一例として古本とする。）を買い取る買取業者の店舗に設置された１つまたは複数の店舗端末装置３２０と、電子化商品（本実施形態では、一例として電子書籍とする。）を販売するマーケット業者が管理する１つまたは複数のマーケット業者サーバ３５０とが、ネットワーク１で接続されて構成されている。また、ネットワーク１には、中古品（古書）の流通市場サーバ７０や、顧客が操作する多数の顧客端末装置８０が接続されている。
【０３５８】
ここで、店舗端末装置３２０は、本実施形態では、複数の買取業者（買取業者Ｘ，Ｙ）が存在することを前提して説明するので、特に、買取業者Ｘ，Ｙのそれぞれの店舗端末装置３２０を指すときには、添字Ｘ，Ｙを付して店舗端末装置３２０Ｘ，３２０Ｙとする。
【０３５９】
また、マーケット業者サーバ３５０も、本実施形態では、複数のマーケット業者（マーケット業者Ａ，Ｂ）が存在することを前提して説明するので、特に、マーケット業者Ａ，Ｂのそれぞれのマーケット業者サーバ３５０を指すときには、添字Ａ，Ｂを付してマーケット業者サーバ３５０Ａ，３５０Ｂとする。
【０３６０】
店舗端末装置３２０は、コンピュータにより構成され、マウス、キーボード、カードリーダ、バーコードリーダ、２次元バーコードリーダ等の入力手段と、液晶ディスプレイやＣＲＴディスプレイ等の表示装置と、印刷装置とを備えている。この店舗端末装置３２０には、汎用のＷｅｂブラウザが搭載されている他に、トレード処理を実現するための各種のプログラムが搭載されている。店舗端末装置３２０は、本実施形態のように、複数の買取業者（買取業者Ｘ，Ｙ）が存在する場合には、それぞれの買取業者に設けられ、ある１つの買取業者が複数の店舗を持っている場合には、各店舗に設けられ、さらに、１つの店舗に複数台が設けられていてもよい。また、店舗端末装置３２０は、買取業者の店員が専用に操作する端末装置と、来店した顧客が自分で操作する端末装置とが、物理的に異なるコンピュータで構成されていてもよく、あるいは、同一のコンピュータで、使用するソフトウェア機能を切り替える等して、買取業者の店員および来店した顧客の双方が交代して操作できるようになっていてもよい。
【０３６１】
そして、店舗端末装置３２０のカードリーダは、顧客が所持している会員カードから、買取業者が顧客を識別するための会員識別情報（会員ＩＤ）を読み取るために設けられ、店舗端末装置３２０のバーコードリーダや２次元バーコードリーダは、発券票や予約表にバーコードや２次元バーコードで記載された発券番号や予約番号を読み取るために設けられ、店舗端末装置３２０の印刷装置は、発券票や予約表を印刷するために設けられている。
【０３６２】
店舗端末装置３２０は、トレード価格購入予約受付処理手段３３１と、検索処理手段３３２と、対応商品発売監視処理手段３３３と、トレード価格購入予約情報送信処理手段３３４と、発売商品反映処理手段３３５と、通知処理手段３３６と、ダウンロード要求送信処理手段３３７と、顧客購入情報記憶手段３４０と、商品情報記憶手段３４１と、顧客情報記憶手段３４２とを含んで構成されている。
【０３６３】
トレード価格購入予約受付処理手段３３１は、店舗端末装置３２０に画面表示されたトレード価格購入予約画面（不図示）での買取業者の店員による選択操作に従って、処理種別＝１〜６を開始するための処理を実行するものである。ここで、処理種別＝１（図２０参照）、処理種別＝２（図２１参照）、処理種別＝３（図２２参照）、処理種別＝４（図２２参照）、処理種別＝５（図２３参照）、処理種別＝６（図２３参照）の各内容は、前記第１実施形態で説明した通りである。
【０３６４】
すなわち、トレード価格購入予約受付処理手段３３１は、買取業者の店員が処理種別＝１（図２０参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）、並びに、顧客により選択されたマーケット業者（つまり、トレード価格で購入予定の電子化商品（電子書籍）を販売しているマーケット業者）についてのマーケット業者識別情報（マーケット業者Ａ，Ｂのいずれなのかを識別するための情報）およびそのマーケット業者が顧客を識別するための顧客識別情報（マーケットＩＤ）の入力を受け付け、受け付けた電子化商品識別情報（例えば、ＩＳＢＮコード等）を、顧客識別情報（マーケットＩＤ）とともに、受け付けたマーケット業者識別情報に対応するマーケット業者サーバ３５０へ送信する処理を実行するものである。この際、トレード価格購入予約受付処理手段３３１は、電子化商品識別情報（例えば、ＩＳＢＮコード等）を、マーケット業者識別情報および顧客識別情報（マーケットＩＤ）と関連付けて顧客購入情報記憶手段３４０（図２と同様）に記憶させる処理も実行する。
【０３６５】
また、トレード価格購入予約受付処理手段３３１は、買取業者の店員が処理種別＝２（図２１参照）を選択した場合には、中古品（古本）に対応する電子化商品（電子書籍）が存在しない場合であるから、買取業者が顧客から買い取った中古品（古本）についての中古品識別情報（例えば、ＩＳＢＮコード等）、並びに、顧客により選択された少なくとも１つのマーケット業者（つまり、電子化商品（電子書籍）が発売されたら、そこからトレード価格で購入することを予約しておくための購入先の候補となるマーケット業者）についてのマーケット業者識別情報およびそれらの各マーケット業者用の顧客識別情報（マーケットＩＤ）の入力を受け付け、受け付けた中古品識別情報（例えば、ＩＳＢＮコード等）を、受け付けた少なくとも１つのマーケット業者についてのマーケット業者識別情報およびそれらの各マーケット業者用の顧客識別情報（マーケットＩＤ）と関連付けて顧客購入情報記憶手段３４０（図２と同様）に記憶させる処理を実行するものである。
【０３６６】
さらに、トレード価格購入予約受付処理手段３３１は、買取業者の店員が処理種別＝３（図２２参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）、および、顧客により選択されたマーケット業者（つまり、トレード価格で購入予定の電子化商品（電子書籍）を販売しているマーケット業者）についてのマーケット業者識別情報の入力を受け付け、中古品（古本）を持ち込んできた顧客に対して発券番号を付与してこの発券番号を付した発券票（発券番号を示すバーコードや２次元バーコードを記載した発券票でもよく、発券番号を示す数字を記載した発券票でもよい。）を印刷するとともに、受け付けた電子化商品識別情報（例えば、ＩＳＢＮコード等）を、発券番号およびマーケット業者識別情報と関連付けて顧客購入情報記憶手段３４０（図２と同様）に記憶させる処理を実行するものである。
【０３６７】
そして、トレード価格購入予約受付処理手段３３１は、買取業者の店員が処理種別＝４（図２２参照）を選択した場合には、中古品（古本）に対応する電子化商品（電子書籍）が存在する場合であるから、買取業者が顧客から買い取った中古品（古本）に対応する電子化商品（電子書籍）についての電子化商品識別情報（例えば、ＩＳＢＮコード等）、顧客についての会員識別情報（顧客から中古品（古本）の買取を行った買取業者がその顧客を識別するための会員ＩＤ）、および顧客により選択されたマーケット業者（つまり、トレード価格で購入予定の電子化商品（電子書籍）を販売しているマーケット業者）についてのマーケット業者識別情報の入力を受け付け、受け付けた電子化商品識別情報（例えば、ＩＳＢＮコード等）を、会員識別情報（会員ＩＤ）およびマーケット業者識別情報と関連付けて顧客購入情報記憶手段３４０（図２と同様）に記憶させる処理を実行するものである。
【０３６８】
また、トレード価格購入予約受付処理手段３３１は、買取業者の店員が処理種別＝５（図２３参照）を選択した場合には、中古品（古本）に対応する電子化商品（電子書籍）が存在しない場合であるから、顧客から買い取った中古品（古本）についての中古品識別情報（例えば、ＩＳＢＮコード等）の入力を受け付け、顧客に対して予約番号を付与してこの予約番号を付した予約票（予約番号を示すバーコードや２次元バーコードを記載した予約票でもよく、予約番号を示す数字を記載した予約票でもよい。）を印刷するとともに、受け付けた中古品識別情報（例えば、ＩＳＢＮコード等）を、予約番号と関連付けて顧客購入情報記憶手段３４０（図２と同様）に記憶させる処理を実行するものである。
【０３６９】
そして、トレード価格購入予約受付処理手段３３１は、買取業者の店員が処理種別＝６（図２３参照）を選択した場合には、中古品（古本）に対応する電子化商品（電子書籍）が存在しない場合であるから、顧客から買い取った中古品（古本）についての中古品識別情報（例えば、ＩＳＢＮコード等）、および、顧客についての会員識別情報（顧客から中古品（古本）の買取を行った買取業者がその顧客を識別するための会員ＩＤ）の入力を受け付け、受け付けた中古品識別情報（例えば、ＩＳＢＮコード等）を、会員識別情報（会員ＩＤ）と関連付けて顧客購入情報記憶手段３４０（図２と同様）に記憶させる処理を実行するものである。
【０３７０】
検索処理手段３３２は、トレード価格購入予約受付処理手段３３１により店舗端末装置３２０に画面表示されているトレード価格購入予約画面（不図示）で、買取業者の店員による電子化商品（電子書籍）の有無の確認およびその電子化商品（電子書籍）についての電子化商品識別情報（例えば、ＩＳＢＮコード等）およびトレード価格の取得のための検索要求の操作が行われた場合に、顧客が持ち込んできた中古品（古本）についての中古品識別情報（例えば、ＩＳＢＮコード等、あるいは書籍名でもよい。）の入力を受け付け、受け付けた中古品識別情報に対応する電子化商品識別情報（例えば、ＩＳＢＮコード等）が商品情報記憶手段３４１（図３と同様）に記憶されているか否かを検索し、対応する電子化商品識別情報が記憶されていた場合には、その電子化商品識別情報およびトレード価格を、店舗端末装置３２０に画面表示する処理を実行するものである。
【０３７１】
対応商品発売監視処理手段３３３は、中古品（古本）に対応する電子化商品（電子書籍）が発売されたか否かを監視するために、顧客購入情報記憶手段３４０（図２と同様）に記憶された処理種別＝２，５，６のレコードの中古品識別情報（例えば、ＩＳＢＮコード等）について、商品情報記憶手段３４１（図３と同様）に同一の中古品識別情報が記憶されているか否かを繰り返し判断し、記憶されている場合には、商品情報記憶手段３４１からその中古品識別情報に対応する電子化商品識別情報（例えば、ＩＳＢＮコード等）およびマーケット業者識別情報を取得する処理を実行するものである。但し、対応商品発売監視処理手段３３３は、商品情報記憶手段３４１（図３と同様）に同一の中古品識別情報が記憶されていても、処理種別＝２のレコードの中古品識別情報については、発売された電子化商品（電子書籍）を販売するマーケット業者が、顧客の指定した候補マーケット業者の中に含まれている必要があるので、商品情報記憶手段３４１にその中古品識別情報に関連付けられて記憶されているマーケット業者識別情報が、顧客購入情報記憶手段３４０（図２と同様）に記憶された処理種別＝２のレコードのいずれかの候補マーケット業者についてのマーケット業者識別情報と一致した場合にのみ、商品情報記憶手段３４１からその中古品識別情報に対応する電子化商品識別情報（例えば、ＩＳＢＮコード等）およびマーケット業者識別情報を取得する処理を実行する。
【０３７２】
トレード価格購入予約情報送信処理手段３３４は、対応商品発売監視処理手段３３３により取得した電子化商品識別情報（例えば、ＩＳＢＮコード等）を、処理種別＝２のレコードの中古品識別情報（例えば、ＩＳＢＮコード等）に関連付けられて顧客購入情報記憶手段３４０（図２と同様）に記憶されている顧客識別情報（マーケットＩＤ）のうち、対応商品発売監視処理手段３３３により取得したマーケット業者識別情報のマーケット業者（すなわち、中古品（古本）に対応する電子化商品（電子書籍）を発売したマーケット業者）用の顧客識別情報（マーケットＩＤ）とともに、そのマーケット業者識別情報に対応するマーケット業者サーバ３５０（すなわち、中古品（古本）に対応する電子化商品（電子書籍）を発売したマーケット業者のマーケット業者サーバ３５０）へネットワーク１を介して送信する処理を実行するものである。また、トレード価格購入予約情報送信処理手段３３４は、マーケット業者サーバ３５０へ送信した電子化商品識別情報（例えば、ＩＳＢＮコード等）、並びに、送信先のマーケット業者サーバ３５０のマーケット業者についてのマーケット業者識別情報およびそのマーケット業者用の顧客識別情報（マーケットＩＤ）を、処理種別＝２のレコードの中古品識別情報（例えば、ＩＳＢＮコード等）に関連付けて顧客購入情報記憶手段３４０（図２と同様）に記憶させる処理も実行する。
【０３７３】
発売商品反映処理手段３３５は、対応商品発売監視処理手段３３３により取得した電子化商品識別情報（例えば、ＩＳＢＮコード等）およびマーケット業者識別情報を、予約番号または会員識別情報（会員ＩＤ）と関連付けて顧客購入情報記憶手段３４０（図２と同様）の処理種別＝５，６のレコードに記憶させる処理を実行するものである。
【０３７４】
通知処理手段３３６は、対応商品発売監視処理手段３３３により顧客購入情報記憶手段３４０（図２と同様）の処理種別＝２，５，６のレコードの中古品識別情報（例えば、ＩＳＢＮコード等）に対応する電子化商品識別情報（例えば、ＩＳＢＮコード等）を取得した場合に、処理種別＝２，５，６のレコードの中古品識別情報に関連付けられて顧客購入情報記憶手段３４０（図２と同様）に記憶されている顧客特定用の情報（すなわち、第１の候補マーケット業者についてのマーケット業者識別情報およびその顧客識別情報（マーケットＩＤ）、予約番号、または会員識別情報（会員ＩＤ））を用いて、顧客情報記憶手段３４２（図４と同様）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する処理を実行するものである。
【０３７５】
また、店舗端末装置３２０には、図示されない顧客購入情報閲覧処理手段が設けられているので、買取業者の店員は、顧客購入情報記憶手段３４０（図２と同様）に記憶された情報をいつでも閲覧することができるようになっている。なお、顧客も、自分の情報だけ閲覧できるようになっている。従って、買取業者の店員は、この閲覧により、顧客から買い取った中古品（古本）について電子化商品（電子書籍）が発売されたか否かを知ることができるため、発売の事実を掴んだときに、顧客情報記憶手段３４２（図４と同様）に記憶された当該顧客の連絡先の情報を参照し、当該顧客への各種の通知（電子メール、電話、ＦＡＸ等）を行うこともできる。
【０３７６】
ダウンロード要求送信処理手段３３７は、買取業者の店舗に来店した顧客自身の操作または来店した顧客の依頼に基づく買取業者の店員の代行操作により、発券番号、予約番号、または会員識別情報（会員ＩＤ）の入力を受け付け、受け付けた発券番号、予約番号、または会員識別情報（会員ＩＤ）に関連付けられて顧客購入情報記憶手段３４０（図２と同様）に記憶されている電子化商品識別情報（例えば、ＩＳＢＮコード等）およびマーケット業者識別情報を取得し、取得した電子化商品識別情報（例えば、ＩＳＢＮコード等）を含むトレード価格購入予約に係る電子化商品（電子書籍）のダウンロード要求信号を、取得したマーケット業者識別情報のマーケット業者が買取業者を識別するための買取業者識別情報とともに、取得したマーケット業者識別情報に対応するマーケット業者サーバ３５０へネットワーク１を介して送信した後、マーケット業者サーバ３５０からネットワーク１を介して送信されてくる電子化商品（電子書籍のファイル）を受信する処理を実行するものである。なお、店舗端末装置３２０に設けられた買取業者識別情報記憶手段（不図示）には、各マーケット業者用の自己の買取業者識別情報（各マーケット業者が自己（買取業者）を識別するための情報）が、各マーケット業者についてのマーケット業者識別情報に関連付けられて記憶されている。
【０３７７】
顧客購入情報記憶手段３４０、商品情報記憶手段３４１、顧客情報記憶手段３４２は、前記第１実施形態の顧客購入情報記憶手段４０（図２参照）、商品情報記憶手段４１（図３参照）、顧客情報記憶手段４２（図４参照）とそれぞれ同様である。
【０３７８】
但し、顧客購入情報記憶手段３４０は、前記第１実施形態の顧客購入情報記憶手段４０（図２参照）を構成する各買取業者のテーブルのうち、自己（店舗端末装置３２０が設置されている買取業者）のテーブルのみにより構成されている。例えば、買取業者Ｘの店舗端末装置３２０Ｘには、買取業者Ｘのテーブルのみが記憶され、買取業者Ｙのテーブルは記憶されていない。自分の顧客に関する購入情報があれば、十分だからである。
【０３７９】
また、顧客情報記憶手段３４２も同様であり、前記第１実施形態の顧客情報記憶手段４２（図４参照）を構成する各買取業者のテーブルのうち、自己（店舗端末装置３２０が設置されている買取業者）のテーブルのみにより構成されている。自分の顧客の情報があれば、十分だからである。
【０３８０】
なお、商品情報記憶手段３４１（図３と同様）に記憶される商品情報は、買取業者の店員（担当者）が、各マーケット業者から、発売された電子化商品（電子書籍）に関するデータを収集し（受け取り）、入力して登録したものである。店舗端末装置３２０には、この商品情報の登録処理を実行する商品情報登録処理手段（不図示）が設けられている。
【０３８１】
また、顧客情報記憶手段３４２（図４と同様）に記憶される顧客情報は、買取業者の店員が入力したものである。店舗端末装置３２０には、この顧客情報の登録処理を実行する顧客情報登録処理手段（不図示）が設けられている。
【０３８２】
以上において、店舗端末装置３２０は、１台のコンピュータあるいは１つのＣＰＵにより実現されるものに限定されず、複数のコンピュータあるいは複数のＣＰＵで分散処理を行うことにより実現されるものであってもよい。
【０３８３】
また、店舗端末装置３２０の各処理手段３３１〜３３７は、店舗端末装置３２０を構成するコンピュータ本体の内部に設けられた中央演算処理装置（ＣＰＵ）、およびこのＣＰＵの動作手順を規定する１つまたは複数のプログラムにより実現される。
【０３８４】
さらに、店舗端末装置３２０の各記憶手段３４０〜３４２は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０３８５】
マーケット業者サーバ３５０は、１台または複数台のコンピュータにより構成され、トレード価格購入予約情報登録処理手段３５１と、ダウンロード要求受付処理手段３５２と、トレード価格取得処理手段３５３と、決済処理手段３５４と、トレード価格購入予約情報記憶手段３６０と、電子化商品記憶手段３６１と、トレード価格記憶手段３６２と、決済情報記憶手段３６３とを含んで構成されている。
【０３８６】
トレード価格購入予約情報登録処理手段３５１は、処理種別＝１では、店舗端末装置３２０のトレード価格購入予約受付処理手段３３１により、処理種別２では、トレード価格購入予約情報送信処理手段３３４により、店舗端末装置３２０からネットワーク１を介して送信されてくる電子化商品識別情報（例えば、ＩＳＢＮコード等）を、顧客識別情報（マーケットＩＤ）とともに受信し、受信した電子化商品識別情報（例えば、ＩＳＢＮコード等）を、顧客識別情報（マーケットＩＤ）と関連付けてトレード価格購入予約情報記憶手段３６０（図６と同様）に記憶させる処理を実行するものである。
【０３８７】
ダウンロード要求受付処理手段３５２は、処理種別＝１，２では、顧客が操作する顧客端末装置８０または店舗端末装置３２０からネットワーク１を介して送信されてくるトレード価格購入予約に係る電子化商品（電子書籍）のダウンロード要求信号を、顧客識別情報（マーケットＩＤ）とともに受信し、受信した顧客識別情報に関連付けられてトレード価格購入予約情報記憶手段３６０（図６と同様）に記憶されている電子化商品識別情報（例えば、ＩＳＢＮコード等）の電子化商品（電子書籍ファイル）を、電子化商品記憶手段３６１から取得し、取得した電子化商品（電子書籍ファイル）を、顧客端末装置８０または店舗端末装置３２０へネットワーク１を介して送信する処理を実行するものである。
【０３８８】
また、ダウンロード要求受付処理手段３５２は、処理種別＝３〜６では、店舗端末装置３２０のダウンロード要求送信処理手段３３７により、店舗端末装置３２０からネットワーク１を介して送信されてくるトレード価格購入予約に係る電子化商品（電子書籍）のダウンロード要求信号を、電子化商品識別情報（例えば、ＩＳＢＮコード等）および買取業者識別情報とともに受信し、受信した電子化商品識別情報の電子化商品（電子書籍ファイル）を、電子化商品記憶手段３６１から取得し、取得した電子化商品（電子書籍ファイル）を、店舗端末装置３２０へネットワーク１を介して送信する処理を実行するものである。
【０３８９】
トレード価格取得処理手段３５３は、処理種別＝１，２では、ダウンロード要求受付処理手段３５２により受信した顧客識別情報（マーケットＩＤ）に関連付けられてトレード価格購入予約情報記憶手段３６０（図６と同様）に記憶されている電子化商品識別情報（例えば、ＩＳＢＮコード等）を用いて、トレード価格記憶手段３６２（図７と同様）に記憶されたトレード価格購入予約に係る電子化商品（電子書籍）のトレード価格を取得する処理を実行するものである。
【０３９０】
また、トレード価格取得処理手段３５３は、処理種別＝３〜６では、ダウンロード要求受付処理手段３５２により受信した電子化商品識別情報（例えば、ＩＳＢＮコード等）に関連付けられてトレード価格記憶手段３６２（図７と同様）に記憶されたトレード価格購入予約に係る電子化商品（電子書籍）のトレード価格を取得する処理を実行するものである。
【０３９１】
決済処理手段３５４は、処理種別＝１，２では、トレード価格取得処理手段３５３により取得したトレード価格を用いて、ダウンロード要求受付処理手段３５２により受信した顧客識別情報（マーケットＩＤ）に関連付けられて決済情報記憶手段３６３（図８と同様）に記憶されているダウンロード要求を行った顧客の決済情報に従って、顧客とマーケット業者との間の決済処理を実行するものである。
【０３９２】
また、決済処理手段３５４は、処理種別＝３〜６では、トレード価格取得処理手段３５３により取得したトレード価格を用いて、ダウンロード要求受付処理手段３５２により受信した買取業者識別情報に関連付けられて決済情報記憶手段３６３（図８と同様）に記憶されているダウンロード要求の送信元の買取業者の決済情報に従って、買取業者とマーケット業者との間の決済処理を実行するものである。
【０３９３】
トレード価格購入予約情報記憶手段３６０、電子化商品記憶手段３６１、トレード価格記憶手段３６２、決済情報記憶手段３６３は、前記第１実施形態のトレード価格購入予約情報記憶手段６０（図６参照）、電子化商品記憶手段６１、トレード価格記憶手段６２（図７参照）、決済情報記憶手段６３（図８参照）とそれぞれ同様である。
【０３９４】
以上において、マーケット業者サーバ３５０は、１台のコンピュータあるいは１つのＣＰＵにより実現されるものに限定されず、複数のコンピュータあるいは複数のＣＰＵで分散処理を行うことにより実現されるものであってもよい。
【０３９５】
また、マーケット業者サーバ３５０の各処理手段３５１〜３５４は、マーケット業者サーバ３５０を構成するコンピュータ本体の内部に設けられた中央演算処理装置（ＣＰＵ）、およびこのＣＰＵの動作手順を規定する１つまたは複数のプログラムにより実現される。
【０３９６】
さらに、マーケット業者サーバ３５０の各記憶手段３６０〜３６３は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０３９７】
このような第３実施形態においては、以下のようにしてトレードシステム３００により、中古品（古本）と電子化商品（電子書籍）とのトレード処理が行われる。
【０３９８】
先ず、顧客は、売りたい中古品（古本）を持参して買取業者の店舗に出向く。買取業者の店舗では、買取業者の店員が、顧客に対し、電子化商品（電子書籍）をトレード価格で購入する場合に顧客識別情報（マーケットＩＤ）を使用するか否かを確認し、顧客識別情報（マーケットＩＤ）を使用する場合には、図２０および図２１に示す処理種別＝１，２の処理を開始し、顧客識別情報（マーケットＩＤ）を使用しない場合には、図２２および図２３に示す処理種別３〜６の処理を開始する。
【０３９９】
図２０において、買取業者の店員は、店舗端末装置３２０を操作し、ネットワーク１を介して流通市場サーバ７０、すなわち中古品（古本）市場の売買価格を参照することができるＷｅｂサイトにアクセスし、書籍名等を用いて検索を行うことにより、顧客が店舗に持ち込んだ書籍（古本）の買取価格の査定を行う（ステップＳ３０１）。
【０４００】
続いて、買取業者の店員は、店舗端末装置３２０を操作し、トレード価格購入予約画面（不図示）を画面表示させる。このトレード価格購入予約画面（不図示）には、検索要求用ボタンが設けられているので、買取業者の店員は、顧客が店舗に持ち込んだ中古品（古本）に対応する電子化商品（電子書籍）の有無の確認およびその電子化商品（電子書籍）についての電子化商品識別情報（例えば、ＩＳＢＮコード等）およびトレード価格の取得のために、顧客が店舗に持ち込んだ中古品（古本）についての中古品識別情報（例えば、ＩＳＢＮコード等、あるいは書籍名でもよい。）を入力して検索要求用ボタンをクリック操作する。
【０４０１】
すると、検索処理手段３３２により、入力された中古品識別情報（例えば、ＩＳＢＮコード等、あるいは書籍名でもよい。）が商品情報記憶手段３４１（図３と同様）に記憶されているか否かの検索が行われ、対応する電子化商品識別情報が記憶されていた場合（すなわち、対応する電子化商品（電子書籍）が既に発売されていた場合）には、その電子化商品識別情報およびトレード価格が画面表示される（ステップＳ３０２）。従って、買取業者の店員は、顧客に対し、トレード価格を提示し、トレード購入の意思を確認する。
【０４０２】
ここで、検索の結果、対応する電子化商品（電子書籍）が既に発売されていた場合（ステップＳ３０３）には、上述したように、電子化商品識別情報（例えば、ＩＳＢＮコード等）およびトレード価格が画面表示されるので、買取業者の店員は、処理種別＝１の処理を開始する。一方、ステップＳ３０３で、対応する電子化商品（電子書籍）が未だ発売されていなかった場合には、電子化商品識別情報（例えば、ＩＳＢＮコード等）およびトレード価格は画面表示されないので、買取業者の店員は、後述する図２１に示すように、処理種別＝２の処理を開始する。
【０４０３】
図２０において、処理種別＝１では、買取業者の店員は、店舗端末装置３２０の画面上に表示されたトレード価格購入予約画面（不図示）で、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報（マーケット業者Ａ，Ｂのいずれなのかを識別するための情報）およびそのマーケット業者が顧客を識別するための顧客識別情報（マーケットＩＤ）とともに入力する。そして、トレード価格購入予約受付処理手段３３１により、これらの入力を受け付け、入力された電子化商品識別情報（例えば、ＩＳＢＮコード等）を、顧客識別情報（マーケットＩＤ）とともに、入力されたマーケット業者識別情報に対応するマーケット業者サーバ３５０へネットワーク１を介して送信する（ステップＳ３０４）。この際、トレード価格購入予約受付処理手段３３１により、電子化商品識別情報（例えば、ＩＳＢＮコード等）を、マーケット業者識別情報および顧客識別情報（マーケットＩＤ）と関連付けて顧客購入情報記憶手段３４０（図２と同様）に記憶させる（ステップＳ３０４）。
【０４０４】
また、処理種別＝１では、電子化商品（電子書籍）のトレード価格での購入代金の決済は、顧客とマーケット業者との間で後に行われるので、この段階では、中古品（古本）の買取の決済のみを行うべく、買取業者の店員は、顧客に対し、前述したステップＳ３０１で調査・決定した査定額を支払う。例えば、中古品（古本）の査定額が、１００円であれば、買取業者から顧客への現金支払金額は、１００円となる。
【０４０５】
マーケット業者サーバ３５０では、トレード価格購入予約情報登録処理手段３５１により、店舗端末装置３２０からネットワーク１を介して送信されてくる電子化商品識別情報（例えば、ＩＳＢＮコード等）を、顧客識別情報（マーケットＩＤ）とともに受信し、受信した電子化商品識別情報（例えば、ＩＳＢＮコード等）を、顧客識別情報（マーケットＩＤ）と関連付けてトレード価格購入予約情報記憶手段３６０（図６と同様）に記憶させる（ステップＳ３０５）。
【０４０６】
その後、顧客は、自宅や会社等にある顧客端末装置８０を操作するか、または買取業者の店舗に出向いて店舗端末装置３２０を操作することにより、ネットワーク１を介してマーケット業者サーバ３５０にアクセスし、そのマーケット業者に自己が登録している顧客識別情報（マーケットＩＤ）を入力してログインし、顧客識別情報を含むダウンロード要求信号を、マーケット業者サーバ３５０へネットワーク１を介して送信する（ステップＳ３０６）。
【０４０７】
マーケット業者サーバ３５０では、ダウンロード要求受付処理手段３５２により、顧客が操作する顧客端末装置８０または店舗端末装置３２０からネットワーク１を介して送信されてくるトレード価格購入予約に係る電子化商品（電子書籍）のダウンロード要求信号を、顧客識別情報（マーケットＩＤ）とともに受信する（ステップＳ３０７）。
【０４０８】
続いて、ダウンロード要求受付処理手段３５２により、受信した顧客識別情報（マーケットＩＤ）に関連付けられてトレード価格購入予約情報記憶手段３６０（図６と同様）に記憶されている電子化商品識別情報（例えば、ＩＳＢＮコード等）を取得し、さらに、この電子化商品識別情報に関連付けられて電子化商品記憶手段３６１に記憶されている電子化商品（電子書籍ファイル）を取得し、取得した電子化商品（電子書籍ファイル）を、顧客端末装置８０または店舗端末装置３２０へネットワーク１を介して送信する（ステップＳ３０８）。
【０４０９】
この際、受信した顧客識別情報（マーケットＩＤ）に関連付けられた電子化商品識別情報（例えば、ＩＳＢＮコード等）が複数ある場合、すなわち１人の顧客が複数の中古品（古本）を持ち込んで複数の電子化商品（電子書籍）のトレード購入予約を行っていた場合には、ダウンロード要求受付処理手段３５２により、それらの電子化商品（電子書籍）を全部まとめてダウンロードの対象としてもよく、あるいは複数の電子化商品（電子書籍）についての電子化商品識別情報（例えば、ＩＳＢＮコード等、あるいは書籍名）を、顧客端末装置８０または店舗端末装置３２０へネットワーク１を介して送信し、いずれの電子化商品（電子書籍）をダウンロードするのかを、顧客に指定させ、その指定情報（顧客により指定された電子化商品（電子書籍）についての電子化商品識別情報またはその代替情報）を、顧客端末装置８０または店舗端末装置３２０からネットワーク１を介して受信し、指定された電子化商品（電子書籍）だけをダウンロードの対象としてもよい。
【０４１０】
顧客端末装置８０または店舗端末装置３２０では、マーケット業者サーバ３５０からネットワーク１を介して送信されてくる電子化商品（電子書籍ファイル）を受信し（ステップＳ３０９）、受信した電子化商品（電子書籍ファイル）を、電子ブックリーダ８１に有線または無線で転送する（ステップＳ３１０）。
【０４１１】
一方、マーケット業者サーバ３５０では、トレード価格取得処理手段３５３により、ダウンロード要求受付処理手段３５２により受信した顧客識別情報（マーケットＩＤ）に関連付けられてトレード価格購入予約情報記憶手段３６０（図６と同様）に記憶されている電子化商品識別情報（例えば、ＩＳＢＮコード等）を用いて、トレード価格記憶手段３６２（図７と同様）に記憶されたトレード価格購入予約に係る電子化商品（電子書籍）のトレード価格を取得する（ステップＳ３１１）。
【０４１２】
それから、決済処理手段３５４により、トレード価格取得処理手段３５３により取得したトレード価格を用いて、ダウンロード要求受付処理手段３５２により受信した顧客識別情報（マーケットＩＤ）に関連付けられて決済情報記憶手段３６３（図８と同様）に記憶されているダウンロード要求を行った顧客の決済情報に従って、顧客とマーケット業者との間で電子化商品（電子書籍）の購入の決済処理を実行する（ステップＳ３１２）。例えば、電子化商品（電子書籍）のトレード価格が、３００円であれば、顧客からマーケット業者への支払金額が、３００円となる。
【０４１３】
図２１において、処理種別＝２では、中古品（古本）に対応する電子化商品（電子書籍）が存在しないので、買取業者の店員は、店舗端末装置３２０の画面上に表示されたトレード価格購入予約画面（不図示）で、買取業者が顧客から買い取った中古品（古本）についての中古品識別情報（例えば、ＩＳＢＮコード等）を、顧客により選択された少なくとも１つのマーケット業者（つまり、電子化商品（電子書籍）が発売されたら、そこからトレード価格で購入することを予約しておくための購入先の候補となるマーケット業者）についてのマーケット業者識別情報およびそれらの各マーケット業者用の顧客識別情報（マーケットＩＤ）とともに入力する。そして、トレード価格購入予約受付処理手段３３１により、これらの入力を受け付け、入力された中古品識別情報（例えば、ＩＳＢＮコード等）を、少なくとも１つの候補マーケット業者についてのマーケット業者識別情報および各候補マーケット業者用の顧客識別情報（マーケットＩＤ）と関連付けて顧客購入情報記憶手段３４０（図２と同様）に記憶させる（ステップＳ３２１）。
【０４１４】
また、処理種別＝２では、電子化商品（電子書籍）のトレード価格での購入代金の決済は、顧客とマーケット業者との間で後に行われるので、この段階では、中古品（古本）の買取の決済のみを行うべく、買取業者の店員は、顧客に対し、前述したステップＳ３０１で調査・決定した査定額を支払う。例えば、中古品（古本）の査定額が、１００円であれば、買取業者から顧客への現金支払金額は、１００円となる。
【０４１５】
続いて、店舗端末装置３２０では、対応商品発売監視処理手段３３３により、中古品（古本）に対応する電子化商品（電子書籍）が発売されたか否かを監視するために、顧客購入情報記憶手段３４０（図２と同様）に記憶された処理種別＝２のレコードの中古品識別情報（例えば、ＩＳＢＮコード等）について、商品情報記憶手段３４１（図３と同様）に同一の中古品識別情報が記憶されているか否かを繰り返し判断し、記憶されている場合には、商品情報記憶手段３４１からその中古品識別情報に対応する電子化商品識別情報（例えば、ＩＳＢＮコード等）およびマーケット業者識別情報を取得する（ステップＳ３２２）。この際、商品情報記憶手段３４１（図３と同様）に同一の中古品識別情報が記憶されていても、処理種別＝２のレコードの中古品識別情報については、発売された電子化商品（電子書籍）を販売するマーケット業者が、顧客の指定した候補マーケット業者の中に含まれている必要があるので、対応商品発売監視処理手段３３３により、商品情報記憶手段３４１にその中古品識別情報に関連付けられて記憶されているマーケット業者識別情報が、顧客購入情報記憶手段３４０（図２と同様）に記憶された処理種別＝２のレコードのいずれかの候補マーケット業者についてのマーケット業者識別情報と一致した場合にのみ、商品情報記憶手段３４１からその中古品識別情報に対応する電子化商品識別情報（例えば、ＩＳＢＮコード等）およびマーケット業者識別情報を取得する。
【０４１６】
それから、電子化商品（電子書籍）が発売された場合には、トレード価格購入予約情報送信処理手段３３４により、対応商品発売監視処理手段３３３により取得した電子化商品識別情報（例えば、ＩＳＢＮコード等）を、処理種別＝２のレコードの中古品識別情報（例えば、ＩＳＢＮコード等）に関連付けられて顧客購入情報記憶手段３４０（図２と同様）に記憶されている顧客識別情報（マーケットＩＤ）のうち、対応商品発売監視処理手段３３３により取得したマーケット業者識別情報のマーケット業者（すなわち、中古品（古本）に対応する電子化商品（電子書籍）を発売したマーケット業者）用の顧客識別情報（マーケットＩＤ）とともに、そのマーケット業者識別情報に対応するマーケット業者サーバ３５０（すなわち、中古品（古本）に対応する電子化商品（電子書籍）を発売したマーケット業者のマーケット業者サーバ３５０）へ送信する（ステップＳ３２３）。
【０４１７】
また、トレード価格購入予約情報送信処理手段３３４により、マーケット業者サーバ３５０へ送信した電子化商品識別情報（例えば、ＩＳＢＮコード等）、並びに、送信先のマーケット業者サーバ３５０のマーケット業者についてのマーケット業者識別情報およびそのマーケット業者用の顧客識別情報（マーケットＩＤ）を、処理種別＝２のレコードの中古品識別情報（例えば、ＩＳＢＮコード等）に関連付けて顧客購入情報記憶手段３４０（図２と同様）に記憶させる（ステップＳ３２３）。なお、送信先のマーケット業者の情報は、顧客購入情報記憶手段３４０（図２と同様）の購入マーケット業者のカラムに記憶させる。
【０４１８】
マーケット業者サーバ３５０では、トレード価格購入予約情報登録処理手段３５１により、店舗端末装置３２０からネットワーク１を介して送信されてくる電子化商品識別情報（例えば、ＩＳＢＮコード等）を、顧客識別情報（マーケットＩＤ）とともに受信し、受信した電子化商品識別情報（例えば、ＩＳＢＮコード等）を、顧客識別情報（マーケットＩＤ）と関連付けてトレード価格購入予約情報記憶手段３６０（図６と同様）に記憶させる（ステップＳ３２４）。
【０４１９】
一方、店舗端末装置３２０では、通知処理手段３３６により、顧客購入情報記憶手段３４０（図２と同様）の処理種別＝２のレコードの当該中古品識別情報に関連付けられて記憶されている顧客特定用の情報（すなわち、第１の候補マーケット業者についてのマーケット業者識別情報およびその顧客識別情報（マーケットＩＤ））を用いて、顧客情報記憶手段３４２（図４と同様）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ３２５）。
【０４２０】
また、買取業者の店員は、店舗端末装置３２０に設けられた顧客購入情報閲覧処理手段（不図示）により、顧客購入情報記憶手段３４０（図２と同様）に記憶された自己の顧客に関する購入情報を適宜閲覧し、顧客から買い取った中古品（古本）について電子化商品（電子書籍）が発売された事実を掴んだときに、顧客情報記憶手段３４２（図４と同様）に記憶された当該顧客の連絡先の情報を参照し、当該顧客への各種の通知（電子メール、電話、ＦＡＸ等）を行うこともできる。
【０４２１】
それから、顧客は、自宅等にある顧客端末装置８０を操作するか、または買取業者の店舗に出向いて店舗端末装置３２０を操作することにより、自分宛の通知メールを受信し、閲覧する（ステップＳ３２６）。さらに、顧客は、買取業者の店舗に出向き、店舗端末装置３２０を自ら操作することにより、自分が売った中古品（古本）に対応する電子化商品（電子書籍）が発売されたか否かを確認することができる。すなわち、店舗端末装置３２０において、顧客が、第１の候補マーケット業者についてのマーケット業者識別情報およびその顧客識別情報（マーケットＩＤ）、あるいは会員識別情報（会員ＩＤ）を入力し、自己のトレード購入予約状況確認画面の表示要求を行うと、店舗端末装置３２０に設けられた顧客購入情報閲覧処理手段（不図示）により、入力された第１の候補マーケット業者についてのマーケット業者識別情報およびその顧客識別情報（マーケットＩＤ）、あるいは会員識別情報（会員ＩＤ）を用いて、顧客購入情報記憶手段３４０（図２と同様）の当該顧客のレコードにおける購入マーケット業者のカラムにデータが記憶されているか否かを判断することにより（対応する電子化商品（電子書籍）が発売されていれば、ステップＳ３２３でトレード価格購入予約情報送信処理手段３３４によりデータが格納されているはずであるため。）、対応する電子化商品（電子書籍）が発売されたか否かを判断し、その判断結果を店舗端末装置３２０に画面表示する。なお、図２の例では、顧客購入情報記憶手段３４０（図２と同様）の処理種別＝２のレコードには、会員識別情報（会員ＩＤ）は記憶されていないが、トレード価格購入予約受付処理手段３３１により会員識別情報（会員ＩＤ）の入力も受け付けていれば、会員識別情報（会員ＩＤ）が記憶されている場合もある。
【０４２２】
その後、顧客は、自宅等にある顧客端末装置８０を操作するか、または買取業者の店舗に出向いて店舗端末装置３２０を操作することにより、ネットワーク１を介してマーケット業者サーバ３５０にアクセスし、そのマーケット業者に自己が登録している顧客識別情報（マーケットＩＤ）を入力してログインし、顧客識別情報を含むダウンロード要求信号を、マーケット業者サーバ３５０へネットワーク１を介して送信する（ステップＳ３２７）。
【０４２３】
マーケット業者サーバ３５０では、ダウンロード要求受付処理手段３５２により、顧客が操作する顧客端末装置８０または店舗端末装置３２０からネットワーク１を介して送信されてくるトレード価格購入予約に係る電子化商品（電子書籍）のダウンロード要求信号を、顧客識別情報（マーケットＩＤ）とともに受信する（ステップＳ３２８）。
【０４２４】
続いて、ダウンロード要求受付処理手段３５２により、受信した顧客識別情報（マーケットＩＤ）に関連付けられてトレード価格購入予約情報記憶手段３６０（図６と同様）に記憶されている電子化商品識別情報（例えば、ＩＳＢＮコード等）を取得し、さらに、この電子化商品識別情報に関連付けられて電子化商品記憶手段３６１に記憶されている電子化商品（電子書籍ファイル）を取得し、取得した電子化商品（電子書籍ファイル）を、顧客端末装置８０または店舗端末装置３２０へネットワーク１を介して送信する（ステップＳ３２９）。
【０４２５】
この際、受信した顧客識別情報（マーケットＩＤ）に関連付けられた電子化商品識別情報（例えば、ＩＳＢＮコード等）が複数ある場合、すなわち１人の顧客が複数の中古品（古本）を持ち込んで複数の電子化商品（電子書籍）のトレード購入予約を行っていた場合には、ダウンロード要求受付処理手段３５２により、それらの電子化商品（電子書籍）を全部まとめてダウンロードの対象としてもよく、あるいは複数の電子化商品（電子書籍）についての電子化商品識別情報（例えば、ＩＳＢＮコード等、あるいは書籍名）を、顧客端末装置８０または店舗端末装置３２０へネットワーク１を介して送信し、いずれの電子化商品（電子書籍）をダウンロードするのかを、顧客に指定させ、その指定情報（顧客により指定された電子化商品（電子書籍）についての電子化商品識別情報またはその代替情報）を、顧客端末装置８０または店舗端末装置３２０からネットワーク１を介して受信し、指定された電子化商品（電子書籍）だけをダウンロードの対象としてもよい。
【０４２６】
顧客端末装置８０または店舗端末装置３２０では、マーケット業者サーバ３５０からネットワーク１を介して送信されてくる電子化商品（電子書籍ファイル）を受信し（ステップＳ３３０）、受信した電子化商品（電子書籍ファイル）を、電子ブックリーダ８１に有線または無線で転送する（ステップＳ３３１）。
【０４２７】
一方、マーケット業者サーバ３５０では、トレード価格取得処理手段３５３により、ダウンロード要求受付処理手段３５２により受信した顧客識別情報（マーケットＩＤ）に関連付けられてトレード価格購入予約情報記憶手段３６０（図６と同様）に記憶されている電子化商品識別情報（例えば、ＩＳＢＮコード等）を用いて、トレード価格記憶手段３６２（図７と同様）に記憶されたトレード価格購入予約に係る電子化商品（電子書籍）のトレード価格を取得する（ステップＳ３３２）。
【０４２８】
それから、決済処理手段３５４により、トレード価格取得処理手段３５３により取得したトレード価格を用いて、ダウンロード要求受付処理手段３５２により受信した顧客識別情報（マーケットＩＤ）に関連付けられて決済情報記憶手段３６３（図８と同様）に記憶されているダウンロード要求を行った顧客の決済情報に従って、顧客とマーケット業者との間で電子化商品（電子書籍）の購入の決済処理を実行する（ステップＳ３３３）。例えば、電子化商品（電子書籍）のトレード価格が、３００円であれば、顧客からマーケット業者への支払金額が、３００円となる。
【０４２９】
図２２において、ステップＳ３４１，Ｓ３４２の処理は、前述した図２０のステップＳ３０１，Ｓ３０２の処理と同様である。
【０４３０】
ここで、検索の結果、対応する電子化商品（電子書籍）が既に発売されていた場合（ステップＳ３４３）には、前述したように、電子化商品識別情報（例えば、ＩＳＢＮコード等）およびトレード価格が画面表示されるので、買取業者の店員は、処理種別＝３，４の処理を開始する。一方、ステップＳ３４３で、対応する電子化商品（電子書籍）が未だ発売されていなかった場合には、電子化商品識別情報（例えば、ＩＳＢＮコード等）およびトレード価格は画面表示されないので、買取業者の店員は、後述する図２３に示すように、処理種別＝５，６の処理を開始する。
【０４３１】
図２２において、処理種別＝３では、買取業者の店員は、店舗端末装置３２０の画面上に表示されたトレード価格購入予約画面（不図示）で、買取業者が顧客から買い取った中古品（古本）に対応する電子化商品（電子書籍）についての電子化商品識別情報（例えば、ＩＳＢＮコード等）を、顧客により選択されたマーケット業者（つまり、トレード価格で購入予定の電子化商品（電子書籍）を販売しているマーケット業者）についてのマーケット業者識別情報とともに入力する。そして、トレード価格購入予約受付処理手段３３１により、これらの入力を受け付け、中古品（古本）を持ち込んできた顧客に対して発券番号を自動付与してこの発券番号を付した発券票（発券番号を示すバーコードや２次元バーコードを記載した発券票でもよく、発券番号を示す数字を記載した発券票でもよい。）を印刷するとともに、受け付けた電子化商品識別情報（例えば、ＩＳＢＮコード等）を、発券番号およびマーケット業者識別情報と関連付けて顧客購入情報記憶手段３４０（図２と同様）に記憶させる（ステップＳ３４４）。買取業者の店員は、印刷した発券票を、顧客に手渡しする。
【０４３２】
また、処理種別＝４では、買取業者の店員は、買取業者が顧客から買い取った中古品（古本）に対応する電子化商品（電子書籍）についての電子化商品識別情報（例えば、ＩＳＢＮコード等）を、顧客についての会員識別情報（顧客から中古品（古本）の買取を行った買取業者がその顧客を識別するための会員ＩＤ）および顧客により選択されたマーケット業者（つまり、トレード価格で購入予定の電子化商品（電子書籍）を販売しているマーケット業者）についてのマーケット業者識別情報とともに入力する。この際、会員識別情報（会員ＩＤ）は、会員カード等から読み込むことができるが、手入力してもよい。そして、トレード価格購入予約受付処理手段３３１により、これらの入力を受け付け、買取業者が顧客から買い取った中古品（古本）に対応する電子化商品（電子書籍）についての電子化商品識別情報（例えば、ＩＳＢＮコード等）を、顧客についての会員識別情報（会員ＩＤ）および顧客により選択されたマーケット業者についてのマーケット業者識別情報と関連付けて顧客購入情報記憶手段３４０（図２と同様）に記憶させる（ステップＳ３４４）。
【０４３３】
なお、処理種別＝３を選択して発券票を用いる場合は、例えば、買取業者へあまり来ないか、１回だけしか来ない顧客からの買取の場合であり、処理種別＝４を選択して会員識別情報（会員ＩＤ）を用いる場合は、例えば、買取業者へ何回も来る顧客からの買取の場合である。
【０４３４】
また、処理種別＝３，４では、電子化商品（電子書籍）のトレード価格での購入代金の決済は、買取業者が顧客の代理決済を行うという形で、後に買取業者とマーケット業者との間で行われるので、この段階では、買取業者は、顧客に対し、前述したステップＳ３４１で調査・決定した査定額を支払う一方で、代理決済のための必要資金（トレード価格の資金）を顧客から受け取ることになり、結局、顧客と買取業者との間で、査定額とトレード価格との差額の精算を行う。例えば、中古品（古本）の査定額が、１００円であり、トレード価格が、３００円であれば、買取業者が顧客に１００円を支払い、顧客が買取業者に３００円を支払うことになるので、結局、顧客から買取業者への現金支払金額は、差額の２００円となる。
【０４３５】
その後、顧客は、買取業者の店舗に出向き、店舗端末装置３２０を自ら操作するか、または買取業者の店員に代行操作を依頼することにより、トレード価格購入予約に係る電子化商品（電子書籍）のダウンロード要求を行うために、処理種別＝３では、発券番号を入力し、処理種別＝４では、会員識別情報（会員ＩＤ）を入力する。この際、発券番号は、店舗端末装置３２０に設けられたバーコードリーダや２次元バーコードリーダ等により発券票から読み込み、会員識別情報（会員ＩＤ）は、会員カード等から読み込むことができるが、手入力してもよい。そして、ダウンロード要求送信処理手段３３７により、これらの入力を受け付け（ステップＳ３４５）、受け付けた発券番号または会員識別情報（会員ＩＤ）に関連付けられて顧客購入情報記憶手段３４０（図２と同様）に記憶されている電子化商品識別情報（例えば、ＩＳＢＮコード等）およびマーケット業者識別情報を取得する（ステップＳ３４６）。
【０４３６】
この際、発券番号が入力される処理種別＝３の場合は、買取業者にあまり来ないか、または１回だけしか来ない顧客によるダウンロード要求である可能性が大きいため、その発券番号を複数の顧客で不正に使い回しされることのないように、ダウンロード要求送信処理手段３３７により、ある発券番号を使って１度ダウンロードが行われたら、その発券番号を無効化する処理（ダウンロード済とする処理）を行うことが好ましい。具体的には、例えば、顧客購入情報記憶手段３４０（図２と同様）に、発券番号の有効・無効を示すフラグ（ダウンロード未済・済を示すフラグ）を格納するカラム（不図示）を設けておき、発券番号の入力を受け付けた場合に、ダウンロード要求送信処理手段３３７により、受け付けた発券番号に関連付けられて顧客購入情報記憶手段３４０に記憶されている当該フラグを、有効（ダウンロード未済）を示す状態から無効（ダウンロード済）を示す状態に更新する処理を行えばよい。なお、フラグを更新するのは、後述するステップＳ３５０で、電子化商品（電子書籍のファイル）の受信が完了してからでもよい。
【０４３７】
それから、ダウンロード要求送信処理手段３３７により、取得した電子化商品識別情報（例えば、ＩＳＢＮコード等）を含むダウンロード要求信号を、取得したマーケット業者識別情報のマーケット業者が買取業者を識別するための買取業者識別情報とともに、取得したマーケット業者識別情報に対応するマーケット業者サーバ３５０へネットワーク１を介して送信する（ステップＳ３４７）。
【０４３８】
マーケット業者サーバ３５０では、ダウンロード要求受付処理手段３５２により、店舗端末装置３２０からネットワーク１を介して送信されてくるトレード価格購入予約に係る電子化商品（電子書籍）のダウンロード要求信号を、電子化商品識別情報（例えば、ＩＳＢＮコード等）および買取業者識別情報とともに受信する（ステップＳ３４８）。
【０４３９】
続いて、ダウンロード要求受付処理手段３５２により、受信した電子化商品識別情報の電子化商品（電子書籍のファイル）を、電子化商品記憶手段３６１から取得し、取得した電子化商品（電子書籍のファイル）を、店舗端末装置３２０へネットワーク１を介して送信する（ステップＳ３４９）。
【０４４０】
店舗端末装置３２０では、ダウンロード要求送信処理手段３３７により、マーケット業者サーバ３５０からネットワーク１を介して送信されてくる電子化商品（電子書籍のファイル）を受信する（ステップＳ３５０）。そして、顧客は、受信した電子化商品（電子書籍のファイル）を、店舗端末装置３２０から自己の所持する電子ブックリーダ８１へ有線または無線で転送する（ステップＳ３５１）。
【０４４１】
一方、マーケット業者サーバ３５０では、トレード価格取得処理手段３５３により、ダウンロード要求受付処理手段３５２により受信した電子化商品識別情報（例えば、ＩＳＢＮコード等）に関連付けられてトレード価格記憶手段３６２（図７と同様）に記憶されたトレード価格購入予約に係る電子化商品（電子書籍）のトレード価格を取得する（ステップＳ３５２）。
【０４４２】
それから、決済処理手段３５４により、トレード価格取得処理手段３５３により取得したトレード価格を用いて、ダウンロード要求受付処理手段３５２により受信した買取業者識別情報に関連付けられて決済情報記憶手段３６３（図８と同様）に記憶されているダウンロード要求の送信元の買取業者の決済情報に従って、買取業者とマーケット業者との間の決済処理を実行する（ステップＳ３５３）。例えば、電子化商品（電子書籍）のトレード価格が、３００円であれば、買取業者からマーケット業者への支払金額が、３００円となる。
【０４４３】
図２３において、処理種別＝５では、中古品（古本）に対応する電子化商品（電子書籍）が存在しないので、買取業者の店員は、店舗端末装置３２０の画面上に表示されたトレード価格購入予約画面（不図示）で、買取業者が顧客から買い取った中古品（古本）についての中古品識別情報（例えば、ＩＳＢＮコード等）を入力する。そして、トレード価格購入予約受付処理手段３３１により、この入力を受け付け、顧客に対して予約番号を自動付与してこの予約番号を付した予約票（予約番号を示すバーコードや２次元バーコードを記載した予約票でもよく、予約番号を示す数字を記載した予約票でもよい。）を印刷するとともに、受け付けた中古品識別情報（例えば、ＩＳＢＮコード等）を、予約番号と関連付けて顧客購入情報記憶手段３４０（図２と同様）に記憶させる（ステップＳ３６１）。買取業者の店員は、印刷した予約票を、顧客に手渡しする。
【０４４４】
また、処理種別＝６では、中古品（古本）に対応する電子化商品（電子書籍）が存在しないので、買取業者の店員は、店舗端末装置３２０の画面上に表示されたトレード価格購入予約画面（不図示）で、買取業者が顧客から買い取った中古品（古本）についての中古品識別情報（例えば、ＩＳＢＮコード等）を、顧客についての会員識別情報（顧客から中古品（古本）の買取を行った買取業者がその顧客を識別するための会員ＩＤ）とともに入力する。そして、トレード価格購入予約受付処理手段３３１により、この入力を受け付け、受け付けた中古品識別情報（例えば、ＩＳＢＮコード等）を、会員識別情報（会員ＩＤ）と関連付けて顧客購入情報記憶手段３４０（図２と同様）に記憶させる（ステップＳ３６１）。この際、会員識別情報（会員ＩＤ）は、会員カード等から読み込むことができるが、手入力してもよい。
【０４４５】
なお、処理種別＝５を選択して予約票を用いる場合は、例えば、買取業者へあまり来ないか、１回だけしか来ない顧客からの買取の場合であり、処理種別＝６を選択して会員識別情報（会員ＩＤ）を用いる場合は、例えば、買取業者へ何回も来る顧客からの買取の場合である。
【０４４６】
また、処理種別＝５，６では、電子化商品（電子書籍）のトレード価格での購入代金の決済は、買取業者が顧客の代理決済を行うという形で、後に買取業者とマーケット業者との間で行われるが、この段階では、マーケット業者が決まっていないことから、トレード価格も決まらないので、中古品（古本）の買取の決済のみを行うべく、買取業者の店員は、顧客に対し、前述したステップＳ３４１で調査・決定した査定額を支払う。例えば、中古品（古本）の査定額が、１００円であれば、買取業者から顧客への現金支払金額は、１００円となる。
【０４４７】
店舗端末装置３２０では、対応商品発売監視処理手段３３３により、中古品（古本）に対応する電子化商品（電子書籍）が発売されたか否かを監視するために、顧客購入情報記憶手段３４０（図２と同様）に記憶された処理種別＝５，６のレコードの中古品識別情報（例えば、ＩＳＢＮコード等）について、商品情報記憶手段３４１（図３と同様）に同一の中古品識別情報が記憶されているか否かを繰り返し判断し、記憶されている場合には、商品情報記憶手段３４１からその中古品識別情報に対応する電子化商品識別情報（例えば、ＩＳＢＮコード等）およびマーケット業者識別情報を取得する（ステップＳ３６２）。
【０４４８】
続いて、発売商品反映処理手段３３５により、対応商品発売監視処理手段３３３により取得した電子化商品識別情報（例えば、ＩＳＢＮコード等）およびマーケット業者識別情報を、処理種別＝５では、予約番号と関連付けて、処理種別＝６では、会員識別情報（会員ＩＤ）と関連付けて顧客購入情報記憶手段３４０（図２と同様）の処理種別＝５，６のレコードに記憶させる（ステップＳ３６３）。なお、マーケット業者識別情報は、顧客購入情報記憶手段３４０（図２と同様）の購入マーケット業者についてのマーケット業者識別情報のカラムに記憶させる。
【０４４９】
それから、通知処理手段３３６により、顧客購入情報記憶手段３４０（図２と同様）の処理種別＝５，６のレコードの当該中古品識別情報に関連付けられて記憶されている顧客特定用の情報（予約番号または会員識別情報（会員ＩＤ））を用いて、顧客情報記憶手段３４２（図４と同様）から連絡先の情報（本実施形態では、一例として電子メールアドレスとする。）を取得し、取得した連絡先へネットワーク１を介して、対応する電子化商品（電子書籍）が発売された旨（発売された電子化商品（電子書籍）についての電子化商品識別情報（例えば、ＩＳＢＮコード等）およびその電子化商品（電子書籍）を販売するマーケット業者を含む。）の通知メールを自動送信する（ステップＳ３６４）。
【０４５０】
また、買取業者の店員は、店舗端末装置３２０に設けられた顧客購入情報閲覧処理手段（不図示）により、顧客購入情報記憶手段３４０（図２と同様）に記憶された自己の顧客に関する購入情報を適宜閲覧し、顧客から買い取った中古品（古本）について電子化商品（電子書籍）が発売された事実を掴んだときに、顧客情報記憶手段３４２（図４と同様）に記憶された当該顧客の連絡先の情報を参照し、当該顧客への各種の通知（電子メール、電話、ＦＡＸ等）を行うこともできる。
【０４５１】
続いて、顧客は、自宅等にある顧客端末装置８０を操作するか、または買取業者の店舗に出向いて店舗端末装置３２０を操作することにより、自分宛の通知メールを受信し、閲覧する（ステップＳ３６５）。さらに、顧客は、買取業者の店舗に出向き、店舗端末装置３２０を自ら操作することにより、自分が売った中古品（古本）に対応する電子化商品（電子書籍）が発売されたか否かを確認することができる。すなわち、店舗端末装置３２０において、顧客が、予約番号または会員識別情報（会員ＩＤ）を入力し、自己のトレード購入予約状況確認画面の表示要求を行うと、店舗端末装置３２０に設けられた顧客購入情報閲覧処理手段（不図示）により、予約番号または会員識別情報（会員ＩＤ）を用いて、顧客購入情報記憶手段３４０（図２と同様）の当該顧客のレコードにおける購入マーケット業者のカラムにデータが記憶されているか否かを判断することにより（対応する電子化商品（電子書籍）が発売されていれば、ステップＳ３６３で発売商品反映処理手段３３５によりデータが格納されているはずであるため。）、対応する電子化商品（電子書籍）が発売されたか否かを判断し、その判断結果を店舗端末装置３２０に画面表示する。
【０４５２】
その後、顧客は、買取業者の店舗に出向き、店舗端末装置３２０を自ら操作するか、または買取業者の店員に代行操作を依頼することにより、トレード価格購入予約に係る電子化商品（電子書籍）のダウンロード要求を行うために、処理種別＝５では、予約番号を入力し、処理種別＝６では、会員識別情報（会員ＩＤ）を入力する。この際、予約番号は、店舗端末装置３２０に設けられたバーコードリーダや２次元バーコードリーダ等により予約票から読み込み、会員識別情報（会員ＩＤ）は、会員カード等から読み込むことができるが、手入力してもよい。そして、ダウンロード要求送信処理手段３３７により、これらの入力を受け付ける（ステップＳ３６６）。
【０４５３】
この際、予約番号が入力される処理種別＝５の場合は、買取業者にあまり来ないか、または１回だけしか来ない顧客によるダウンロード要求である可能性が大きいため、その予約番号を複数の顧客で不正に使い回しされることのないように、ダウンロード要求送信処理手段３３７により、ある予約番号を使って１度ダウンロードが行われたら、その予約番号を無効化する処理（ダウンロード済とする処理）を行うことが好ましい。具体的には、例えば、顧客購入情報記憶手段３４０（図２と同様）に、予約番号の有効・無効を示すフラグ（ダウンロード未済・済を示すフラグ）を格納するカラム（不図示）を設けておき、予約番号の入力を受け付けた場合に、ダウンロード要求送信処理手段３３７により、受け付けた予約番号に関連付けられて顧客購入情報記憶手段３４０に記憶されている当該フラグを、有効（ダウンロード未済）を示す状態から無効（ダウンロード済）を示す状態に更新する処理を行えばよい。なお、フラグを更新するのは、後述するステップＳ３７１で、電子化商品（電子書籍のファイル）の受信が完了してからでもよい。
【０４５４】
また、マーケット業者が決まり、トレード価格が決まったことから、トレード価格の決済を行うべく、顧客は、買取業者に対し、トレード価格を支払う。なお、買取業者は、検索処理手段３３２による検索を行うことで、トレード価格を取得することができる。例えば、対応する電子化商品（電子書籍）が、３００円であれば、顧客から買取業者への現金支払金額は、３００円となる。
【０４５５】
続いて、ダウンロード要求送信処理手段３３７により、受け付けた予約番号または会員識別情報（会員ＩＤ）に関連付けられて顧客購入情報記憶手段３４０（図２と同様）に記憶されている電子化商品識別情報（例えば、ＩＳＢＮコード等）およびマーケット業者識別情報を取得する（ステップＳ３６７）。
【０４５６】
以降のステップＳ３６８〜Ｓ３７４の処理は、前述した図２２のステップＳ３４７〜Ｓ３５３の処理と同様である。
【０４５７】
このような第３実施形態によれば、次のような効果がある。すなわち、トレードシステム３００では、顧客にとっては、中古品（古本）を売ってトレード価格でその電子化商品（電子書籍）を購入することができるので、新規購入価格で電子化商品（電子書籍）を購入するよりも安価に同じ電子化商品（電子書籍）を購入することができる。このため、大きなコストをかけずに、購入済みの中古品（古本）について、電子化による保管を実現することができるので、保管場所の確保の問題を解消することができ、商品検索も容易に実現することができるうえ、スキャナを用いて自身で電子化（自炊）するといった手間や時間のかかる作業を行うことなく、綺麗に電子化された状態での商品保管を実現することができる。以上は、顧客のメリットである。
【０４５８】
また、トレードシステム３００では、中古品（古本）を買い取る買取業者にとっては、顧客が中古品（古本）を売ればトレード価格で安価にその電子化商品（電子書籍）を購入することができるので、自分が保有している中古品（古本）を売って電子化しようと考える顧客が増えるため、中古品市場を活性化することができ、顧客層の拡大に伴う売上げの拡大を図ることができる。つまり、これまで、自分が既に購入して保有している中古品（古本）は、一種の財産、あるいは情報源と考えて、それを売ることは考えなかったような顧客が、電子化商品（電子書籍）との交換売買という形で、中古品（古本）を売ろうと考えるようになり、中古品市場（古本市場）の活性化に繋げることができる。以上は、買取業者のメリットである。
【０４５９】
さらに、トレードシステム３００では、電子化商品（電子書籍）を販売するマーケット業者にとっては、顧客が中古品（古本）を売ればトレード価格で安価にその電子化商品（電子書籍）を購入することができるので、既に同じ内容の商品（非電子化商品）を購入して中古品（古本）として保有している顧客に対し、電子化商品（電子書籍）の購入のインセンティブを付与することができ、新たな顧客層の開拓を実現することができ、電子化商品市場（電子書籍市場）を活性化させることができる。以上は、マーケット業者のメリットである。
【０４６０】
そして、トレードシステム３００では、処理種別＝１，２を選択した場合（図２０、図２１参照）、顧客が、顧客識別情報（マーケット業者が顧客を識別するための情報であるマーケットＩＤ）を使用してマーケット業者サーバ３５０へアクセスし、電子化商品（電子書籍）をダウンロードするようになっているので、電子化商品（電子書籍）に関する決済は、顧客とマーケット業者との間で行うことができ、買取業者は、顧客との間で、中古品（古本）の買取に関する決済を行えばよくなり、買取業者の負担を軽減することができる。
【０４６１】
そして、処理種別＝１，２を選択した場合（図２０、図２１参照）、顧客識別情報（マーケットＩＤ）を使用してダウンロードするので、マーケット業者サーバ３５０に、顧客識別情報（マーケットＩＤ）に関連付けられて購入ログ（購入した電子化商品（電子書籍）についての電子化商品識別情報（例えば、ＩＳＢＮコード等）、購入日時、購入代金等）が残っていることを前提とすれば、顧客は、再ダウンロードを行うこともできる。
【０４６２】
また、処理種別＝１，２を選択する場合（図２０、図２１参照）、顧客は、自分のパーソナル・コンピュータを持っていなくても、買取業者の店舗へ出向いて店舗において、店舗端末装置３２０を使ってマーケット業者用の顧客識別情報（マーケットＩＤ）を登録することができるので、登録後には店舗端末装置３２０を操作し、顧客識別情報（マーケットＩＤ）を使用して電子化商品（電子書籍）のダウンロードを行うことができるが、このように顧客識別情報（マーケットＩＤ）を登録しておくことで、後にパーソナル・コンピュータを購入した場合には、自宅のパーソナル・コンピュータ（顧客端末装置８０）からも、ダウンロードや再ダウンロードを行うことができる。
【０４６３】
また、トレードシステム３００では、処理種別＝３〜６を選択した場合（図２２、図２３参照）、顧客識別情報（マーケット業者が顧客を識別するための情報であるマーケットＩＤ）を使用せずに、買取業者が顧客の代理購入という形式で買取業者識別情報（マーケット業者が買取業者を識別するための情報）を使用してマーケット業者サーバ３５０へアクセスして電子化商品（電子書籍）をダウンロードし、買取業者とマーケット業者との間で決済を行うようになっているので、顧客は、自分のパーソナル・コンピュータを持っていなくても、買取業者の店舗に出向くことで、電子化商品（電子書籍）をダウンロードすることができる。また、顧客識別情報を持っていない顧客でも、新たにマーケット業者に顧客識別情報（マーケットＩＤ）を登録することなく、電子化商品（電子書籍）をトレード価格で購入することができ、さらに、顧客識別情報（マーケットＩＤ）を持っているが忘れてしまった顧客や、持っているが使用したくない顧客も、電子化商品（電子書籍）をトレード価格で購入することができる。
【０４６４】
さらに、トレードシステム３００では、処理種別＝２，５，６を選択した場合（図２１、図２３参照）、買取業者が顧客から中古品（古本）を買い取った時点で、買い取った中古品（古本）に対応する電子化商品（電子書籍）が存在しないケースに対応することができるので、顧客は、後に対応する電子化商品（電子書籍）が発売された段階で、発売された電子化商品（電子書籍）をトレード価格で安価に購入することができる。このため、買い取った中古品（古本）に対応する電子化商品（電子書籍）が存在しないケースでも、前述した顧客のメリット、買取業者のメリット、およびマーケット業者のメリットを得ることができる。
【０４６５】
さらに、トレードシステム３００では、店舗端末装置３２０に処理種別変更処理手段（不図示）が設けられているので、当初、処理種別＝５，６を選択していた場合（図２３参照）であっても、途中で処理種別＝２に変更し、顧客識別情報（マーケットＩＤ）を使って電子化商品（電子書籍）をダウンロードすることができる。すなわち、処理種別＝５，６を選択した場合（図２３参照）は、買い取った中古品（古本）に対応する電子化商品（電子書籍）が存在しないケースであるから、対応商品発売監視処理手段３３３により、対応する電子化商品（電子書籍）の発売の監視が行われるが、その間に、処理種別＝２に変更して顧客識別情報（マーケットＩＤ）を使ってダウンロードすることができるように変更することができる。この際、店舗端末装置３２０の処理種別変更処理手段（不図示）は、トレード価格購入予約受付処理手段３３１による処理種別＝２の場合の処理と同様に、少なくとも１つの候補マーケット業者についてのマーケット業者識別情報および各候補マーケット業者用の顧客識別情報（マーケットＩＤ）の入力を受け付け、顧客購入情報記憶手段３４０（図２と同様）に記憶させる。なお、顧客購入情報記憶手段３４０（図２と同様）に記憶された中古品識別情報（例えば、ＩＳＢＮコード等）は変更しないが、処理種別カラムのデータは、処理種別＝５または６から、処理種別＝２に変更する。そして、このように処理種別を、処理種別＝５または６から、処理種別＝２に変更すると、マーケット業者への電子化商品（電子書籍）の購入に係るトレード価格の支払方法も変更されることになり、マーケット業者への支払者を、買取業者から顧客に変更することができる。
【０４６６】
［変形の形態］
【０４６７】
なお、本発明は前記各実施形態に限定されるものではなく、本発明の目的を達成できる範囲内での変形等は本発明に含まれるものである。
【０４６８】
例えば、前記各実施形態では、「中古品」は、古本（紙媒体の書籍）とされ、「電子化商品」は、電子書籍（電子ブックファイル、例えば、PDFやWORD等のデータファイル）とされていたが、本発明における「中古品」と「電子化商品」との関係は、これに限らず、例えば、アナログのレコードやアナログの音楽テープとデジタルの音声（音楽）データ（音声ファイル、例えば、MP3、WAV等のデータファイル）との関係、アナログのビデオテープとデジタルの映像データ（映像ファイル、例えば、MPEG、WMV、AVI等のデータファイル）との関係等であってもよく、要するに、「中古品」を買い取る買取業者と、「電子化商品」を販売するマーケット業者とが存在する商品市場であればよい。
【０４６９】
また、前記各実施形態では、中古品（古本）とそれを売ってトレード価格で買うことができる電子化商品（電子書籍）とは、同一内容のものの交換売買を前提としているため、１対１で対応していたが、１つの中古品（古本）を売ったときに、トレード価格で買うことができる電子化商品（電子書籍）は、同一内容のものも含めて複数商品用意されていてもよい。
【０４７０】
さらに、前記各実施形態では、中古品識別情報および電子化商品識別情報として、ＩＳＢＮコードを例に挙げて説明していたが、これに限定されるものではなく、中古品や電子化商品を識別することができれば、他の種類のコード等であってもよい。
【産業上の利用可能性】
【０４７１】
以上のように、本発明のトレードシステム、トレードサーバ、トレード処理方法、およびプログラムは、例えば、古本を売ってそれに対応する電子書籍を買う場合等に用いるのに適している。
【符号の説明】
【０４７２】
１  ネットワーク
１０，２００，３００  トレードシステム
２０，３２０  店舗端末装置
３０，２３０  トレードサーバ
３１，２３１，３３１  トレード価格購入予約受付処理手段
３２，２３２，３３２  検索処理手段
３３，２３３，３３３  対応商品発売監視処理手段
３４，２３４，３３４  トレード価格購入予約情報送信処理手段
３５，２３５，３３５  発売商品反映処理手段
３６，２３６，３３６  通知処理手段
３７，２３７  ダウンロード中継処理手段
４０，２４０，３４０  顧客購入情報記憶手段
４１，２４１，３４１  商品情報記憶手段
４２，２４２，３４２  顧客情報記憶手段
５０，２５０，３５０  マーケット業者サーバ
５１，２５１，３５１  トレード価格購入予約情報登録処理手段
５２，２５２，３５２  ダウンロード要求受付処理手段
５３，３５３  トレード価格取得処理手段
５４，２５４，３５４  決済処理手段
６０，２６０，３６０  トレード価格購入予約情報記憶手段
６１，２６１，３６１  電子化商品記憶手段
６２，３６２  トレード価格記憶手段
６３，２６３，３６３  決済情報記憶手段
３３７  ダウンロード要求送信処理手段
【図１】
0005416743.tif 000002
【図２】
0005416743.tif 000003
【図３】
0005416743.tif 000004
【図４】
0005416743.tif 000005
【図５】
0005416743.tif 000006
【図６】
0005416743.tif 000007
【図７】
0005416743.tif 000008
【図８】
0005416743.tif 000009
【図９】
0005416743.tif 000010
【図１０】
0005416743.tif 000011
【図１１】
0005416743.tif 000012
【図１２】
0005416743.tif 000013
【図１３】
0005416743.tif 000014
【図１４】
0005416743.tif 000015
【図１５】
0005416743.tif 000016
【図１６】
0005416743.tif 000017
【図１７】
0005416743.tif 000018
【図１８】
0005416743.tif 000019
【図１９】
0005416743.tif 000020
【図２０】
0005416743.tif 000021
【図２１】
0005416743.tif 000022
【図２２】
0005416743.tif 000023
【図２３】
0005416743.tif 000024